(57)【要約】  本開示の送信装置は、第１の制御信号に基づいて動作する第１のサブドライバ部と、第１の制御信号および第２の制御信号のうちの第１の選択動作により選択された信号に基づいて動作する第２のサブドライバ部とを有し、第１の出力端子における電圧を設定可能に構成された第１のドライバと、第１の選択動作を制御する制御部とを備える。
2018012145.tif 000002
【特許請求の範囲】
【請求項１】
第１の制御信号に基づいて動作する第１のサブドライバ部と、前記第１の制御信号および第２の制御信号のうちの第１の選択動作により選択された信号に基づいて動作する第２のサブドライバ部とを有し、第１の出力端子における電圧を設定可能に構成された第１のドライバと、
前記第１の選択動作を制御する制御部と
を備えた送信装置。
【請求項２】
前記第１の制御信号および前記第２の制御信号のうちの第２の選択動作により選択された信号に基づいて動作する第３のサブドライバ部と、前記第２の制御信号に基づいて動作する第４のサブドライバ部とを有し、第２の出力端子における電圧を設定可能に構成された第２のドライバをさらに備え、
前記制御部は、前記第２の選択動作をも制御する
請求項１に記載の送信装置。
【請求項３】
前記送信装置は、第１の動作モードおよび第２の動作モードを有し、
前記制御部は、
前記第１の動作モードでは、前記第１の選択動作において前記第１の制御信号を選択するとともに、前記第２の選択動作において前記第２の制御信号を選択し、
前記第２の動作モードでは、前記第１の選択動作において前記第２の制御信号を選択するとともに、前記第２の選択動作において前記第１の制御信号を選択する
請求項２に記載の送信装置。
【請求項４】
前記第１のサブドライバ部の出力インピーダンスは、前記第２のサブドライバ部の出力インピーダンスよりも低く、
前記第３のサブドライバ部の出力インピーダンスは、前記第４のサブドライバ部の出力インピーダンスよりも低い
請求項２に記載の送信装置。
【請求項５】
前記第１のサブドライバ部の出力インピーダンス、前記第２のサブドライバ部の出力インピーダンス、前記第３のサブドライバ部の出力インピーダンス、および前記第４のサブドライバ部の出力インピーダンスは、それぞれ設定可能に構成された
請求項２に記載の送信装置。
【請求項６】
前記第１の選択動作を行う第１のセレクタ部と、
前記第２の選択動作を行う第２のセレクタ部と
をさらに備えた
請求項２に記載の送信装置。
【請求項７】
前記第２のサブドライバ部は、前記第１の選択動作をさらに行い、
前記第３のサブドライバ部は、前記第２の選択動作をさらに行う
請求項２に記載の送信装置。
【請求項８】
前記第２のサブドライバ部は、
前記第１の制御信号に基づいて動作する第５のサブドライバ部と、
前記第２の制御信号に基づいて動作する第６のサブドライバ部と
を有し、
前記制御部は、前記第５のサブドライバ部および前記第６のサブドライバ部のうちの一方を有効にすることにより、前記第１の選択動作を制御する
請求項７に記載の送信装置。
【請求項９】
第１の信号、第２の信号、第３の信号、および第４の信号を生成するマルチプレクサ部をさらに備え、
前記第１の制御信号は、前記第１の信号および前記第２の信号を含み、
前記第２の制御信号は、前記第３の信号および前記第４の信号を含む
請求項２に記載の送信装置。
【請求項１０】
第１のシリアル信号、第２のシリアル信号、第３のシリアル信号、および第４のシリアル信号を生成するシリアライザ部をさらに備え、
前記マルチプレクサ部は、
前記第１のシリアル信号および前記第３のシリアル信号に基づいて前記第１の信号を生成し、
前記第１のシリアル信号の反転信号および前記第３のシリアル信号の反転信号に基づいて前記第２の信号を生成し、
前記第２のシリアル信号および前記第４のシリアル信号に基づいて前記第３の信号を生成し、
前記第２のシリアル信号の反転信号および前記第４のシリアル信号の反転信号に基づいて前記第４の信号を生成する
請求項９に記載の送信装置。
【請求項１１】
前記マルチプレクサ部は、
前記第１のシリアル信号および前記第３のシリアル信号のうちの前記第１のシリアル信号に基づいて前記第１の信号を生成している場合には、前記第１のシリアル信号の反転信号および前記第３のシリアル信号の反転信号のうちの前記第１のシリアル信号の反転信号に基づいて前記第２の信号を生成し、前記第２のシリアル信号および前記第４のシリアル信号のうちの前記第２のシリアル信号に基づいて前記第３の信号を生成し、前記第２のシリアル信号の反転信号および前記第４のシリアル信号の反転信号のうちの前記第２のシリアル信号の反転信号に基づいて前記第４の信号を生成し、
前記第１のシリアル信号および前記第３のシリアル信号のうちの前記第３のシリアル信号に基づいて前記第１の信号を生成している場合には、前記第１のシリアル信号の反転信号および前記第３のシリアル信号の反転信号のうちの前記第３のシリアル信号の反転信号に基づいて前記第２の信号を生成し、前記第２のシリアル信号および前記第４のシリアル信号のうちの前記第４のシリアル信号に基づいて前記第３の信号を生成し、前記第２のシリアル信号の反転信号および前記第４のシリアル信号の反転信号のうちの前記第４のシリアル信号の反転信号に基づいて前記第４の信号を生成する
請求項１０に記載の送信装置。
【請求項１２】
前記シリアライザ部は、互いに位相が異なる複数のクロック信号に基づいて、パラレル信号に含まれる各ビットデータを順次選択することにより、前記第１のシリアル信号を生成する
請求項１０に記載の送信装置。
【請求項１３】
前記シリアライザ部は、シフトレジスタを用いて構成された
請求項１０に記載の送信装置。
【請求項１４】
第１のシリアル信号、第２のシリアル信号、第３のシリアル信号、および第４のシリアル信号を生成するシリアライザ部と、
第１の信号、第２の信号、第３の信号、および第４の信号を生成するマルチプレクサ部と
をさらに備え、
前記第１の制御信号は、前記第１のシリアル信号および前記第３のシリアル信号を含み、
前記第２の制御信号は、前記第２のシリアル信号および前記第４のシリアル信号を含み、
前記マルチプレクサ部は、
前記第１のシリアル信号および前記第３のシリアル信号に基づいて前記第１の信号を生成し、前記第１のシリアル信号の反転信号および前記第３のシリアル信号の反転信号に基づいて前記第２の信号を生成し、前記第２のシリアル信号の反転信号および前記第１のシリアル信号のうちの前記第１の選択動作により選択された第１の選択信号と、前記第４のシリアル信号の反転信号および前記第３のシリアル信号のうちの前記第１の選択動作により選択された第２の選択信号とに基づいて、前記第３の信号を生成し、前記第１のシリアル信号の反転信号および前記第２のシリアル信号のうちの前記第１の選択動作により選択された第３の選択信号と、前記第３のシリアル信号の反転信号および前記第４のシリアル信号のうちの前記第１の選択動作により選択された第４の選択信号とに基づいて、前記第４の信号を生成し、
前記第１のサブドライバ部は、前記第１の信号および前記第２の信号に基づいて動作し、
前記第２のサブドライバ部は、前記第３の信号および前記第４の信号に基づいて動作する
請求項２に記載の送信装置。
【請求項１５】
前記マルチプレクサ部は、
前記第１のシリアル信号および前記第３のシリアル信号のうちの前記第１のシリアル信号に基づいて前記第１の信号を生成している場合には、前記第１のシリアル信号の反転信号および前記第３のシリアル信号の反転信号のうちの前記第１のシリアル信号の反転信号に基づいて前記第２の信号を生成し、前記第１の選択信号および前記第２の選択信号のうちの前記第１の選択信号に基づいて前記第３の信号を生成し、前記第３の選択信号および前記第４の選択信号のうちの前記第３の選択信号に基づいて前記第４の信号を生成し、
前記第１のシリアル信号および前記第３のシリアル信号のうちの前記第３のシリアル信号に基づいて前記第１の信号を生成している場合には、前記第１のシリアル信号の反転信号および前記第３のシリアル信号の反転信号のうちの前記第３のシリアル信号の反転信号に基づいて前記第２の信号を生成し、前記第１の選択信号および前記第２の選択信号のうちの前記第２の選択信号に基づいて前記第３の信号を生成し、前記第３の選択信号および前記第４の選択信号のうちの前記第４の選択信号に基づいて前記第４の信号を生成する
請求項１４に記載の送信装置。
【請求項１６】
前記マルチプレクサ部は、さらに、前記第１のシリアル信号の反転信号および前記第２のシリアル信号のうちの前記第２の選択動作により選択された信号と、前記第３のシリアル信号の反転信号および前記第４のシリアル信号のうちの前記第２の選択動作により選択された信号とに基づいて、第５の信号を生成し、前記第２のシリアル信号の反転信号および前記第１のシリアル信号のうちの前記第２の選択動作により選択された信号と、前記第４のシリアル信号の反転信号および前記第３のシリアル信号のうちの前記第２の選択動作により選択された信号とに基づいて、第６の信号を生成し、前記第２のシリアル信号および前記第４のシリアル信号に基づいて第７の信号を生成し、前記第２のシリアル信号の反転信号および前記第４のシリアル信号の反転信号に基づいて第８の信号を生成し、
前記第３のサブドライバ部は、前記第５の信号および前記第６の信号に基づいて動作し、
前記第４のサブドライバ部は、前記第７の信号および前記第８の信号に基づいて動作する
請求項１４に記載の送信装置。
【請求項１７】
第３の制御信号に基づいて動作する第７のサブドライバ部と、前記第３の制御信号および第４の制御信号のうちの第３の選択動作により選択された信号に基づいて動作する第８のサブドライバ部とを有し、第３の出力端子における電圧を設定可能に構成された第３のドライバをさらに備え、
前記制御部は、前記第３の選択動作をも制御する
請求項２に記載の送信装置。
【請求項１８】
前記送信装置は、単相信号を用いて通信を行う第１の動作モードと、差動信号を用いて通信を行う第２の動作モードと、第１の電圧レベルと、第２の電圧レベルと、前記第１の電圧レベルおよび前記第２の電圧レベルの間の第３の電圧レベルとを含む３つの電圧レベルを有する信号を用いて通信を行う第３の動作モードを有し、
前記制御部は、
前記第１の動作モードおよび前記第３の動作モードでは、前記第１の選択動作において前記第１の制御信号を選択し、前記第２の選択動作において前記第２の制御信号を選択し、前記第３の選択動作において前記第３の制御信号を選択し、
前記第２の動作モードでは、前記第１の選択動作において前記第２の制御信号を選択し、前記第２の選択動作において前記第１の制御信号を選択し、前記第３の選択動作において前記第４の制御信号を選択する
請求項１７に記載の送信装置。
【請求項１９】
前記第１のサブドライバ部は、第１の電源から前記第１の出力端子への経路上に設けられた第１のスイッチと、第２の電源から前記第１の出力端子への経路上に設けられた第２のスイッチとを有し、
前記第２のサブドライバ部は、前記第１の電源から前記第１の出力端子への経路上に設けられた第３のスイッチと、前記第２の電源から前記第１の出力端子への経路上に設けられた第４のスイッチとを有し、
前記第１のドライバは、前記第３の動作モードにおいて、前記第１のスイッチ、前記第２のスイッチ、前記第３のスイッチ、および前記第４のスイッチをともにオフ状態にすることにより、前記第１の出力端子の電圧を前記第３の電圧レベルに設定する
請求項１８に記載の送信装置。
【請求項２０】
前記第１のサブドライバ部は、第１の電源から前記第１の出力端子への経路上に設けられた第１のスイッチと、第２の電源から前記第１の出力端子への経路上に設けられた第２のスイッチとを有し、
前記第２のサブドライバ部は、前記第１の電源から前記第１の出力端子への経路上に設けられた第３のスイッチと、前記第２の電源から前記第１の出力端子への経路上に設けられた第４のスイッチとを有し、
前記第１のドライバは、前記第３の動作モードにおいて、前記第１のスイッチおよび前記第３のスイッチのうちの一方をオン状態にするとともに他方をオフ状態にし、前記第２のスイッチおよび前記第４のスイッチのうちの一方をオン状態にするとともに他方をオフ状態にすることにより、前記第１の出力端子の電圧を前記第３の電圧レベルに設定する
請求項１８に記載の送信装置。
【請求項２１】
第１の信号、第２の信号、第３の信号、第４の信号、第５の信号、第６の信号、第７の信号、および第８の信号を生成するマルチプレクサ部をさらに備え、
前記第１の制御信号は、前記第１の信号および前記第２の信号を含み、
前記第２の制御信号は、前記第３の信号および前記第４の信号を含み、
前記第３の制御信号は、前記第５の信号および前記第６の信号を含み、
前記第４の制御信号は、前記第７の信号および前記第８の信号を含む
請求項１８に記載の送信装置。
【請求項２２】
前記第１のドライバは、前記第３の動作モードにおいて、
前記第１の信号および前記第２の信号が互いに異なる場合には、前記第１の出力端子の電圧を前記第１の電圧レベルまたは前記第２の電圧レベルに選択的に設定し、
前記第１の信号および前記第２の信号が互いに等しい場合には、前記第１の出力端子の電圧を前記第３の電圧レベルに設定する
請求項２１に記載の送信装置。
【請求項２３】
第１のシリアル信号および第２のシリアル信号を含む８つのシリアル信号を生成するシリアライザ部と、
前記第１の動作モードおよび前記第２の動作モードにおいて、前記第１のシリアル信号に基づいて、第１のエンコード信号および第２のエンコード信号を生成するとともに、前記第２のシリアル信号に基づいて第３のエンコード信号および第４のエンコード信号を生成するエンコーダ部と
をさらに備え、
前記マルチプレクサ部は、前記第１のエンコード信号および前記第３のエンコード信号に基づいて前記第１の信号を生成するとともに、前記第２のエンコード信号および前記第４のエンコード信号に基づいて前記第２の信号を生成する
請求項２１に記載の送信装置。
【請求項２４】
前記エンコーダ部は、前記第３の動作モードにおいて、前記８つのシリアル信号のうちの、前記第１のシリアル信号を含む２つの信号に基づいて、前記第１のエンコード信号および前記第２のエンコード信号を生成するとともに、前記８つのシリアル信号の、前記第２のシリアル信号を含む２つの信号に基づいて、前記第３のエンコード信号および前記第４のエンコード信号を生成する
請求項２３に記載の送信装置。
【請求項２５】
前記マルチプレクサ部は、
前記第１のエンコード信号および前記第３のエンコード信号のうちの前記第１のエンコード信号に基づいて前記第１の信号を生成している場合には、前記第２のエンコード信号および前記第４のエンコード信号のうちの前記第２のエンコード信号に基づいて前記第２の信号を生成し、
前記第１のエンコード信号および前記第３のエンコード信号のうちの前記第３のエンコード信号に基づいて前記第１の信号を生成している場合には、前記第２のエンコード信号および前記第４のエンコード信号のうちの前記第４のエンコード信号に基づいて前記第２の信号を生成する
請求項２３に記載の送信装置。
【請求項２６】
前記第１のシリアル信号は、第１のサブ信号および第２のサブ信号を含み、
前記第２のシリアル信号は、第３のサブ信号および第４のサブ信号を含み、
前記エンコーダ部は、前記第１のサブ信号および前記第２のサブ信号に基づいて、前記第１のエンコード信号および前記第２のエンコード信号を生成するとともに、前記第３のサブ信号および前記第４のサブ信号に基づいて、前記第３のエンコード信号および前記第４のエンコード信号を生成する
請求項２３に記載の送信装置。
【請求項２７】
前記シリアライザ部は、第１のパラレル信号および第２のパラレル信号に基づいて前記第１のサブ信号および前記第２のサブ信号を生成し、
前記第１の動作モードおよび前記第２の動作モードにおいて、前記第１のパラレル信号および前記第２のパラレル信号は差動パラレル信号を構成し、前記第１のサブ信号および前記第２のサブ信号は差動信号を構成し、
前記シリアライザ部は、前記第１の動作モードおよび前記第２の動作モードにおいて、前記差動パラレル信号に含まれる各ビットデータを順次選択することにより、前記第１のサブ信号および前記第２のサブ信号を生成する
請求項２６に記載の送信装置。
【請求項２８】
前記第３の動作モードにおいて、前記第１のパラレル信号および前記第２のパラレル信号は個別の信号であり、
前記シリアライザ部は、前記第３の動作モードにおいて、前記第１のパラレル信号に含まれる第１のビットデータと、および前記第２のパラレル信号に含まれる第２のビットデータとをともに選択し、
前記第１のビットデータおよび前記第２のビットデータが互いに異なる場合には、前記第１のビットデータおよび前記第２のビットデータに基づいて、互いに反転した前記第１のサブ信号および前記第２のサブ信号を生成し、
前記第１のビットデータおよび前記第２のビットデータが互いに等しい場合には、互いに等しい所定の信号レベルを有する前記第１のサブ信号および前記第２のサブ信号を生成する
請求項２７に記載の送信装置。
【請求項２９】
第１のエンコード信号、第２のエンコード信号、第３のエンコード信号、第４のエンコード信号、第５のエンコード信号、第６のエンコード信号、第７のエンコード信号、および第８のエンコード信号を生成するエンコーダ部をさらに備え、
前記第１の制御信号は、前記第１のエンコード信号および前記第２のエンコード信号を含み、
前記第２の制御信号は、前記第３のエンコード信号および前記第４のエンコード信号を含み、
前記第３の制御信号は、前記第５のエンコード信号および前記第６のエンコード信号を含み、
前記第４の制御信号は、前記第７のエンコード信号および前記第８のエンコード信号を含む
請求項１８に記載の送信装置。
【請求項３０】
第１の信号および第２の信号を含む８つの信号を生成するマルチプレクサ部をさらに備え、
前記エンコーダ部は、
前記第１の動作モードおよび前記第２の動作モードにおいて、前記第１の信号に基づいて前記第１のエンコード信号を生成するとともに、前記第２の信号に基づいて前記第２のエンコード信号を生成し、
前記第３の動作モードにおいて、前記８つの信号のうちの前記第１の信号を含む２つの信号に基づいて、前記第１のエンコード信号を生成するとともに、前記８つの信号のうちの前記第２の信号を含む２つの信号に基づいて、前記第２のエンコード信号を生成する
請求項２９に記載の送信装置。
【請求項３１】
第１の信号および第２の信号を含む８つの信号を生成するマルチプレクサ部をさらに備え、
前記エンコーダ部は、前記第１の信号および前記第２の信号に基づいて、前記第１のエンコード信号および前記第２のエンコード信号を生成する
請求項２９に記載の送信装置。
【請求項３２】
第１のシリアル信号および第２のシリアル信号を含む８つのシリアル信号を生成するシリアライザ部をさらに備え、
前記第１のシリアル信号は、第１のサブ信号および第２のサブ信号を含み、
前記第２のシリアル信号は、第３のサブ信号および第４のサブ信号を含み、
前記マルチプレクサ部は、前記第１のサブ信号および前記第３のサブ信号に基づいて前記第１の信号を生成するとともに、前記第２のサブ信号および前記第４のサブ信号に基づいて前記第２の信号を生成する
請求項３１に記載の送信装置。
【請求項３３】
第１の制御信号および第２の制御信号を準備し、
前記第１の制御信号に基づいて第１のサブドライバ部を動作させるとともに、前記第１の制御信号および前記第２の制御信号のうちの第１の選択動作により選択された信号に基づいて第２のサブドライバ部を動作させることにより、第１の出力端子における電圧を設定する
送信方法。
【請求項３４】
送信装置と、
受信装置と
を備え、
前記送信装置は、
第１の制御信号に基づいて動作する第１のサブドライバ部と、前記第１の制御信号および第２の制御信号のうちの第１の選択動作により選択された信号に基づいて動作する第２のサブドライバ部とを有し、第１の出力端子における電圧を設定可能に構成された第１のドライバと、
前記第１の選択動作を制御する制御部と
を含む
通信システム。
【発明の詳細な説明】
【技術分野】
【０００１】
本開示は、信号を送信する送信装置、そのような送信装置において用いられる送信方法、およびそのような送信装置を備えた通信システムに関する。
【背景技術】
【０００２】
近年の電子機器の高機能化および多機能化に伴い、電子機器には、半導体チップ、センサ、表示デバイスなどの様々なデバイスが搭載される。これらのデバイス間では、多くのデータのやり取りが行われ、そのデータ量は、電子機器の高機能化および多機能化に応じて多くなってきている。そこで、しばしば、例えば数Ｇｂｐｓでデータを送受信可能な高速インタフェースを用いて、データのやりとりが行われる。【０００３】
このような通信システムでは、しばしば、単相信号や、差動信号を用いて、データのやり取りが行われる。また、複数の電圧レベルを有する信号を用いてデータのやり取りを行う通信システムもある。例えば、特許文献１，２には、３つの電圧レベルを利用してデータのやりとりを行う通信システムが開示されている。
【先行技術文献】
【特許文献】
【０００４】
【特許文献１】特表２０１１−５１７１５９号公報
【特許文献２】特表２０１０−５２０７１５号公報
【発明の概要】
【０００５】
ところで、電子機器には、しばしば、様々なベンダーから供給されたデバイスが搭載される。そのようなデバイスは、互いに異なるインタフェースを有することがある。よって、このようなデバイスとデータのやりとりを行うデバイスは、様々なインタフェースを実現することができることが望まれる。
【０００６】
様々なインタフェースを実現することができる送信装置、送信方法、および通信システムを提供することが望ましい。
【０００７】
本開示の一実施の形態における送信装置は、第１のドライバと、制御部とを備えている。第１のドライバは、第１の制御信号に基づいて動作する第１のサブドライバ部と、第１の制御信号および第２の制御信号のうちの第１の選択動作により選択された信号に基づいて動作する第２のサブドライバ部とを有し、第１の出力端子における電圧を設定可能に構成されたものである。制御部は、第１の選択動作を制御するものである。
【０００８】
本開示の一実施の形態における送信方法は、第１の制御信号および第２の制御信号を準備し、第１の制御信号に基づいて第１のサブドライバ部を動作させるとともに、第１の制御信号および第２の制御信号のうちの第１の選択動作により選択された信号に基づいて第２のサブドライバ部を動作させることにより、第１の出力端子における電圧を設定する送信方法。
【０００９】
本開示の一実施の形態における通信システムは、送信装置と、受信装置とを備えている。送信装置は、第１のドライバと、制御部とを含んでいる。第１のドライバは、第１の制御信号に基づいて動作する第１のサブドライバ部と、第１の制御信号および第２の制御信号のうちの第１の選択動作により選択された信号に基づいて動作する第２のサブドライバ部とを有し、第１の出力端子における電圧を設定可能に構成されたものである。制御部は、第１の選択動作を制御するものである。
【００１０】
本開示の一実施の形態における送信装置、送信方法、および通信システムでは、第１の制御信号および第２の制御信号のうちの一方が第１の選択動作により選択される。そして、第１の制御信号に基づいて第１のサブドライバ部が動作し、第１の制御信号および第２の制御信号のうちの第１の選択動作により選択された信号に基づいて第２のサブドライバ部が動作することにより、第１の出力端子における電圧が設定される。
【００１１】
本開示の一実施の形態における送信装置、送信方法、および通信システムによれば、第１のサブドライバ部が第１の制御信号に基づいて動作し、第２のサブドライバ部が、第１の制御信号および第２の制御信号のうちの第１の選択動作により選択された信号に基づいて動作するようにしたので、様々なインタフェースを実現することができる。なお、ここに記載された効果は必ずしも限定されるものではなく、本開示中に記載されたいずれの効果があってもよい。
【図面の簡単な説明】
【００１２】
【図１Ａ】本開示の第１の実施の形態に係る送信装置を適用した通信システムの一構成例を表すブロック図である。
【図１Ｂ】第１の実施の形態に係る送信装置を適用した他の通信システムの一構成例を表すブロック図である。
【図２】第１の実施の形態に係る送信部の一構成例を表すブロック図である。
【図３】図２に示したシリアライザの一構成例を表す回路図である。
【図４】図２に示したシリアライザの一動作例を表すタイミング波形図である。
【図５】図２に示したシリアライザの一動作例を表す他のタイミング波形図である。
【図６】図２に示したマルチプレクサの一動作例を表すタイミング波形図である。
【図７】図２に示したマルチプレクサの他の動作例を表すタイミング波形図である。
【図８】図２に示したドライバの一構成例を表す回路図である。
【図９】図１Ａに示した受信部の一構成例を表す回路図である。
【図１０】図１Ｂに示した受信部の一構成例を表す回路図である。
【図１１】図２に示した送信部の一動作例を表す説明図である。
【図１２】図２に示した送信部の他の動作例を表す説明図である。
【図１３】図２に示した送信部の他の動作例を表す説明図である。
【図１４】図２に示した送信部の他の動作例を表す説明図である。
【図１５】図２に示した送信部の他の動作例を表す説明図である。
【図１６】図２に示した送信部の一動作例を表すタイミング波形図である。
【図１７】比較例に係る送信部の一構成例を表すブロック図である。
【図１８】図１７に示した送信部の一動作例を表す説明図である。
【図１９】図１７に示した送信部の他の動作例を表す説明図である。
【図２０】比較例に係る他の送信部の一構成例を表すブロック図である。
【図２１】図２０に示した送信部の一動作例を表す説明図である。
【図２２】図２０に示した送信部の他の動作例を表す説明図である。
【図２３】変形例に係るシリアライザの一構成例を表す回路図である。
【図２４】他の変形例に係るシリアライザの一構成例を表す回路図である。
【図２５】図２４に示したシリアライザの一動作例を表すタイミング波形図である。
【図２６】他の変形例に係るシリアライザの一動作例を表すタイミング波形図である。
【図２７】他の変形例に係るシリアライザの一構成例を表す回路図である。
【図２８】図２７に示したシリアライザの一動作例を表すタイミング波形図である。
【図２９】他の変形例に係る送信部の一構成例を表すブロック図である。
【図３０】図２９に示したドライバの一構成例を表す回路図である。
【図３１】図２９に示した他のドライバの一構成例を表す回路図である。
【図３２】図２９に示した送信部の一動作例を表す説明図である。
【図３３】図２９に示した送信部の他の動作例を表す説明図である。
【図３４】他の変形例に係る送信部の一構成例を表すブロック図である。
【図３５】図３４に示した送信部の一動作例を表す説明図である。
【図３６】図３４に示した送信部の他の動作例を表す説明図である。
【図３７Ａ】第２の実施の形態に係る送信装置を適用した通信システムの一構成例を表すブロック図である。
【図３７Ｂ】第２の実施の形態に係る送信装置を適用した他の通信システムの一構成例を表すブロック図である。
【図３７Ｃ】第２の実施の形態に係る送信装置を適用した他の通信システムの一構成例を表すブロック図である。
【図３８】図３７Ｃに示した通信システムにおいて用いられる信号の一例を表す説明図である。
【図３９】第２の実施の形態に係る送信部の一構成例を表すブロック図である。
【図４０Ａ】図３９に示した送信回路部の一構成例を表すブロック図である。
【図４０Ｂ】図３９に示した他の送信回路部の一構成例を表すブロック図である。
【図４１】図４０Ａ，４０Ｂに示した送信回路部における信号経路の一例を表す説明図である。
【図４２】図４０Ａ，４０Ｂに示したエンコーダの一構成例を表す回路図である。
【図４３】図４２に示したエンコーダの一動作例を表す真理値表である。
【図４４】他のエンコーダの一構成例を表す回路図である。
【図４５】図３７Ｃに示した受信部の一構成例を表す回路図である。
【図４６】図４５に示した受信部の一動作例を表す説明図である。
【図４７Ａ】図４０Ａに示した送信回路部の一動作例を表す説明図である。
【図４７Ｂ】図４０Ｂに示した他の送信回路部の一動作例を表す説明図である。
【図４８】図４０Ａ，４０Ｂに示した送信回路部の一動作例を表す表である。
【図４９Ａ】図４０Ａに示した送信回路部の他の動作例を表す説明図である。
【図４９Ｂ】図４０Ｂに示した他の送信回路部の他の動作例を表す説明図である。
【図５０Ａ】変形例に係る送信回路部の一構成例を表すブロック図である。
【図５０Ｂ】変形例に係る他の送信回路部の一構成例を表すブロック図である。
【図５１】図５０Ａ，５０Ｂに示した送信回路部における信号経路の一例を表す説明図である。
【図５２】図５０Ａ，５０Ｂに示したエンコーダの一構成例を表す回路図である。
【図５３】図５２に示したエンコーダの一動作例を表す真理値表である。
【図５４】他のエンコーダの一構成例を表す回路図である。
【図５５】他の変形例に係る送信部の一構成例を表すブロック図である。
【図５６Ａ】図５５に示した送信回路部の一構成例を表すブロック図である。
【図５６Ｂ】図５５に示した他の送信回路部の一構成例を表すブロック図である。
【図５７】図５６Ａ，５６Ｂに示したシリアライザの一構成例を表す回路図である。
【図５８】図５６Ａ，５６Ｂに示した送信回路部における信号経路の一例を表す説明図である。
【図５９Ａ】他の変形例に係る送信回路部の一構成例を表すブロック図である。
【図５９Ｂ】他の変形例に係る他の送信回路部の一構成例を表すブロック図である。
【図６０Ａ】第３の実施の形態に係る送信回路部の一構成例を表すブロック図である。
【図６０Ｂ】第３の実施の形態に係る他の送信回路部の一構成例を表すブロック図である。
【図６１】図６０Ａ，６０Ｂに示したドライバの一構成例を表す回路図である。
【図６２】図６０Ａに示した送信回路部の一動作例を表す説明図である。
【図６３】図６０Ａに示した送信回路部の他の動作例を表す説明図である。
【図６４Ａ】図６０Ａに示した送信回路部の他の動作例を表す説明図である。
【図６４Ｂ】図６０Ｂに示した送信回路部の他の動作例を表す説明図である。
【図６５Ａ】変形例に係る送信回路部の一構成例を表すブロック図である。
【図６５Ｂ】変形例に係る他の送信回路部の一構成例を表すブロック図である。
【図６６】図６５Ａに示した送信回路部の一動作例を表す説明図である。
【図６７】図６５Ａに示した送信回路部の他の動作例を表す説明図である。
【図６８Ａ】図６５Ａに示した送信回路部の他の動作例を表す説明図である。
【図６８Ｂ】図６５Ｂに示した送信回路部の他の動作例を表す説明図である。
【図６９Ａ】他の変形例に係る送信回路部の一構成例を表すブロック図である。
【図６９Ｂ】他の変形例に係る他の送信回路部の一構成例を表すブロック図である。
【図７０Ａ】他の変形例に係る送信回路部の一構成例を表すブロック図である。
【図７０Ｂ】他の変形例に係る他の送信回路部の一構成例を表すブロック図である。
【図７１Ａ】他の変形例に係る送信回路部の一構成例を表すブロック図である。
【図７１Ｂ】他の変形例に係る他の送信回路部の一構成例を表すブロック図である。
【図７２】実施の形態に係る送信装置が適用されたスマートフォンの外観構成を表す斜視図である。
【図７３】実施の形態に係る送信装置が適用されたアプリケーションプロセッサの一構成例を表すブロック図である。
【図７４】実施の形態に係る送信装置が適用されたイメージセンサの一構成例を表すブロック図である。
【図７５】一実施の形態に係る通信システムが適用された車両制御システムの一構成例を表すブロック図である。
【発明を実施するための形態】
【００１３】
以下、本開示の実施の形態について、図面を参照して詳細に説明する。なお、説明は以下の順序で行う。
１．第１の実施の形態
２．第２の実施の形態
３．第３の実施の形態
４．適用例
【００１４】
＜１．第１の実施の形態＞
［構成例］
図１Ａ，１Ｂは、第１の実施の形態に係る送信装置（送信装置１０）が適用された通信システムの一構成例を表すものであり、図１Ａは通信システム１Ａを示し、図１Ｂは通信システム１Ｂを示す。通信システム１Ａは、単相信号を用いて通信を行うものであり、通信システム１Ｂは、差動信号を用いて通信を行うものである。
【００１５】
通信システム１Ａは、図１Ａに示したように、送信装置１０と、受信装置３０とを備えている。送信装置１０は、２つの出力端子Ｔout１，Ｔout２を有し、受信装置３０は、２つの入力端子Ｔin１，Ｔin２を有している。送信装置１０の出力端子Ｔout１および受信装置３０の入力端子Ｔin１は、線路１０１を介して互いに接続され、送信装置１０の出力端子Ｔout２および受信装置３０の入力端子Ｔin２は、線路１０２を介して互いに接続されている。線路１０１，１０２の特性インピーダンスは、この例では約５０［Ω］である。送信装置１０は、線路１０１を用いて信号ＳＩＧ１を送信し、線路１０２を用いて信号ＳＩＧ２を送信する。信号ＳＩＧ１，ＳＩＧ２は、それぞれ単相信号である。
【００１６】
通信システム１Ｂは、図１Ｂに示したように、送信装置１０と、受信装置４０とを備えている。受信装置４０は、２つの入力端子ＴinＰ，ＴinＮを有している。送信装置１０の出力端子Ｔout１および受信装置４０の入力端子ＴinＰは、線路１１１を介して互いに接続され、送信装置１０の出力端子Ｔout２および受信装置４０の入力端子ＴinＮは、線路１１２を介して互いに接続されている。線路１１１，１１２の特性インピーダンスは、この例では約５０［Ω］である。送信装置１０は、線路１１１を用いて信号ＳＩＧＰを送信し、線路１１２を用いて信号ＳＩＧＮを送信する。信号ＳＩＧＰ，ＳＩＧＮは、差動信号を構成するものである。通信システム１Ｂでは、送信装置１０は、後述するように、いわゆるエンファシス動作（プリエンファシス、デエンファシス）を行うことにより信号ＳＩＧＰ，ＳＩＧＮを送信するようになっている。
【００１７】
送信装置１０は、２つの動作モードＭＡ，ＭＢを有している。送信装置１０は、通信システム１Ａに適用される場合には、動作モードＭＡ（単相モード）で動作し、通信システム１Ｂに適用される場合には、動作モードＭＢ（差動モード）で動作するようになっている。
【００１８】
（送信装置１０）
送信装置１０は、図１Ａ，１Ｂに示したように、処理部１１と、送信部１２とを有している。
【００１９】
処理部１１は、所定の処理を行うことにより送信するデータを生成するものである。また、処理部１１は、２つの動作モードＭＡ，ＭＢのうちの１つを選択し、選択された動作モードを、モード信号Ｓmodeを用いて送信部１２に伝える。具体的には、処理部１１は、送信装置１０が通信システム１Ａに適用される場合には、動作モードＭＡ（単相モード）を選択し、モード信号Ｓmodeを用いて、送信部１２に対して、動作モードＭＡで動作すべきことを指示する。また、送信部１２は、送信装置１０が通信システム１Ｂに適用される場合には、動作モードＭＢ（差動モード）を選択し、モード信号Ｓmodeを用いて、送信部１２に対して、動作モードＭＢで動作すべきことを指示するようになっている。
【００２０】
送信部１２は、モード信号Ｓmodeに基づいて、処理部１１が生成したデータを送信するものである。具体的には、送信部１２は、モード信号Ｓmodeが示す動作モードが動作モードＭＡ（単相モード）である場合には、処理部１１が生成したデータを信号ＳＩＧ１，ＳＩＧ２を用いて送信する。また、送信部１２は、モード信号Ｓmodeが示す動作モードが動作モードＭＢである場合には、処理部１１が生成したデータを信号ＳＩＧＰ，ＳＩＧＮを用いて送信するようになっている。
【００２１】
図２は、送信部１２の一構成例を表すものである。送信部１２は、４つのシリアライザ２１（シリアライザ２１Ａ，２１Ｂ，２１Ｃ，２１Ｄ）と、４つのマルチプレクサ（ＭＵＸ）２２（マルチプレクサ２２Ａ，２２Ｂ，２２Ｃ，２２Ｄ）と、４つのセレクタ（ＳＥＬ）２３（セレクタ２３Ａ，２３Ｂ，２３Ｃ，２３Ｄ）と、２つのドライバ２４（ドライバ２４Ａ，２４Ｂ）と、制御部２５とを有している。
【００２２】
シリアライザ２１Ａは、クロック信号Ｐ０，Ｐ２，Ｐ４，Ｐ６に基づいて、信号ＤＩ１０，ＤＩ１２，ＤＩ１４，ＤＩ１６をシリアライズすることにより、信号Ｓ２１ＡＰ，Ｓ２１ＡＮを生成するものである。信号Ｓ２１ＡＰ，Ｓ２１ＡＮは、互いに反転した信号である。同様に、シリアライザ２１Ｂは、クロック信号Ｐ０，Ｐ２，Ｐ４，Ｐ６に基づいて、信号ＤＩ２０，ＤＩ２２，ＤＩ２４，ＤＩ２６をシリアライズすることにより、信号Ｓ２１ＢＰ，Ｓ２１ＢＮを生成するものである。信号Ｓ２１ＢＰ，Ｓ２１ＢＮは、互いに反転した信号である。シリアライザ２１Ｃは、クロック信号Ｐ１，Ｐ３，Ｐ５，Ｐ７に基づいて、信号ＤＩ１１，ＤＩ１３，ＤＩ１５，ＤＩ１７をシリアライズすることにより、信号Ｓ２１ＣＰ，Ｓ２１ＣＮを生成するものである。信号Ｓ２１ＣＰ，Ｓ２１ＣＮは、互いに反転した信号である。シリアライザ２１Ｄは、クロック信号Ｐ１，Ｐ３，Ｐ５，Ｐ７に基づいて、信号ＤＩ２１，ＤＩ２３，ＤＩ２５，ＤＩ２７をシリアライズすることにより、信号Ｓ２１ＤＰ，Ｓ２１ＤＮを生成するものである。信号Ｓ２１ＤＰ，Ｓ２１ＤＮは、互いに反転した信号である。
【００２３】
動作モードＭＡ（単相モード）では、信号ＤＩ１０，ＤＩ１１，ＤＩ１２，ＤＩ１３，ＤＩ１４，ＤＩ１５，ＤＩ１６，ＤＩ１７は、信号ＳＩＧ１を用いて送信され、信号ＤＩ２０，ＤＩ２１，ＤＩ２２，ＤＩ２３，ＤＩ２４，ＤＩ２５，ＤＩ２６，ＤＩ２７は、信号ＳＩＧ２を用いて送信される。
【００２４】
また、動作モードＭＢ（差動モード）では、信号ＤＩ１０，ＤＩ１１，ＤＩ１２，ＤＩ１３，ＤＩ１４，ＤＩ１５，ＤＩ１６，ＤＩ１７は、信号ＳＩＧＰ，ＳＩＧＮを用いて送信される。また、この動作モードＭＢでは、信号ＤＩ２０，ＤＩ２１，ＤＩ２２，ＤＩ２３，ＤＩ２４，ＤＩ２５，ＤＩ２６，ＤＩ２７は、エンファシス動作を行うために用いられる。この信号ＤＩ２０〜ＤＩ２７が示すデータは、後述するように、信号ＤＩ１０〜ＤＩ１７が示すデータと１ビット分だけずれるように設定される。
【００２５】
図３は、シリアライザ２１Ａの一構成例を表すものである。なお、シリアライザ２１Ｂ，２１Ｃ，２１Ｄについても同様である。シリアライザ２１Ａは、いわゆるセレクタ型のシリアライザである。シリアライザ２１Ａは、トランジスタＭ１〜Ｍ１２を有している。トランジスタＭ１〜Ｍ１０は、ＮチャネルＭＯＳ（Metal Oxide Semiconductor）型のＦＥＴ（Field Effect Transistor）であり、トランジスタＭ１１，Ｍ１２は、ＰチャネルＭＯＳ型のＦＥＴである。信号ＤＩ１０は、互いに反転した信号ＤＩ１０Ｐ，ＤＩ１０Ｎを含んでおり、信号ＤＩ１２は、互いに反転した信号ＤＩ１２Ｐ，ＤＩ１２Ｎを含んでおり、信号ＤＩ１４は、互いに反転した信号ＤＩ１４Ｐ，ＤＩ１４Ｎを含んでおり、信号ＤＩ１６は、互いに反転した信号ＤＩ１６Ｐ，ＤＩ１６Ｎを含んでいる。
【００２６】
トランジスタＭ１のソースには信号ＤＩ１０Ｐが供給され、ゲートにはクロック信号Ｐ０が供給され、ドレインはトランジスタＭ３，Ｍ５，Ｍ７のドレインおよびトランジスタＭ９のソースに接続されている。トランジスタＭ２のソースには信号ＤＩ１０Ｎが供給され、ゲートにはクロック信号Ｐ０が供給され、ドレインはトランジスタＭ４，Ｍ６，Ｍ８のドレインおよびトランジスタＭ１０のソースに接続されている。トランジスタＭ３のソースには信号ＤＩ１２Ｐが供給され、ゲートにはクロック信号Ｐ２が供給され、ドレインはトランジスタＭ１，Ｍ５，Ｍ７のドレインおよびトランジスタＭ９のソースに接続されている。トランジスタＭ４のソースには信号ＤＩ１２Ｎが供給され、ゲートにはクロック信号Ｐ２が供給され、ドレインはトランジスタＭ２，Ｍ６，Ｍ８のドレインおよびトランジスタＭ１０のソースに接続されている。トランジスタＭ５のソースには信号ＤＩ１４Ｐが供給され、ゲートにはクロック信号Ｐ４が供給され、ドレインはトランジスタＭ１，Ｍ３，Ｍ７のドレインおよびトランジスタＭ９のソースに接続されている。トランジスタＭ６のソースには信号ＤＩ１４Ｎが供給され、ゲートにはクロック信号Ｐ４が供給され、ドレインはトランジスタＭ２，Ｍ４，Ｍ８のドレインおよびトランジスタＭ１０のソースに接続されている。トランジスタＭ７のソースには信号ＤＩ１６Ｐが供給され、ゲートにはクロック信号Ｐ６が供給され、ドレインはトランジスタＭ１，Ｍ３，Ｍ５のドレインおよびトランジスタＭ９のソースに接続されている。トランジスタＭ８のソースには信号ＤＩ１６Ｎが供給され、ゲートにはクロック信号Ｐ６が供給され、ドレインはトランジスタＭ２，Ｍ４，Ｍ６のドレインおよびトランジスタＭ１０のソースに接続されている。トランジスタＭ９のソースはトランジスタＭ１，Ｍ３，Ｍ５，Ｍ７のドレインに接続され、ゲートには電源電圧ＶＤＤが供給され、ドレインはトランジスタＭ１１のドレインおよびトランジスタＭ１２のゲートに接続されている。トランジスタＭ１０のソースはトランジスタＭ２，Ｍ４，Ｍ６，Ｍ８のドレインに接続され、ゲートには電源電圧ＶＤＤが供給され、ドレインはトランジスタＭ１２のドレインおよびトランジスタＭ１１のゲートに接続されている。トランジスタＭ１１のソースには電源電圧ＶＤＤが供給され、ゲートはトランジスタＭ１０，Ｍ１２のドレインに接続され、ドレインはトランジスタＭ９のドレインおよびトランジスタＭ１２のゲートに接続されている。トランジスタＭ１２のソースには電源電圧ＶＤＤが供給され、ゲートはトランジスタＭ９，Ｍ１１のドレインに接続され、ドレインはトランジスタＭ１０のドレインおよびトランジスタＭ１１のゲートに接続されている。シリアライザ２１Ａは、トランジスタＭ９，Ｍ１１のドレインから信号Ｓ２１ＡＰを出力し、トランジスタＭ１０，Ｍ１２のドレインから信号Ｓ２１ＡＮを出力するようになっている。
【００２７】
図４（Ａ）〜（Ｉ）は、シリアライザ２１Ａの一動作例を表すものであり、（Ａ）〜（Ｄ）は信号ＤＩ１０，ＤＩ１２，ＤＩ１４，ＤＩ１６の波形を示し、（Ｅ）〜（Ｈ）はクロック信号Ｐ０，Ｐ２，Ｐ４，Ｐ６の波形を示し、（Ｉ）は信号Ｓ２１ＡＰ，Ｓ２１ＡＮの波形を示す。図４（Ｊ）〜（Ｒ）は、シリアライザ２１Ｃの一動作例を表すものであり、（Ｊ）〜（Ｍ）は信号ＤＩ１１，ＤＩ１３，ＤＩ１５，ＤＩ１７の波形を示し、（Ｎ）〜（Ｑ）はクロック信号Ｐ１，Ｐ３，Ｐ５，Ｐ７の波形を示し、（Ｒ）は信号Ｓ２１ＣＰ，Ｓ２１ＣＮの波形を示す。
【００２８】
この例では、タイミングｔ１１において、信号ＤＩ１０はデータ“Ｄ０（ｎ）”に設定されるとともに、信号ＤＩ１２はデータ“Ｄ２（ｎ）”に設定される（図４（Ａ），（Ｂ））。また、タイミングｔ１２において、信号ＤＩ１１はデータ“Ｄ１（ｎ）”に設定されるとともに、信号ＤＩ１３はデータ“Ｄ３（ｎ）”に設定される（図４（Ｊ），（Ｋ））。タイミングｔ１５において、信号ＤＩ１４はデータ“Ｄ４（ｎ）”に設定されるとともに、信号ＤＩ１６はデータ“Ｄ６（ｎ）”に設定される（図４（Ｃ），（Ｄ））。タイミングｔ１６において、信号ＤＩ１５はデータ“Ｄ５（ｎ）”に設定されるとともに、信号ＤＩ１７はデータ“Ｄ７（ｎ）”に設定される（図４（Ｌ），（Ｍ））。
【００２９】
クロック信号Ｐ０は、タイミングｔ１３において低レベルから高レベルに遷移し、タイミングｔ１５において、高レベルから低レベルに遷移する（図４（Ｅ））。これにより、シリアライザ２１Ａは、タイミングｔ１３〜ｔ１５の期間において、信号ＤＩ１０（データ“Ｄ０（ｎ）”）を選択し、信号Ｓ２１ＡＰ，Ｓ２１ＡＮとして出力する（図４（Ｉ））。クロック信号Ｐ２は、タイミングｔ１５において低レベルから高レベルに遷移し、タイミングｔ１７において、高レベルから低レベルに遷移する（図４（Ｆ））。これにより、シリアライザ２１Ａは、タイミングｔ１５〜ｔ１７の期間において、信号ＤＩ１２（データ“Ｄ２（ｎ）”）を選択し、信号Ｓ２１ＡＰ，Ｓ２１ＡＮとして出力する（図４（Ｉ））。クロック信号Ｐ４は、タイミングｔ１７において低レベルから高レベルに遷移し、タイミングｔ１９において、高レベルから低レベルに遷移する（図４（Ｇ））。これにより、シリアライザ２１Ａは、タイミングｔ１７〜ｔ１９の期間において、信号ＤＩ１４（データ“Ｄ４（ｎ）”）を選択し、信号Ｓ２１ＡＰ，Ｓ２１ＡＮとして出力する（図４（Ｉ））。クロック信号Ｐ６は、タイミングｔ１９において低レベルから高レベルに遷移し、タイミングｔ２１において、高レベルから低レベルに遷移する（図４（Ｈ））。これにより、シリアライザ２１Ａは、タイミングｔ１９〜ｔ２１の期間において、信号ＤＩ１６（データ“Ｄ６（ｎ）”）を選択し、信号Ｓ２１ＡＰ，Ｓ２１ＡＮとして出力する（図４（Ｉ））。
【００３０】
クロック信号Ｐ１は、タイミングｔ１４において低レベルから高レベルに遷移し、タイミングｔ１６において、高レベルから低レベルに遷移する（図４（Ｎ））。これにより、シリアライザ２１Ｃは、タイミングｔ１４〜ｔ１６の期間において、信号ＤＩ１１（データ“Ｄ１（ｎ）”）を選択し、信号Ｓ２１ＣＰ，Ｓ２１ＣＮとして出力する（図４（Ｒ））。クロック信号Ｐ３は、タイミングｔ１６において低レベルから高レベルに遷移し、タイミングｔ１８において、高レベルから低レベルに遷移する（図４（Ｏ））。これにより、シリアライザ２１Ｃは、タイミングｔ１６〜ｔ１８の期間において、信号ＤＩ１３（データ“Ｄ３（ｎ）”）を選択し、信号Ｓ２１ＣＰ，Ｓ２１ＣＮとして出力する（図４（Ｒ））。クロック信号Ｐ５は、タイミングｔ１８において低レベルから高レベルに遷移し、タイミングｔ２０において、高レベルから低レベルに遷移する（図４（Ｐ））。これにより、シリアライザ２１Ｃは、タイミングｔ１８〜ｔ２０の期間において、信号ＤＩ１５（データ“Ｄ５（ｎ）”）を選択し、信号Ｓ２１ＣＰ，Ｓ２１ＣＮとして出力する（図４（Ｒ））。クロック信号Ｐ７は、タイミングｔ２０において低レベルから高レベルに遷移し、タイミングｔ２２において、高レベルから低レベルに遷移する（図４（Ｑ））。これにより、シリアライザ２１Ｃは、タイミングｔ２０〜ｔ２２の期間において、信号ＤＩ１７（データ“Ｄ７（ｎ）”）を選択し、信号Ｓ２１ＣＰ，Ｓ２１ＣＮとして出力する（図４（Ｒ））。
【００３１】
このようにして、シリアライザ２１Ａは、信号ＤＩ１０，ＤＩ１２，ＤＩ１４，ＤＩ１６をシリアライズすることにより、データ“Ｄ０（ｎ）”，“Ｄ２（ｎ）”，“Ｄ４（ｎ）”，“Ｄ６（ｎ）”をこの順に出力し（図４（Ｉ））、シリアライザ２１Ｃは、信号ＤＩ１１，ＤＩ１３，ＤＩ１５，ＤＩ１７をシリアライズすることにより、データ“Ｄ１（ｎ）”，“Ｄ３（ｎ）”，“Ｄ５（ｎ）”，“Ｄ７（ｎ）”をこの順に出力する（図４（Ｒ））。同様に、シリアライザ２１Ｂは、信号ＤＩ２０，ＤＩ２２，ＤＩ２４，ＤＩ２６をシリアライズし、シリアライザ２１Ｄは、信号ＤＩ２１，ＤＩ２３，ＤＩ２５，ＤＩ２７をシリアライズする。
【００３２】
動作モードＭＢ（差動モード）では、信号ＤＩ２０〜ＤＩ２７が示すデータは、エンファシス動作のため、以下に示すように、信号ＤＩ１０〜ＤＩ１７が示すデータと１ビット分だけずれるように設定される。
【００３３】
図５（Ａ）〜（Ｉ）は、動作モードＭＢにおけるシリアライザ２１Ｂの一動作例を表すものであり、図５（Ｊ）〜（Ｒ）は、動作モードＭＢにおけるシリアライザ２１Ｄの一動作例を表すものである。
【００３４】
この例では、タイミングｔ１１において、信号ＤＩ２０はデータ“Ｄ７（ｎ−１）”に設定されるとともに、信号ＤＩ２２はデータ“Ｄ１（ｎ）”に設定される（図５（Ａ），（Ｂ））。ここで、データ“Ｄ７（ｎ−１）”は、データ“Ｄ０（ｎ）”〜“Ｄ７（ｎ）”の一つ前のデータ“Ｄ０（ｎ−１）”〜“Ｄ７（ｎ−１）”に含まれるものである。また、タイミングｔ１２において、信号ＤＩ２１はデータ“Ｄ０（ｎ）”に設定されるとともに、信号ＤＩ２３はデータ“Ｄ２（ｎ）”に設定される（図５（Ｊ），（Ｋ））。タイミングｔ１５において、信号ＤＩ２４はデータ“Ｄ３（ｎ）”に設定されるとともに、信号ＤＩ２６はデータ“Ｄ５（ｎ）”に設定される（図５（Ｃ），（Ｄ））。タイミングｔ１６において、信号ＤＩ２５はデータ“Ｄ４（ｎ）”に設定されるとともに、信号ＤＩ２７はデータ“Ｄ６（ｎ）”に設定される（図５（Ｌ），（Ｍ））。
【００３５】
これにより、シリアライザ２１Ｂは、信号ＤＩ２０，ＤＩ２２，ＤＩ２４，ＤＩ２６をシリアライズすることにより、データ“Ｄ７（ｎ−１）”，“Ｄ１（ｎ）”，“Ｄ３（ｎ）”，“Ｄ５（ｎ）”をこの順に出力し（図５（Ｉ））、シリアライザ２１Ｄは、信号ＤＩ２１，ＤＩ２３，ＤＩ２５，ＤＩ２７をシリアライズすることにより、“Ｄ０（ｎ）”，“Ｄ２（ｎ）”，“Ｄ４（ｎ）”，“Ｄ６（ｎ）”をこの順に出力するようになっている（図５（Ｒ））。
【００３６】
マルチプレクサ２２Ａ（図２）は、クロック信号ＣＬＫに基づいて、信号Ｓ２１ＡＰ，Ｓ２１ＣＰのうちの一方を交互に選択し、選択された信号を信号Ｓ２２Ａとして出力するものである。マルチプレクサ２２Ｂは、クロック信号ＣＬＫに基づいて、信号Ｓ２１ＡＮ，Ｓ２１ＣＮのうちの一方を交互に選択し、選択された信号を信号Ｓ２２Ｂとして出力するものである。マルチプレクサ２２Ｃは、クロック信号ＣＬＫに基づいて、信号Ｓ２１ＢＰ，Ｓ２１ＤＰのうちの一方を交互に選択し、選択された信号を信号Ｓ２２Ｃとして出力するものである。マルチプレクサ２２Ｄは、クロック信号ＣＬＫに基づいて、信号Ｓ２１ＢＮ，Ｓ２１ＤＮのうちの一方を交互に選択し、選択された信号を信号Ｓ２２Ｄとして出力するものである。
【００３７】
図６は、マルチプレクサ２２Ａの一動作例を表すものであり、（Ａ）は信号Ｓ２１ＡＰの波形を示し、（Ｂ）は信号Ｓ２１ＣＰの波形を示し、（Ｃ）はクロック信号ＣＬＫの波形を示し、（Ｄ）は信号Ｓ２２Ａの波形を示す。
【００３８】
信号Ｓ２１ＡＰは、タイミングｔ１３〜ｔ１５の期間においてデータ“Ｄ０（ｎ）”に設定され、タイミングｔ１５〜ｔ１７の期間においてデータ“Ｄ２（ｎ）”に設定され、タイミングｔ１７〜ｔ１９の期間においてデータ“Ｄ４（ｎ）”に設定され、タイミングｔ１９〜ｔ２１の期間においてデータ“Ｄ６（ｎ）”に設定される（図６（Ａ））。また、信号Ｓ２１ＣＰは、タイミングｔ１４〜ｔ１６の期間においてデータ“Ｄ１（ｎ）”に設定され、タイミングｔ１６〜ｔ１８の期間においてデータ“Ｄ３（ｎ）”に設定され、タイミングｔ１８〜ｔ２０の期間においてデータ“Ｄ５（ｎ）”に設定され、タイミングｔ２０〜ｔ２２の期間においてデータ“Ｄ７（ｎ）”に設定される（図６（Ｂ））。
【００３９】
マルチプレクサ２２Ａは、クロック信号ＣＬＫが高レベルである期間において信号Ｓ２１ＡＰを選択し、クロック信号ＣＬＫが低レベルである期間において信号Ｓ２１ＣＰを選択する。具体的には、マルチプレクサ２２Ａは、タイミングｔ３１〜ｔ３２の期間において、信号Ｓ２１ＡＰ（データ“Ｄ０（ｎ）”）を選択し、タイミングｔ３２〜ｔ３３の期間において、信号Ｓ２１ＣＰ（データ“Ｄ１（ｎ）”）を選択し、タイミングｔ３３〜ｔ３４の期間において、信号Ｓ２１ＡＰ（データ“Ｄ２（ｎ）”）を選択し、タイミングｔ３４〜ｔ３５の期間において、信号Ｓ２１ＣＰ（データ“Ｄ３（ｎ）”）を選択し、タイミングｔ３５〜ｔ３６の期間において、信号Ｓ２１ＡＰ（データ“Ｄ４（ｎ）”）を選択し、タイミングｔ３６〜ｔ３７の期間において、信号Ｓ２１ＣＰ（データ“Ｄ５（ｎ）”）を選択し、タイミングｔ３７〜ｔ３８の期間において、信号Ｓ２１ＡＰ（データ“Ｄ６（ｎ）”）を選択し、タイミングｔ３８〜ｔ３９の期間において、信号Ｓ２１ＣＰ（データ“Ｄ７（ｎ）”）を選択する。これにより、マルチプレクサ２２Ａは、図６（Ｄ）に示したように、データ“Ｄ０（ｎ）”，“Ｄ１（ｎ）”，“Ｄ２（ｎ）”，“Ｄ３（ｎ）”，“Ｄ４（ｎ）”，“Ｄ５（ｎ）”，“Ｄ６（ｎ）”，“Ｄ７（ｎ）”をこの順に出力するようになっている。
【００４０】
このように、マルチプレクサ２２Ａは、クロック信号ＣＬＫが高レベルである期間において信号Ｓ２１ＡＰを選択し、クロック信号ＣＬＫが低レベルである期間において信号Ｓ２１ＣＰを選択する。また、マルチプレクサ２２Ｂは、クロック信号ＣＬＫが高レベルである期間において信号Ｓ２１ＡＮを選択し、クロック信号ＣＬＫが低レベルである期間において信号Ｓ２１ＣＮを選択する。上述したように、信号Ｓ２１ＡＰ，Ｓ２１ＡＮは互いに反転した信号であり、信号Ｓ２１ＣＰ，Ｓ２１ＣＮは互いに反転した信号であるので、マルチプレクサ２２Ａの出力信号Ｓ２２Ａおよびマルチプレクサ２２Ｂの出力信号Ｓ２２Ｂは、互いに反転した信号になる。
【００４１】
同様に、マルチプレクサ２２Ｃは、クロック信号ＣＬＫが高レベルである期間において信号Ｓ２１ＢＰを選択し、クロック信号ＣＬＫが低レベルである期間において信号Ｓ２１ＤＰを選択する。また、マルチプレクサ２２Ｄは、クロック信号ＣＬＫが高レベルである期間において信号Ｓ２１ＢＮを選択し、クロック信号ＣＬＫが低レベルである期間において信号Ｓ２１ＤＮを選択する。上述したように、信号Ｓ２１ＢＰ，Ｓ２１ＢＮは互いに反転した信号であり、信号Ｓ２１ＤＰ，Ｓ２１ＤＮは互いに反転した信号であるので、マルチプレクサ２２Ｃの出力信号Ｓ２２Ｃおよびマルチプレクサ２２Ｄの出力信号Ｓ２２Ｄは、互いに反転した信号になる。
【００４２】
図７は、動作モードＭＢにおけるマルチプレクサ２２Ａ，２２Ｃの一動作例を表すものであり、（Ａ）は信号Ｓ２１ＡＰの波形を示し、（Ｂ）は信号Ｓ２１ＣＰの波形を示し、（Ｃ）は信号Ｓ２１ＢＰの波形を示し、（Ｄ）は信号Ｓ２１ＤＰの波形を示し、（Ｅ）はクロック信号ＣＬＫの波形を示し、（Ｆ）は信号Ｓ２２Ａの波形を示し、（Ｇ）は信号Ｓ２２Ｃの波形を示す。マルチプレクサ２２Ａの動作については、図６の場合と同様である。
【００４３】
信号Ｓ２１ＢＰは、タイミングｔ１３〜ｔ１５の期間においてデータ“Ｄ７（ｎ−１）”に設定され、タイミングｔ１５〜ｔ１７の期間においてデータ“Ｄ１（ｎ）”に設定され、タイミングｔ１７〜ｔ１９の期間においてデータ“Ｄ３（ｎ）”に設定され、タイミングｔ１９〜ｔ２１の期間においてデータ“Ｄ５（ｎ）”に設定される（図７（Ｃ））。また、信号Ｓ２１ＤＰは、タイミングｔ１４〜ｔ１６の期間においてデータ“Ｄ０（ｎ）”に設定され、タイミングｔ１６〜ｔ１８の期間においてデータ“Ｄ２（ｎ）”に設定され、タイミングｔ１８〜ｔ２０の期間においてデータ“Ｄ４（ｎ）”に設定され、タイミングｔ２０〜ｔ２２の期間においてデータ“Ｄ６（ｎ）”に設定される（図７（Ｄ））。
【００４４】
マルチプレクサ２２Ｃは、クロック信号ＣＬＫが高レベルである期間において信号Ｓ２１ＢＰを選択し、クロック信号ＣＬＫが低レベルである期間において信号Ｓ２１ＤＰを選択する。これにより、マルチプレクサ２２Ｃは、図７（Ｇ）に示したように、データ“Ｄ７（ｎ−１）”，“Ｄ０（ｎ）”，“Ｄ１（ｎ）”，“Ｄ２（ｎ）”，“Ｄ３（ｎ）”，“Ｄ４（ｎ）”，“Ｄ５（ｎ）”，“Ｄ６（ｎ）”をこの順に出力するようになっている。
【００４５】
セレクタ２３Ａ（図２）は、信号Ｓselに基づいて、動作モードが動作モードＭＡ（単相モード）である場合には信号Ｓ２２Ａを選択し、動作モードが動作モードＭＢ（差動モード）である場合には信号Ｓ２２Ｄを選択し、選択された信号を信号Ｓ２３Ａとして出力するものである。セレクタ２３Ｂは、信号Ｓselに基づいて、動作モードが動作モードＭＡである場合には信号Ｓ２２Ｂを選択し、動作モードが動作モードＭＢである場合には信号Ｓ２２Ｃを選択し、選択された信号を信号Ｓ２３Ｂとして出力するものである。セレクタ２３Ｃは、信号Ｓselに基づいて、動作モードが動作モードＭＡである場合には信号Ｓ２２Ｃを選択し、動作モードが動作モードＭＢである場合には信号Ｓ２２Ｂを選択し、選択された信号を信号Ｓ２３Ｃとして出力するものである。セレクタ２３Ｄは、信号Ｓselに基づいて、動作モードが動作モードＭＡである場合には信号Ｓ２２Ｄを選択し、動作モードが動作モードＭＢである場合には信号Ｓ２２Ａを選択し、選択された信号を信号Ｓ２３Ｄとして出力するものである。
【００４６】
ドライバ２４Ａは、信号Ｓ２２Ａ，Ｓ２２Ｂ，Ｓ２３Ａ，Ｓ２３Ｂおよび信号ＣＴＬに基づいて、出力端子Ｔout１における電圧を設定するものである。ドライバ２４Ｂは、信号Ｓ２３Ｃ，Ｓ２３Ｄ，Ｓ２２Ｃ，Ｓ２２Ｄおよび信号ＣＴＬに基づいて、出力端子Ｔout２における電圧を設定するものである。
【００４７】
図８は、ドライバ２４Ａ，２４Ｂの一構成例を表すものである。なお、この図８では、セレクタ２３Ａ〜２３Ｄをも描いている。ドライバ２４Ａは、Ｍ個のサブドライバＡＡ（サブドライバＡＡ１〜ＡＡＭ）と、Ｎ個のサブドライバＡＢ（サブドライバＡＢ１〜ＡＢＮ）とを有している。ドライバ２４Ｂは、Ｍ個のサブドライバＢＡ（サブドライバＢＡ１〜ＢＡＭ）と、Ｎ個のサブドライバＢＢ（サブドライバＢＢ１〜ＢＢＮ）とを有している。“Ｍ”および“Ｎ”は、信号ＣＴＬにより変更可能に構成されている。
【００４８】
サブドライバＡＡ１〜ＡＡＭ，ＡＢ１〜ＡＢＮ，ＢＡ１〜ＢＡＭ，ＢＢ１〜ＢＢＮのそれぞれは、抵抗素子９１，９４と、トランジスタ９２，９３とを有している。トランジスタ９２，９３は、ＮチャネルＭＯＳ型のＦＥＴである。なお、図２において、ドライバ２４Ａ，２４Ｂ内に、これらのトランジスタ９２，９３を描いている。また、図２では、抵抗素子９１，９４の図示を省いている。
【００４９】
以下、ドライバ２４Ａを例に説明する。ドライバ２４ＡのサブドライバＡＡ１〜ＡＡＭのそれぞれにおいて、抵抗素子９１の一端には電圧Ｖ１が供給され、他端はトランジスタ９２のドレインに接続されている。トランジスタ９２のゲートには信号Ｓ２２Ａが供給され、ドレインは抵抗素子９１の他端に接続され、ソースはトランジスタ９３のドレインに接続されるとともに出力端子Ｔout１に接続されている。トランジスタ９３のゲートには信号Ｓ２２Ｂが供給され、ドレインはトランジスタ９２のソースに接続されるとともに出力端子Ｔout１に接続され、ソースは抵抗素子９４の一端に接続されている。抵抗素子９４の一端はトランジスタ９３のソースに接続され、他端は接地されている。
【００５０】
ドライバ２４ＡのサブドライバＡＢ１〜ＡＢＮのそれぞれにおいて、抵抗素子９１の一端には電圧Ｖ１が供給され、他端はトランジスタ９２のドレインに接続されている。トランジスタ９２のゲートには信号Ｓ２３Ａが供給され、ドレインは抵抗素子９１の他端に接続され、ソースはトランジスタ９３のドレインに接続されるとともに出力端子Ｔout１に接続されている。トランジスタ９３のゲートには信号Ｓ２３Ｂが供給され、ドレインはトランジスタ９２のソースに接続されるとともに出力端子Ｔout１に接続され、ソースは抵抗素子９４の一端に接続されている。抵抗素子９４の一端はトランジスタ９３のソースに接続され、他端は接地されている。
【００５１】
ドライバ２４ＡのサブドライバＡＡ１〜ＡＡＭ，ＡＢ１〜ＡＢＮのそれぞれにおいて、抵抗素子９１の抵抗値と、トランジスタ９２のオン状態における抵抗値との和は、この例では“５０×（Ｍ＋Ｎ）”［Ω］である。同様に、トランジスタ９３のオン状態における抵抗値と、抵抗素子９４の抵抗値との和は、この例では“５０×（Ｍ＋Ｎ）”［Ω］である。
【００５２】
以上、ドライバ２４Ａを例に説明したが、ドライバ２４Ｂについても同様である。ドライバ２４Ｂでは、サブドライバＢＡ１〜ＢＡＭのそれぞれにおいて、トランジスタ９２のゲートには信号Ｓ２３Ｃが供給され、ドレインは抵抗素子９１の他端に接続され、ソースはトランジスタ９３のドレインに接続されるとともに出力端子Ｔout２に接続されている。トランジスタ９３のゲートには信号Ｓ２３Ｄが供給され、ドレインはトランジスタ９２のソースに接続されるとともに出力端子Ｔout２に接続され、ソースは抵抗素子９４の一端に接続されている。また、サブドライバＢＢ１〜ＢＢＮのそれぞれにおいて、トランジスタ９２のゲートには信号Ｓ２２Ｃが供給され、ドレインは抵抗素子９１の他端に接続され、ソースはトランジスタ９３のドレインに接続されるとともに出力端子Ｔout２に接続されている。トランジスタ９３のゲートには信号Ｓ２２Ｄが供給され、ドレインはトランジスタ９２のソースに接続されるとともに出力端子Ｔout２に接続され、ソースは抵抗素子９４の一端に接続されている。
【００５３】
この構成により、例えば、動作モードＭＡ（単相モード）において、信号Ｓ２２Ａを高レベルにするとともに、信号Ｓ２２Ｂを低レベルにした場合には、信号Ｓ２３Ａが高レベルになるとともに、信号Ｓ２３Ｂが低レベルになる。よって、ドライバ２４ＡのサブドライバＡＡ１〜ＡＡＭ，ＡＢ１〜ＡＢＮにおけるトランジスタ９２がオン状態になるとともに、サブドライバＡＡ１〜ＡＡＭ，ＡＢ１〜ＡＢＮにおけるトランジスタ９３がオフ状態になる。その結果、ドライバ２４Ａは、出力端子Ｔout１における電圧を高レベル電圧ＶＨにするとともに、出力インピーダンスを約５０［Ω］にすることができる。
【００５４】
また、例えば、動作モードＭＡにおいて、信号Ｓ２２Ｂを高レベルにするとともに、信号Ｓ２２Ａを低レベルにした場合には、信号Ｓ２３Ｂが高レベルになるとともに、信号Ｓ２３Ａが低レベルになる。よって、ドライバ２４ＡのサブドライバＡＡ１〜ＡＡＭ，ＡＢ１〜ＡＢＮにおけるトランジスタ９３がオン状態になるとともに、サブドライバＡＡ１〜ＡＡＭ，ＡＢ１〜ＡＢＮにおけるトランジスタ９２がオフ状態になる。その結果、ドライバ２４Ａは、出力端子Ｔout１における電圧を低レベル電圧ＶＬにするとともに、出力インピーダンスを約５０［Ω］にすることができる。
【００５５】
また、例えば、動作モードＭＢ（差動モード）において、信号Ｓ２２Ａ，Ｓ２２Ｄをともに高レベルにするとともに、信号Ｓ２２Ｂ，Ｓ２２Ｃをともに低レベルにした場合には、信号Ｓ２３Ａ，Ｓ２３Ｄがともに高レベルになるとともに、信号Ｓ２３Ｂ，Ｓ２３Ｃがともに低レベルになる。よって、ドライバ２４Ａでは、サブドライバＡＡ１〜ＡＡＭ，ＡＢ１〜ＡＢＮにおけるトランジスタ９２がオン状態になるとともに、サブドライバＡＡ１〜ＡＡＭ，ＡＢ１〜ＡＢＮにおけるトランジスタ９３がオフ状態になる。その結果、ドライバ２４Ａは、出力端子Ｔout１における電圧を高レベル電圧ＶＨにするとともに、出力インピーダンスを約５０［Ω］にすることができる。同様に、ドライバ２４Ｂでは、サブドライバＢＡ１〜ＢＡＭ，ＢＢ１〜ＢＢＮにおけるトランジスタ９３がオン状態になるとともに、サブドライバＢＡ１〜ＢＡＭ，ＢＢ１〜ＢＢＮにおけるトランジスタ９２がオフ状態になる。その結果、ドライバ２４Ｂは、出力端子Ｔout２における電圧を低レベル電圧ＶＬにするとともに、出力インピーダンスを約５０［Ω］にすることができる。
【００５６】
また、例えば、動作モードＭＢにおいて、信号Ｓ２２Ｂ，Ｓ２２Ｃをともに高レベルにするとともに、信号Ｓ２２Ａ，Ｓ２２Ｄをともに低レベルにした場合には、信号Ｓ２３Ｂ，Ｓ２３Ｃがともに高レベルになるとともに、信号Ｓ２３Ａ，Ｓ２３Ｄがともに低レベルになる。よって、ドライバ２４Ａでは、サブドライバＡＡ１〜ＡＡＭ，ＡＢ１〜ＡＢＮにおけるトランジスタ９３がオン状態になるとともに、サブドライバＡＡ１〜ＡＡＭ，ＡＢ１〜ＡＢＮにおけるトランジスタ９２がオフ状態になる。その結果、ドライバ２４Ａは、出力端子Ｔout１における電圧を低レベル電圧ＶＬにするとともに、出力インピーダンスを約５０［Ω］にすることができる。同様に、ドライバ２４Ｂでは、サブドライバＢＡ１〜ＢＡＭ，ＢＢ１〜ＢＢＮにおけるトランジスタ９２がオン状態になるとともに、サブドライバＢＡ１〜ＢＡＭ，ＢＢ１〜ＢＢＮにおけるトランジスタ９３がオフ状態になる。その結果、ドライバ２４Ｂは、出力端子Ｔout２における電圧を高レベル電圧ＶＨにするとともに、出力インピーダンスを約５０［Ω］にすることができる。
【００５７】
また、例えば、動作モードＭＢにおいて、信号Ｓ２２Ａ，Ｓ２２Ｃをともに高レベルにするとともに、信号Ｓ２２Ｂ，Ｓ２２Ｄをともに低レベルにした場合には、信号Ｓ２３Ｂ，Ｓ２３Ｄがともに高レベルになるとともに、信号Ｓ２３Ａ，Ｓ２３Ｃがともに低レベルになる。よって、ドライバ２４Ａでは、サブドライバＡＡ１〜ＡＡＭにおけるトランジスタ９２、およびサブドライバＡＢ１〜ＡＢＮにおけるトランジスタ９３がオン状態になるとともに、サブドライバＡＡ１〜ＡＡＭにおけるトランジスタ９３、およびサブドライバＡＢ１〜ＡＢＮにおけるトランジスタ９２がオフ状態になる。その結果、ドライバ２４Ａは、出力端子Ｔout１における電圧を高レベル電圧ＶＨよりも電圧ΔＶだけ低い電圧（ＶＨ−ΔＶ）にするとともに、出力インピーダンスを約５０［Ω］にすることができる。同様に、ドライバ２４Ｂでは、サブドライバＢＡ１〜ＢＡＭにおけるトランジスタ９３、およびサブドライバＢＢ１〜ＢＢＮにおけるトランジスタ９２がオン状態になるとともに、サブドライバＢＡ１〜ＢＡＭにおけるトランジスタ９２、およびサブドライバＢＢ１〜ＢＢＮにおけるトランジスタ９３がオフ状態になる。その結果、ドライバ２４Ｂは、出力端子Ｔout２における電圧を低レベル電圧ＶＬよりも電圧ΔＶだけ高い電圧（ＶＬ＋ΔＶ）にするとともに、出力インピーダンスを約５０［Ω］にすることができる。
【００５８】
また、例えば、動作モードＭＢにおいて、信号Ｓ２２Ｂ，Ｓ２２Ｄをともに高レベルにするとともに、信号Ｓ２２Ａ，Ｓ２２Ｃをともに低レベルにした場合には、信号Ｓ２３Ａ，Ｓ２３Ｃがともに高レベルになるとともに、信号Ｓ２３Ｂ，Ｓ２３Ｄがともに低レベルになる。よって、ドライバ２４Ａでは、サブドライバＡＡ１〜ＡＡＭにおけるトランジスタ９３、およびサブドライバＡＢ１〜ＡＢＮにおけるトランジスタ９２がオン状態になるとともに、サブドライバＡＡ１〜ＡＡＭにおけるトランジスタ９２、およびサブドライバＡＢ１〜ＡＢＮにおけるトランジスタ９３がオフ状態になる。その結果、ドライバ２４Ａは、出力端子Ｔout１における電圧を低レベル電圧ＶＬよりも電圧ΔＶだけ高い電圧（ＶＬ＋ΔＶ）にするとともに、出力インピーダンスを約５０［Ω］にすることができる。同様に、ドライバ２４Ｂでは、サブドライバＢＡ１〜ＢＡＭにおけるトランジスタ９２、およびサブドライバＢＢ１〜ＢＢＮにおけるトランジスタ９３がオン状態になるとともに、サブドライバＢＡ１〜ＢＡＭにおけるトランジスタ９３、およびサブドライバＢＢ１〜ＢＢＮにおけるトランジスタ９２がオフ状態になる。その結果、ドライバ２４Ｂは、出力端子Ｔout２における電圧を高レベル電圧ＶＨよりも電圧ΔＶだけ低い電圧（ＶＨ−ΔＶ）にするとともに、出力インピーダンスを約５０［Ω］にすることができる。
【００５９】
この電圧ΔＶは、“Ｍ”および“Ｎ”に応じて変化する。すなわち、例えば“Ｍ”を大きくするとともに“Ｎ”を小さくすると、電圧ΔＶを小さくすることができる。また、例えば“Ｍ”を小さくするとともに“Ｎ”を大きくすると、電圧ΔＶを大きくすることができる。
【００６０】
制御部２５（図２）は、処理部１１から供給されたモード信号Ｓmodeに基づいて、クロック信号Ｐ０〜Ｐ７，ＣＬＫおよび信号Ｓsel，ＣＴＬを生成するものである。
【００６１】
（受信装置３０）
受信装置３０は、図１Ａに示したように、受信部３１，３２と、処理部３３とを有している。
【００６２】
受信部３１は、信号ＳＩＧ１を受信するものであり、受信部３２は、信号ＳＩＧ２を受信するものである。
【００６３】
図９は、受信部３１の一構成例を表すものである。なお、受信部３２についても同様である。受信部３１は、抵抗素子３６と、アンプ３７とを有している。
【００６４】
抵抗素子３６は、通信システム１Ａにおける受信側の終端抵抗として機能するものであり、一端にはバイアス電圧Ｖbiasが供給され、他端は受信部３１の入力端子Ｔin１に接続されるとともに、アンプ３７の入力端子に接続されている。この抵抗素子３６の抵抗値は、この例では、５０［Ω］程度である。
【００６５】
アンプ３７の入力端子は、受信部３１の入力端子Ｔin１に接続されるとともに、抵抗素子３６の他端に接続されている。そして、アンプ３７は、出力信号を処理部３３に供給するようになっている。
【００６６】
処理部３３は、受信部３１，３２における受信結果に基づいて、所定の処理を行うものである。
【００６７】
（受信装置４０）
受信装置４０は、図１Ｂに示したように、受信部４１と、処理部４２とを有している。
【００６８】
受信部４１は、信号ＳＩＧＰ，ＳＩＧＮを受信するものである。
【００６９】
図１０は、受信部４１の一構成例を表すものである。受信部４１は、抵抗素子４６と、アンプ４７とを有している。
【００７０】
抵抗素子４６は、通信システム１Ｂにおける受信側の終端抵抗として機能するものであり、一端は受信部４１の入力端子ＴinＰに接続されるとともにアンプ４７の正入力端子に接続され、他端は受信部４１の入力端子ＴinＮに接続されるとともにアンプ４７の負入力端子に接続される。この抵抗素子４６の抵抗値は、この例では、１００［Ω］程度である。
【００７１】
アンプ４７の正入力端子は、受信部４１の入力端子ＴinＰに接続されるとともに抵抗素子４６の一端に接続され、アンプ４７の負入力端子は、受信部４１の入力端子ＴinＮに接続されるとともに抵抗素子４６の他端に接続されている。そして、アンプ４７は、出力信号を処理部４２に供給するようになっている。
【００７２】
処理部４２は、受信部４１における受信結果に基づいて、所定の処理を行うものである。
【００７３】
ここで、ドライバ２４Ａは、本開示における「第１のドライバ」の一具体例に対応する。複数のサブドライバＡＡ１〜ＡＡＭは、本開示における「第１のサブドライバ部」の一具体例に対応し、複数のサブドライバＡＢ１〜ＡＢＮは、本開示における「第２のサブドライバ部」の一具体例に対応する。ドライバ２４Ｂは、本開示における「第２のドライバ」の一具体例に対応する。複数のサブドライバＢＡ１〜ＢＡＭは、本開示における「第３のサブドライバ部」の一具体例に対応し、複数のサブドライバＢＢ１〜ＢＢＮは、本開示における「第４のサブドライバ部」の一具体例に対応する。複数のセレクタ２３Ａ〜２３Ｄは、本開示における「セレクタ部」の一具体例に対応する。複数のマルチプレクサ２２Ａ〜２２Ｄは、本開示における「マルチプレクサ部」の一具体例に対応する。複数のシリアライザ２１Ａ〜２１Ｄは、本開示における「シリアライザ部」の一具体例に対応する。動作モードＭＡは、本開示における「第１の動作モード」の一具体例に対応し、動作モードＭＢは、本開示における「第２の動作モード」の一具体例に対応する。
【００７４】
［動作および作用］
続いて、本実施の形態の通信システム１Ａ，１Ｂの動作および作用について説明する。
【００７５】
（全体動作概要）
まず、図１Ａ，１Ｂを参照して、通信システム１Ａ，１Ｂの全体動作概要を説明する。送信装置１０の処理部１１は、所定の処理を行うことにより送信するデータを生成するとともに、２つの動作モードＭＡ，ＭＢのうちの１つを選択し、選択された動作モードに基づいてモード信号Ｓmodeを生成する。具体的には、処理部１１は、送信装置１０が通信システム１Ａに適用される場合には、動作モードＭＡ（単相モード）を選択し、モード信号Ｓmodeを用いて、送信部１２に対して、動作モードＭＡで動作すべきことを指示する。また、送信部１２は、送信装置１０が通信システム１Ｂに適用される場合には、動作モードＭＢ（差動モード）を選択し、モード信号Ｓmodeを用いて、送信部１２に対して、動作モードＭＢで動作すべきことを指示する。送信部１２は、モード信号Ｓmodeが示す動作モードが動作モードＭＡである場合には、処理部１１が生成したデータを信号ＳＩＧ１，ＳＩＧ２を用いて送信する。また、送信部１２は、モード信号Ｓmodeが示す動作モードが動作モードＭＢである場合には、処理部１１が生成したデータを信号ＳＩＧＰ，ＳＩＧＮを用いて送信する。
【００７６】
通信システム１Ａにおいて、受信装置３０の受信部３１は、信号ＳＩＧ１を受信し、受信部３２は、信号ＳＩＧ２を受信する。処理部３３は、受信部３１，３２における受信結果に基づいて所定の処理を行う。
【００７７】
通信システム１Ｂにおいて、受信装置４０の受信部４１は、信号ＳＩＧＰ，ＳＩＧＮを受信する。処理部４２は、受信部４１における受信結果に基づいて所定の処理を行う。
【００７８】
（動作モードＭＡ）
送信装置１０が通信システム１Ａ（図１Ａ）に適用される場合には、送信装置１０は、動作モードＭＡ（単相モード）で動作する。動作モードＭＡでは、送信装置１０は、受信装置３０に対して信号ＳＩＧ１，ＳＩＧ２を用いてデータを送信する。以下に、動作モードＭＡでの詳細動作について説明する。
【００７９】
図１１は、動作モードＭＡにおける信号の流れを表すものである。図１１において、太い実線は、信号ＤＩ１０〜ＤＩ１７に係る信号の流れを示し、太い破線は、信号ＤＩ２０〜ＤＩ２７に係る信号の流れを示す。送信部１２は、信号ＤＩ１０〜ＤＩ１７に基づいて信号ＳＩＧ１を生成し、信号ＤＩ２０〜ＤＩ２７に基づいて信号ＳＩＧ２を生成する。以下に、この動作について詳細に説明する。
【００８０】
まず、信号ＤＩ１０〜ＤＩ１７に係る信号の流れを説明する。処理部１１は、信号ＤＩ１０〜ＤＩ１７を生成する。ここで、例えば信号ＤＩ１０は、信号ＤＩ１０Ｐ，ＤＩ１０Ｎを含む。そして、処理部１１は、信号ＤＩ１０〜ＤＩ１７のうちの信号ＤＩ１０，ＤＩ１２，ＤＩ１４，ＤＩ１６をシリアライザ２１Ａに供給し、信号ＤＩ１０〜ＤＩ１７のうちの信号ＤＩ１１，ＤＩ１３，ＤＩ１５，ＤＩ１７をシリアライザ２１Ｃに供給する。
【００８１】
シリアライザ２１Ａは、図４（Ａ）〜（Ｉ）に示したように、信号ＤＩ１０，ＤＩ１２，ＤＩ１４，ＤＩ１６をシリアライズすることにより、信号Ｓ２１ＡＰ，Ｓ２１ＡＮを生成する。また、シリアライザ２１Ｃは、図４（Ｊ）〜（Ｒ）に示したように、信号ＤＩ１１，ＤＩ１３，ＤＩ１５，ＤＩ１７をシリアライズすることにより、信号Ｓ２１ＣＰ，Ｓ２１ＣＮを生成する。
【００８２】
マルチプレクサ２２Ａは、図６に示したように、クロック信号ＣＬＫに基づいて、信号Ｓ２１ＡＰ，Ｓ２１ＣＰのうちの一方を交互に選択し、選択された信号を信号Ｓ２２Ａとして出力する。同様に、マルチプレクサ２２Ｂは、クロック信号ＣＬＫに基づいて、信号Ｓ２１ＡＮ，Ｓ２１ＣＮのうちの一方を交互に選択し、選択された信号を信号Ｓ２２Ｂとして出力する。
【００８３】
セレクタ２３Ａは、動作モードＭＡでは、信号Ｓselに基づいて信号Ｓ２２Ａを選択し、その信号Ｓ２２Ａを信号Ｓ２３Ａとして出力する。セレクタ２３Ｂは、動作モードＭＡでは、信号Ｓselに基づいて信号Ｓ２２Ｂを選択し、その信号Ｓ２２Ｂを信号Ｓ２３Ｂとして出力する。その結果、ドライバ２４Ａは、信号Ｓ２２Ａ，Ｓ２２Ｂに基づいて動作する。具体的には、ドライバ２４ＡのサブドライバＡＡ１〜ＡＡＭは、信号Ｓ２２Ａ，Ｓ２２Ｂに基づいて動作し、ドライバ２４ＡのサブドライバＡＢ１〜ＡＢＮは、信号Ｓ２２Ａ，Ｓ２２Ｂに基づいて動作する。そして、ドライバ２４Ａは、信号ＳＩＧ１を生成する。
【００８４】
次に、信号ＤＩ２０〜ＤＩ２７に係る信号の流れを説明する。処理部１１は、信号ＤＩ２０〜ＤＩ２７を生成する。ここで、例えば信号ＤＩ２０は、信号ＤＩ２０Ｐ，ＤＩ２０Ｎを含む。そして、処理部１１は、信号ＤＩ２０〜ＤＩ２７のうちの信号ＤＩ２０，ＤＩ２２，ＤＩ２４，ＤＩ２６をシリアライザ２１Ｂに供給し、信号ＤＩ２０〜ＤＩ２７のうちの信号ＤＩ２１，ＤＩ２３，ＤＩ２５，ＤＩ２７をシリアライザ２１Ｄに供給する。
【００８５】
シリアライザ２１Ｂは、シリアライザ２１Ａの場合（図４（Ａ）〜（Ｉ））と同様に、信号ＤＩ２０，ＤＩ２２，ＤＩ２４，ＤＩ２６をシリアライズすることにより、信号Ｓ２１ＢＰ，Ｓ２１ＢＮを生成する。また、シリアライザ２１Ｄは、シリアライザ２１Ｃの場合（図４（Ｊ）〜（Ｒ））と同様に、信号ＤＩ２１，ＤＩ２３，ＤＩ２５，ＤＩ２７をシリアライズすることにより、信号Ｓ２１ＤＰ，Ｓ２１ＤＮを生成する。
【００８６】
マルチプレクサ２２Ｃは、マルチプレクサ２２Ａの場合（図６）と同様に、クロック信号ＣＬＫに基づいて、信号Ｓ２１ＢＰ，Ｓ２１ＤＰのうちの一方を選択し、選択された信号を信号Ｓ２２Ｃとして出力する。同様に、マルチプレクサ２２Ｄは、クロック信号ＣＬＫに基づいて、信号Ｓ２１ＢＮ，Ｓ２１ＤＮのうちの一方を選択し、選択された信号を信号Ｓ２２Ｄとして出力する。
【００８７】
セレクタ２３Ｃは、動作モードＭＡでは、信号Ｓselに基づいて信号Ｓ２２Ｃを選択し、その信号Ｓ２２Ｃを信号Ｓ２３Ｃとして出力する。セレクタ２３Ｄは、動作モードＭＡでは、信号Ｓselに基づいて信号Ｓ２２Ｄを選択し、その信号Ｓ２２Ｄを信号Ｓ２３Ｄとして出力する。その結果、ドライバ２４Ｂは、信号Ｓ２２Ｃ，Ｓ２２Ｄに基づいて動作する。具体的には、ドライバ２４ＢのサブドライバＢＡ１〜ＢＡＭは、信号Ｓ２２Ｃ，Ｓ２２Ｄに基づいて動作し、ドライバ２４ＢのサブドライバＢＢ１〜ＢＢＮは、信号Ｓ２２Ｃ，Ｓ２２Ｄに基づいて動作する。そして、ドライバ２４Ｂは、信号ＳＩＧ２を生成する。
【００８８】
このようにして、動作モードＭＡでは、ドライバ２４Ａは、信号Ｓ２２Ａ，Ｓ２２Ｂに基づいて信号ＳＩＧ１を生成し、ドライバ２４Ｂは、信号Ｓ２３Ｃ，Ｓ２３Ｄに基づいて信号ＳＩＧ２を生成する。
【００８９】
図１２は、信号ＳＩＧ１の生成動作を表すものである。図１２において、太い実線は、マルチプレクサ２２Ａに係る信号の流れを示し、太い破線は、マルチプレクサ２２Ｂに係る信号の流れを示す。なお、信号ＳＩＧ２の生成動作についても同様である。
【００９０】
シリアライザ２１Ａの出力信号Ｓ２１ＡＰ，Ｓ２１ＡＮは互いに反転した信号であり、シリアライザ２１Ｃの出力信号Ｓ２１ＣＰ，Ｓ２１ＣＮは互いに反転した信号である。よって、マルチプレクサ２２Ａの出力信号Ｓ２２Ａおよびマルチプレクサ２２Ｂの出力信号Ｓ２２Ｂは、互いに反転した信号である。
【００９１】
例えば、信号Ｓ２２Ａが高レベルであり、信号Ｓ２２Ｂが低レベルである場合には、信号Ｓ２３Ａは高レベルになり、信号Ｓ２３Ｂは低レベルになる。この場合には、ドライバ２４Ａでは、サブドライバＡＡ１〜ＡＡＭ，ＡＢ１〜ＡＢＮにおけるトランジスタ９２がオン状態になるとともに、サブドライバＡＡ１〜ＡＡＭ，ＡＢ１〜ＡＢＮにおけるトランジスタ９３がオフ状態になる。その結果、ドライバ２４Ａは、出力端子Ｔout１における電圧を高レベル電圧ＶＨにするとともに、出力インピーダンスを約５０［Ω］にする。
【００９２】
また、例えば、信号Ｓ２２Ｂが高レベルであり、信号Ｓ２２Ａが低レベルである場合には、信号Ｓ２３Ｂは高レベルになり、信号Ｓ２３Ａは低レベルになる。この場合には、ドライバ２４Ａでは、サブドライバＡＡ１〜ＡＡＭ，ＡＢ１〜ＡＢＮにおけるトランジスタ９３がオン状態になるとともに、サブドライバＡＡ１〜ＡＡＭ，ＡＢ１〜ＡＢＮにおけるトランジスタ９２がオフ状態になる。よって、ドライバ２４Ａは、出力端子Ｔout１における電圧を低レベル電圧ＶＬにするとともに、出力インピーダンスを約５０［Ω］にする。
【００９３】
このようにして、送信装置１０は、動作モードＭＡでは、受信装置３０に対して単相信号を用いてデータを送信する。
【００９４】
（動作モードＭＢ）
送信装置１０が通信システム１Ｂ（図１Ｂ）に適用される場合には、送信装置１０は、動作モードＭＢ（差動モード）で動作する。動作モードＭＢでは、送信装置１０は、受信装置４０に対して信号ＳＩＧＰ，ＳＩＧＮを用いてデータを送信する。以下に、動作モードＭＢでの詳細動作について説明する。
【００９５】
図１３は、動作モードＭＢにおける信号の流れを表すものである。図１３において、太い実線は、信号ＤＩ１０〜ＤＩ１７に係る信号の流れを示し、太い破線は、信号ＤＩ２０〜ＤＩ２７に係る信号の流れを示す。送信部１２は、信号ＤＩ１０〜ＤＩ１７，ＤＩ２０〜ＤＩ２７に基づいて、信号ＳＩＧＰ，ＳＩＧＮを生成する。その際、送信部１２は、信号ＤＩ２０〜ＤＩ２７に基づいてエンファシス動作を行う。以下に、この動作について詳細に説明する。
【００９６】
まず、信号ＤＩ１０〜ＤＩ１７に係る信号の流れを説明する。処理部１１は、信号ＤＩ１０〜ＤＩ１７を生成し、信号ＤＩ１０〜ＤＩ１７のうちの信号ＤＩ１０，ＤＩ１２，ＤＩ１４，ＤＩ１６をシリアライザ２１Ａに供給し、信号ＤＩ１０〜ＤＩ１７のうちの信号ＤＩ１１，ＤＩ１３，ＤＩ１５，ＤＩ１７をシリアライザ２１Ｃに供給する。シリアライザ２１Ａ，２１Ｃ、およびマルチプレクサ２２Ａ，２２Ｂは、動作モードＭＡの場合と同様に動作する。
【００９７】
セレクタ２３Ｃは、動作モードＭＢでは、信号Ｓselに基づいて信号Ｓ２２Ｂを選択し、その信号Ｓ２２Ｂを信号Ｓ２３Ｃとして出力する。セレクタ２３Ｄは、動作モードＭＢでは、信号Ｓselに基づいて信号Ｓ２２Ａを選択し、その信号Ｓ２２Ａを信号Ｓ２３Ｄとして出力する。その結果、ドライバ２４ＡのサブドライバＡＡ１〜ＡＡＭは、信号Ｓ２２Ａ，Ｓ２２Ｂに基づいて動作し、ドライバ２４ＢのサブドライバＢＡ１〜ＢＡＭは、信号Ｓ２２Ｂ，Ｓ２２Ａに基づいて動作する。
【００９８】
次に、信号ＤＩ２０〜ＤＩ２７に係る信号の流れを説明する。処理部１１は、信号ＤＩ２０〜ＤＩ２７を生成する。動作モードＭＢでは、この信号ＤＩ２０〜ＤＩ２７が示すデータは、信号ＤＩ１０〜ＤＩ１７が示すデータと１ビット分だけずれるように設定される。そして、処理部１１は、信号ＤＩ２０〜ＤＩ２７のうちの信号ＤＩ２０，ＤＩ２２，ＤＩ２４，ＤＩ２６をシリアライザ２１Ｂに供給し、信号ＤＩ２０〜ＤＩ２７のうちの信号ＤＩ２１，ＤＩ２３，ＤＩ２５，ＤＩ２７をシリアライザ２１Ｄに供給する。シリアライザ２１Ｂ，２１Ｄ、およびマルチプレクサ２２Ｃ，２２Ｄは、動作モードＭＡの場合と同様に動作する。
【００９９】
セレクタ２３Ａは、動作モードＭＢでは、信号Ｓselに基づいて信号Ｓ２２Ｄを選択し、その信号Ｓ２２Ｄを信号Ｓ２３Ａとして出力する。セレクタ２３Ｂは、動作モードＭＢでは、信号Ｓselに基づいて信号Ｓ２２Ｃを選択し、その信号Ｓ２２Ｃを信号Ｓ２３Ｂとして出力する。その結果、ドライバ２４ＡのサブドライバＡＢ１〜ＡＢＮは、信号Ｓ２２Ｄ，Ｓ２２Ｃに基づいて動作し、ドライバ２４ＢのサブドライバＢＢ１〜ＢＢＮは、信号Ｓ２２Ｃ，Ｓ２２Ｄに基づいて動作する。
【０１００】
このようにして、ドライバ２４Ａは、信号Ｓ２２Ａ，Ｓ２２Ｂ，Ｓ２２Ｃ，Ｓ２２Ｄに基づいて信号ＳＩＧＰを生成する。また、ドライバ２４Ｂは、信号Ｓ２２Ａ，Ｓ２２Ｂ，Ｓ２２Ｃ，Ｓ２２Ｄに基づいて信号ＳＩＧＮを生成する。
【０１０１】
図１４は、信号ＤＩ１０〜ＤＩ１７に基づく動作を表すものである。図１４において、太い実線は、マルチプレクサ２２Ａに係る信号の流れを示し、太い破線は、マルチプレクサ２２Ｂに係る信号の流れを示す。動作モードＭＢでも、マルチプレクサ２２Ａの出力信号Ｓ２２Ａおよびマルチプレクサ２２Ｂの出力信号Ｓ２２Ｂは、互いに反転した信号である。
【０１０２】
例えば、信号Ｓ２２Ａが高レベルであり、信号Ｓ２２Ｂが低レベルである場合には、信号Ｓ２３Ｄは高レベルになり、信号Ｓ２３Ｃは低レベルになる。この場合には、ドライバ２４ＡにおけるサブドライバＡＡ１〜ＡＡＭでは、トランジスタ９２がオン状態になるとともにトランジスタ９３がオフ状態になり、ドライバ２４ＢにおけるサブドライバＢＡ１〜ＢＡＭでは、トランジスタ９３がオン状態になるとともに、トランジスタ９２がオフ状態になる。
【０１０３】
また、例えば、信号Ｓ２２Ｂが高レベルであり、信号Ｓ２２Ａが低レベルである場合には、信号Ｓ２３Ｃは高レベルになり、信号Ｓ２３Ｄは低レベルになる。この場合には、ドライバ２４ＡにおけるサブドライバＡＡ１〜ＡＡＭでは、トランジスタ９３がオン状態になるとともにトランジスタ９２がオフ状態になり、ドライバ２４ＢにおけるサブドライバＢＡ１〜ＢＡＭでは、トランジスタ９２がオン状態になるとともに、トランジスタ９３がオフ状態になる。
【０１０４】
図１５は、信号ＤＩ２０〜ＤＩ２７に基づく動作を表すものである。図１５において、太い実線は、マルチプレクサ２２Ｃに係る信号の流れを示し、太い破線は、マルチプレクサ２２Ｄに係る信号の流れを示す。マルチプレクサ２２Ｃの出力信号Ｓ２２Ｃおよびマルチプレクサ２２Ｄの出力信号Ｓ２２Ｄは、互いに反転した信号である。
【０１０５】
例えば、信号Ｓ２２Ｃが高レベルであり、信号Ｓ２２Ｄが低レベルである場合には、信号Ｓ２３Ｂは高レベルになり、信号Ｓ２３Ａは低レベルになる。この場合には、ドライバ２４ＡにおけるサブドライバＡＢ１〜ＡＢＭでは、トランジスタ９３がオン状態になるとともにトランジスタ９２がオフ状態になり、ドライバ２４ＢにおけるサブドライバＢＢ１〜ＢＢＭでは、トランジスタ９２がオン状態になるとともに、トランジスタ９３がオフ状態になる。
【０１０６】
また、例えば、信号Ｓ２２Ｄが高レベルであり、信号Ｓ２２Ｃが低レベルである場合には、信号Ｓ２３Ａは高レベルになり、信号Ｓ２３Ｂは低レベルになる。この場合には、ドライバ２４ＡにおけるサブドライバＡＢ１〜ＡＢＭでは、トランジスタ９２がオン状態になるとともにトランジスタ９３がオフ状態になり、ドライバ２４ＢにおけるサブドライバＢＢ１〜ＢＢＭでは、トランジスタ９３がオン状態になるとともに、トランジスタ９２がオフ状態になる。
【０１０７】
送信装置１０では、ドライバ２４Ａにおいて、サブドライバＡＡの数“Ｍ”をサブドライバＡＢの数“Ｎ”よりも多くするとともに、ドライバ２４Ｂにおいて、サブドライバＢＡの数“Ｍ”をサブドライバＢＢの数“Ｎ”よりも多くしている。これにより、信号Ｓ２２Ａ，Ｓ２２Ｂが信号ＳＩＧＰ，ＳＩＧＮへ与える影響を、信号Ｓ２２Ｃ，Ｓ２２Ｄが信号ＳＩＧＰ，ＳＩＧＮへ与える影響よりも大きくすることができる。送信装置１０は、このことを利用して、以下に示すようにエンファシス動作を行う。
【０１０８】
図１６は、送信部１２におけるエンファシス動作を表すものであり、（Ａ）はクロック信号ＣＬＫの波形を示し、（Ｂ）は信号Ｓ２２Ａの波形を示し、（Ｃ）は信号Ｓ２２Ｂの波形を示し、（Ｄ）は信号Ｓ２２Ｃの波形を示し、（Ｅ）は信号Ｓ２２Ｄの波形を示し、（Ｆ）は信号ＳＩＧＰ−信号ＳＩＧＮの波形を示す。
【０１０９】
この例では、タイミングｔ４１〜ｔ４２の期間において、信号Ｓ２２Ａ，Ｓ２２Ｄを高レベルにするとともに、信号Ｓ２２Ｂ，Ｓ２２Ｃを低レベルにしている。この場合には、ドライバ２４Ａでは、サブドライバＡＡ１〜ＡＡＭ，ＡＢ１〜ＡＢＮにおいて、トランジスタ９２がオン状態になるとともにトランジスタ９３がオフ状態になる。よって、ドライバ２４Ａは、出力端子Ｔout１における電圧を高レベル電圧ＶＨにするとともに、出力インピーダンスを約５０［Ω］にする。また、ドライバ２４Ｂでは、サブドライバＢＡ１〜ＢＡＭ，ＢＢ１〜ＢＢＮにおいて、トランジスタ９３がオン状態になるとともにトランジスタ９２がオフ状態になる。よって、ドライバ２４Ｂは、出力端子Ｔout２における電圧を低レベル電圧ＶＬにするとともに、出力インピーダンスを約５０［Ω］にする。その結果、信号ＳＩＧＰ−信号ＳＩＧＮは、図１６（Ｆ）に示したように、高レベル電圧ＶＨ−低レベル電圧ＶＬ（ＶＨ−ＶＬ）になる。
【０１１０】
また、タイミングｔ４２〜ｔ４４の期間において、信号Ｓ２２Ａ，Ｓ２２Ｃを高レベルにするとともに、信号Ｓ２２Ｂ，Ｓ２２Ｄを低レベルにしている。この場合には、ドライバ２４Ａでは、サブドライバＡＡ１〜ＡＡＭにおけるトランジスタ９２およびサブドライバＡＢ１〜ＡＢＮにおけるトランジスタ９３がオン状態になるとともに、サブドライバＡＡ１〜ＡＡＭにおけるトランジスタ９３およびサブドライバＡＢ１〜ＡＢＮにおけるトランジスタ９２がオフ状態になる。よって、ドライバ２４Ａは、出力端子Ｔout１における電圧を高レベル電圧ＶＨよりも電圧ΔＶだけ低い電圧にするとともに、出力インピーダンスを約５０［Ω］にする。また、ドライバ２４Ｂでは、サブドライバＢＡ１〜ＢＡＭにおけるトランジスタ９３およびサブドライバＢＢ１〜ＢＢＮにおけるトランジスタ９２がオン状態になるとともに、サブドライバＢＡ１〜ＢＡＭにおけるトランジスタ９２およびサブドライバＢＢ１〜ＢＢＮにおけるトランジスタ９３がオフ状態になる。よって、ドライバ２４Ｂは、出力端子Ｔout２における電圧を低レベル電圧ＶＬよりも電圧ΔＶだけ高い電圧にするとともに、出力インピーダンスを約５０［Ω］にする。その結果、信号ＳＩＧＰ−信号ＳＩＧＮは、図１６（Ｆ）に示したように、高レベル電圧ＶＨ−低レベル電圧ＶＬ（ＶＨ−ＶＬ）よりも電圧２ΔＶだけ低い電圧（ＶＨ−ＶＬ−２ΔＶ）になる。
【０１１１】
また、タイミングｔ４４〜ｔ４５の期間において、信号Ｓ２２Ｂ，Ｓ２２Ｃを高レベルにするとともに、信号Ｓ２２Ａ，Ｓ２２Ｄを低レベルにしている。この場合には、ドライバ２４Ａでは、サブドライバＡＡ１〜ＡＡＭ，ＡＢ１〜ＡＢＮにおいて、トランジスタ９３がオン状態になるとともにトランジスタ９２がオフ状態になる。よって、ドライバ２４Ａは、出力端子Ｔout１における電圧を低レベル電圧ＶＬにするとともに、出力インピーダンスを約５０［Ω］にする。また、ドライバ２４Ｂでは、サブドライバＢＡ１〜ＢＡＭ，ＢＢ１〜ＢＢＮにおいて、トランジスタ９２がオン状態になるとともにトランジスタ９３がオフ状態になるので、ドライバ２４Ｂは、出力端子Ｔout２における電圧を高レベル電圧ＶＨにするとともに、出力インピーダンスを約５０［Ω］にする。その結果、信号ＳＩＧＰ−信号ＳＩＧＮは、図１６（Ｆ）に示したように、低レベル電圧ＶＬ−高レベル電圧ＶＨ（ＶＬ−ＶＨ）になる。
【０１１２】
また、タイミングｔ４５〜ｔ４６の期間における動作は、タイミングｔ４１〜ｔ４２の期間における動作と同じである。その結果、信号ＳＩＧＰ−信号ＳＩＧＮは、図１６（Ｆ）に示したように、高レベル電圧ＶＨ−低レベル電圧ＶＬ（ＶＨ−ＶＬ）になる。
【０１１３】
また、タイミングｔ４６〜ｔ４７の期間における動作は、タイミングｔ４４〜ｔ４５の期間における動作と同じである。その結果、信号ＳＩＧＰ−信号ＳＩＧＮは、図１６（Ｆ）に示したように、低レベル電圧ＶＬ−高レベル電圧ＶＨ（ＶＬ−ＶＨ）になる。
【０１１４】
また、タイミングｔ４７〜ｔ４９の期間において、信号Ｓ２２Ｂ，Ｓ２２Ｄを高レベルにするとともに、信号Ｓ２２Ａ，Ｓ２２Ｃを低レベルにしている。この場合には、ドライバ２４Ａでは、サブドライバＡＡ１〜ＡＡＭにおけるトランジスタ９３およびサブドライバＡＢ１〜ＡＢＮにおけるトランジスタ９２がオン状態になるとともに、サブドライバＡＡ１〜ＡＡＭにおけるトランジスタ９２およびサブドライバＡＢ１〜ＡＢＮにおけるトランジスタ９３がオフ状態になる。よって、ドライバ２４Ａは、出力端子Ｔout１における電圧を低レベル電圧ＶＬよりも電圧ΔＶだけ高い電圧にするとともに、出力インピーダンスを約５０［Ω］にする。また、ドライバ２４Ｂでは、サブドライバＢＡ１〜ＢＡＭにおけるトランジスタ９２およびサブドライバＢＢ１〜ＢＢＮにおけるトランジスタ９３がオン状態になるとともに、サブドライバＢＡ１〜ＢＡＭにおけるトランジスタ９３およびサブドライバＢＢ１〜ＢＢＮにおけるトランジスタ９２がオフ状態になる。よって、ドライバ２４Ｂは、出力端子Ｔout２における電圧を高レベル電圧ＶＨよりも電圧ΔＶだけ低い電圧にするとともに、出力インピーダンスを約５０［Ω］にする。その結果、信号ＳＩＧＰ−信号ＳＩＧＮは、図１６（Ｆ）に示したように、低レベル電圧ＶＬ−高レベル電圧ＶＨ（ＶＬ−ＶＨ）よりも電圧２ΔＶだけ高い電圧（ＶＬ−ＶＨ＋２ΔＶ）になる。
【０１１５】
このようにして、送信装置１０は、動作モードＭＢでは、受信装置４０に対して差動信号を用いてデータを送信する。
【０１１６】
以上のように、送信装置１０では、２つの動作モードＭＡ，ＭＢを設け、単相信号または差動信号を用いて受信装置に対してデータを送信することができるようにしたので、様々なインタフェースを実現することができる。
【０１１７】
これにより、例えば、電子機器のシステム設計の自由度を高めることができる。具体的には、例えば、この送信装置１０をプロセッサに搭載した場合には、単相信号に対応した周辺デバイスを用いて電子機器を構成することもできるし、差動信号に対応した周辺デバイスを用いて電子機器を構成することもできる。また、例えば、１つのプロセッサで様々なインタフェースを実現することができるため、インタフェースごとにプロセッサを準備する必要がないため、プロセッサの品種数を絞ることができ、コストを削減することができる。また、各動作モードＭＡ，ＭＢにおいて、４つのシリアライザ２１、４つのマルチプレクサ２２、４つのセレクタ２３、および２つのドライバ２４を共用するようにしたので、インタフェースごとに別回路を設ける場合に比べて、回路配置に必要な面積を抑えることができる。
【０１１８】
また、送信装置１０では、通信システム１Ｂに適用した場合において、エンファシス動作を行うようにしたので、例えば、線路１１１，１１２の長さが長い場合において、通信性能を高めることができる。
【０１１９】
次に、いくつかの比較例と対比して、本実施の形態の作用を説明する。
【０１２０】
（比較例Ｒ）
図１７は、比較例Ｒに係る送信装置１０Ｒにおける送信部１２Ｒの要部の一構成例を表すものである。送信部１２Ｒは、シリアライザ２１ＲＡ，２１ＲＢと、セレクタ２３Ｒと、マルチプレクサ２２ＲＡ，２２ＲＢと、ドライバ２４ＲＡ，２４ＲＢとを有している。シリアライザ２１ＲＡは、信号ＤＩ１０〜ＤＩ１７をシリアライズすることにより、信号Ｓ２１ＲＡＰ，Ｓ２１ＲＡＮを生成するものである。信号Ｓ２１ＲＡＰ，Ｓ２１ＲＡＮは、互いに反転した信号である。シリアライザ２１ＲＢは、信号ＤＩ２０〜ＤＩ２７をシリアライズすることにより、信号Ｓ２１ＲＢＰ，Ｓ２１ＲＢＮを生成するものである。信号Ｓ２１ＲＢＰ，Ｓ２１ＲＢＮは、互いに反転した信号である。セレクタ２３Ｒは、信号Ｓselに基づいて、動作モードが動作モードＭＡ（単相モード）である場合には信号Ｓ２１ＲＢＰを選択し、動作モードが動作モードＭＢ（差動モード）である場合には信号Ｓ２１ＲＢＮを選択し、選択された信号を信号Ｓ２３Ｒとして出力するものである。マルチプレクサ２２ＲＡは、クロック信号ＣＬＫに基づいて、信号Ｓ２１ＲＡＰ，Ｓ２１ＲＢＰのうちの一方を選択し、選択された信号を出力するものである。マルチプレクサ２２ＲＢは、クロック信号ＣＬＫに基づいて、信号Ｓ２１ＲＡＮ，Ｓ２３Ｒのうちの一方を選択し、選択された信号を出力するものである。ドライバ２４ＲＡは、マルチプレクサ２２ＲＡの出力信号に基づいて、出力端子Ｔout１における電圧を設定するものである。ドライバ２４ＲＢは、マルチプレクサ２２ＲＢの出力信号に基づいて、出力端子Ｔout２における電圧を設定するものである。
【０１２１】
図１８は、動作モードＭＡ（単相モード）における信号の流れの一動作例を表すものである。図１８において、太い実線は、信号ＳＩＧ１に係る信号の流れを示し、太い破線は、信号ＳＩＧ２に係る信号の流れを示す。セレクタ２３Ｒは、動作モードＭＡでは、信号Ｓselに基づいて信号Ｓ２１ＲＢＰを選択し、その信号Ｓ２１ＲＢＰを信号Ｓ２３Ｒとして出力する。動作モードＭＡでは、クロック信号ＣＬＫは停止する。これにより、マルチプレクサ２２ＲＡは、信号Ｓ２１ＲＡＰを選択し、その信号Ｓ２１ＲＡＰを出力する。また、マルチプレクサ２２ＲＢは、信号Ｓ２３Ｒを選択し、その信号Ｓ２３Ｒを出力する。ドライバ２４ＲＡは、マルチプレクサ２２ＲＡの出力信号に基づいて信号ＳＩＧ１を生成し、ドライバ２４ＲＢは、マルチプレクサ２２ＲＢの出力信号に基づいて信号ＳＩＧ２を生成する。
【０１２２】
図１９は、動作モードＭＢ（差動モード）における信号の流れを表すものである。図１９において、太い実線は、信号ＳＩＧＰに係る信号の流れを示し、太い破線は、信号ＳＩＧＮに係る信号の流れを示す。セレクタ２３Ｒは、動作モードＭＢでは、信号Ｓselに基づいて信号Ｓ２１ＲＢＮを選択し、その信号Ｓ２１ＲＢＮを信号Ｓ２３Ｒとして出力する。動作モードＭＢでは、クロック信号ＣＬＫはトグルする。これにより、マルチプレクサ２２ＲＡは、信号Ｓ２１ＲＡＰ，Ｓ２１ＲＢＰのうちの一方を交互に選択し、選択された信号を出力する。また、マルチプレクサ２２ＲＢは、信号Ｓ２１ＲＡＮ，Ｓ２３Ｒのうちの一方を交互に選択し、選択された信号を出力する。ドライバ２４ＲＡは、マルチプレクサ２２ＲＡの出力信号に基づいて信号ＳＩＧＰを生成し、ドライバ２４ＲＢは、マルチプレクサ２２ＲＢの出力信号に基づいて信号ＳＩＧＮを生成する。
【０１２３】
このように、比較例Ｒに係る送信装置１０Ｒでは、動作モードＭＡ（単相モード）においてクロック信号ＣＬＫを停止させ、動作モードＭＢ（差動モード）においてクロック信号ＣＬＫをトグルさせる。これにより、送信装置１０Ｒでは、動作モードＭＡにおける信号ＳＩＧ１，ＳＩＧ２のデータレートは、動作モードＭＢにおける信号ＳＩＧＰ，ＳＩＧＮのデータレートの半分に低下してしまう。
【０１２４】
一方、本実施の形態に係る送信装置１０では、動作モードＭＡ，ＭＢの両方において、クロック信号ＣＬＫをトグルさせる。これにより、送信装置１０では、動作モードＭＡにおける信号ＳＩＧ１，ＳＩＧ２のデータレートを、動作モードＭＢにおける信号ＳＩＧＰ，ＳＩＧＮのデータレートと同じにすることができるため、動作モードＭＡにおけるデータレートの低下を抑えることができる。
【０１２５】
（比較例Ｓ）
図２０は、比較例Ｓに係る送信装置１０Ｓにおける送信部１２Ｓの要部の一構成例を表すものである。送信部１２Ｓは、シリアライザ２１ＳＡ，２１ＳＢと、セレクタ２３Ｓとを有している。シリアライザ２１ＳＡは、信号ＤＩ１０〜ＤＩ１７をシリアライズすることにより、信号Ｓ２１ＳＡＰ，Ｓ２１ＳＡＮを生成するものである。信号Ｓ２１ＳＡＰ，Ｓ２１ＳＡＮは、互いに反転した信号である。シリアライザ２１ＳＢは、信号ＤＩ２０〜ＤＩ２７をシリアライズすることにより、信号Ｓ２１ＳＢＰを生成するものである。セレクタ２３Ｓは、信号Ｓselに基づいて、動作モードが動作モードＭＡ（単相モード）である場合には信号Ｓ２１ＳＢＰを選択し、動作モードが動作モードＭＢ（差動モード）である場合には信号Ｓ２１ＳＡＮを選択し、選択された信号を出力するものである。
【０１２６】
図２１は、動作モードＭＡ（単相モード）における信号の流れを表すものである。図２１において、太い実線は、信号ＳＩＧ１に係る信号の流れを示し、太い破線は、信号ＳＩＧ２に係る信号の流れを示す。セレクタ２３Ｓは、動作モードＭＡでは、信号Ｓselに基づいて信号Ｓ２１ＳＢＰを選択し、その信号Ｓ２１ＳＢＰを出力する。ドライバ２４ＲＡは、信号Ｓ２１ＳＡＰに基づいて信号ＳＩＧ１を生成し、ドライバ２４ＲＢは、セレクタ２３Ｓの出力信号に基づいて信号ＳＩＧ２を生成する。
【０１２７】
図２２は、動作モードＭＢ（差動モード）における信号の流れを表すものである。図２２において、太い実線は、信号ＳＩＧＰに係る信号の流れを示し、太い破線は、信号ＳＩＧＮに係る信号の流れを示す。セレクタ２３Ｓは、動作モードＭＢでは、信号Ｓselに基づいて信号Ｓ２１ＳＡＮを選択し、その信号Ｓ２１ＳＡＮを出力する。ドライバ２４ＲＡは、信号Ｓ２１ＳＡＰに基づいて信号ＳＩＧＰを生成し、ドライバ２４ＲＢは、セレクタ２３Ｓの出力信号に基づいて信号ＳＩＧＮを生成する。
【０１２８】
このように、比較例Ｓに係る送信装置１０Ｓでは、シリアライザ２１ＳＢを設けているにもかかわらず、動作モードＭＢにおいてシリアライザ２１ＳＢを動作させないため、送信装置１０Ｓを通信システム１Ｂに適用する場合には、シリアライザ２１ＳＢが無駄になってしまう。また、送信装置１０Ｓでは、シリアライザ２１ＳＡ，２１ＳＢの後段にマルチプレクサを設けていないため、データレートが低下してしまう。
【０１２９】
一方、本実施の形態に係る送信装置１０では、動作モードＭＡ，ＭＢの両方において、４つのシリアライザ２１の全てを動作させるようにしたので、回路を有効利用することができる。また、送信装置１０では、４つのシリアライザ２１の後段に４つのマルチプレクサ２２を設けるようにしたので、データレートを高めることができる。
【０１３０】
［効果］
以上のように本実施の形態では、２つの動作モードＭＡ，ＭＢを設け、単相信号または差動信号を用いて受信装置に対してデータを送信することができるようにしたので、様々なインタフェースを実現することができる。
【０１３１】
本実施の形態では、動作モードＭＢにおいてエンファシス動作を行うようにしたので、通信性能を高めることができる。
【０１３２】
［変形例１−１］
上記実施の形態では、４つのシリアライザ２１のそれぞれを図３のように構成したが、これに限定されるものではない。以下に、本変形例について詳細に説明する。
【０１３３】
図２３は、本変形例に係るシリアライザ１２１Ａの一構成例を表すものである。このシリアライザ１２１Ａは、上記実施の形態に係るシリアライザ２１Ａに対応するものである。シリアライザ１２１Ａは、クロック信号Ｐ０，Ｐ２，Ｐ４，Ｐ６に基づいて、信号ＤＩ１０，ＤＩ１２，ＤＩ１４，ＤＩ１６をシリアライズすることにより、信号Ｓ２１ＡＰ，Ｓ２１ＡＮを生成するものである。シリアライザ１２１Ａは、インバータＩＶ１〜ＩＶ６と、クロックドインバータＣＩＶ１〜ＣＩＶ４とを有している。
【０１３４】
インバータＩＶ１は、クロック信号Ｐ０を反転することにより反転クロック信号Ｐ０Ｂを生成するものである。インバータＩＶ２は、クロック信号Ｐ２を反転することにより反転クロック信号Ｐ２Ｂを生成するものである。インバータＩＶ３は、クロック信号Ｐ４を反転することにより反転クロック信号Ｐ４Ｂを生成するものである。インバータＩＶ４は、クロック信号Ｐ６を反転することにより反転クロック信号Ｐ６Ｂを生成するものである。
【０１３５】
クロックドインバータＣＩＶ１は、クロック信号Ｐ０が高レベルであり反転クロック信号Ｐ０Ｂが低レベルである場合に信号ＤＩ１０の反転信号をノードＮ１に印加し、クロック信号Ｐ０が低レベルであり反転クロック信号Ｐ０Ｂが高レベルである場合に出力インピーダンスをハイインピーダンスにするものである。クロックドインバータＣＩＶ２は、クロック信号Ｐ２が高レベルであり反転クロック信号Ｐ２Ｂが低レベルである場合に信号ＤＩ１２の反転信号をノードＮ１に印加し、クロック信号Ｐ２が低レベルであり反転クロック信号Ｐ２Ｂが高レベルである場合に出力インピーダンスをハイインピーダンスにするものである。クロックドインバータＣＩＶ３は、クロック信号Ｐ４が高レベルであり反転クロック信号Ｐ４Ｂが低レベルである場合に信号ＤＩ１４の反転信号をノードＮ１に印加し、クロック信号Ｐ４が低レベルであり反転クロック信号Ｐ４Ｂが高レベルである場合に出力インピーダンスをハイインピーダンスにするものである。クロックドインバータＣＩＶ４は、クロック信号Ｐ６が高レベルであり反転クロック信号Ｐ６Ｂが低レベルである場合に信号ＤＩ１６の反転信号をノードＮ１に印加し、クロック信号Ｐ６が低レベルであり反転クロック信号Ｐ６Ｂが高レベルである場合に出力インピーダンスをハイインピーダンスにするものである。
【０１３６】
インバータＩＶ５は、ノードＮ１における電圧を反転することにより信号Ｓ２１ＡＰを生成するものである。インバータＩＶ６は、信号Ｓ２１ＡＰを反転することにより信号Ｓ２１ＡＮを生成するものである。
【０１３７】
このシリアライザ１２１Ａは、上記実施の形態に係るシリアライザ２１Ａ（図４（Ａ）〜（Ｉ））と同様に動作することができる。
【０１３８】
図２４は、本変形例に係る他のシリアライザ１２２Ａの一構成例を表すものである。このシリアライザ１２２Ａは、上記実施の形態に係るシリアライザ２１Ａに対応するものである。このシリアライザ１２２Ａは、クロック信号Ｐ１０，Ｐ１２，Ｐ１４，Ｐ１６に基づいて、信号ＤＩ１０，ＤＩ１２，ＤＩ１４，ＤＩ１６をシリアライズすることにより、信号Ｓ２１ＡＰ，Ｓ２１ＡＮを生成するものである。クロック信号Ｐ１０，Ｐ１２，Ｐ１４，Ｐ１６は、いわゆる４相クロックである。シリアライザ１２２Ａは、トランジスタＭ２１〜Ｍ４８を有している。トランジスタＭ２１〜Ｍ４６はＮチャネルＭＯＳ型のＦＥＴであり、トランジスタＭ４７，Ｍ４８はＰチャネルＭＯＳ型のＦＥＴである。
【０１３９】
トランジスタＭ２１のソースは接地され、ゲートには信号ＤＩ１０Ｐが供給され、ドレインはトランジスタＭ２３のソースに接続されている。トランジスタＭ２２のソースは接地され、ゲートには信号ＤＩ１０Ｎが供給され、ドレインはトランジスタＭ２４のソースに接続されている。トランジスタＭ２３のソースはトランジスタＭ２１のドレインに接続され、ゲートにはクロック信号Ｐ１６が供給され、ドレインはトランジスタＭ２５のソースに接続されている。トランジスタＭ２４のソースはトランジスタＭ２２のドレインに接続され、ゲートにはクロック信号Ｐ１６が供給され、ドレインはトランジスタＭ２６のソースに接続されている。トランジスタＭ２５のソースはトランジスタＭ２３のドレインに接続され、ゲートにはクロック信号Ｐ１０が供給され、ドレインはトランジスタＭ３１，Ｍ３７，Ｍ４３のドレインおよびトランジスタＭ４５のソースに接続されている。トランジスタＭ２６のソースはトランジスタＭ２４のドレインに接続され、ゲートにはクロック信号Ｐ１０が供給され、ドレインはトランジスタＭ３２，Ｍ３８，Ｍ４４のドレインおよびトランジスタＭ４６のソースに接続されている。
【０１４０】
トランジスタＭ２７のソースは接地され、ゲートには信号ＤＩ１２Ｐが供給され、ドレインはトランジスタＭ２９のソースに接続されている。トランジスタＭ２８のソースは接地され、ゲートには信号ＤＩ１２Ｎが供給され、ドレインはトランジスタＭ３０のソースに接続されている。トランジスタＭ２９のソースはトランジスタＭ２７のドレインに接続され、ゲートにはクロック信号Ｐ１０が供給され、ドレインはトランジスタＭ３１のソースに接続されている。トランジスタＭ３０のソースはトランジスタＭ２８のドレインに接続され、ゲートにはクロック信号Ｐ１０が供給され、ドレインはトランジスタＭ３２のソースに接続されている。トランジスタＭ３１のソースはトランジスタＭ２９のドレインに接続され、ゲートにはクロック信号Ｐ１２が供給され、ドレインはトランジスタＭ２５，Ｍ３７，Ｍ４３のドレインおよびトランジスタＭ４５のソースに接続されている。トランジスタＭ３２のソースはトランジスタＭ３０のドレインに接続され、ゲートにはクロック信号Ｐ１２が供給され、ドレインはトランジスタＭ２６，Ｍ３８，Ｍ４４のドレインおよびトランジスタＭ４６のソースに接続されている。
【０１４１】
トランジスタＭ３３のソースは接地され、ゲートには信号ＤＩ１４Ｐが供給され、ドレインはトランジスタＭ３５のソースに接続されている。トランジスタＭ３４のソースは接地され、ゲートには信号ＤＩ１４Ｎが供給され、ドレインはトランジスタＭ３６のソースに接続されている。トランジスタＭ３５のソースはトランジスタＭ３３のドレインに接続され、ゲートにはクロック信号Ｐ１２が供給され、ドレインはトランジスタＭ３７のソースに接続されている。トランジスタＭ３６のソースはトランジスタＭ３４のドレインに接続され、ゲートにはクロック信号Ｐ１２が供給され、ドレインはトランジスタＭ３８のソースに接続されている。トランジスタＭ３７のソースはトランジスタＭ３５のドレインに接続され、ゲートにはクロック信号Ｐ１４が供給され、ドレインはトランジスタＭ２５，Ｍ３１，Ｍ４３のドレインおよびトランジスタＭ４５のソースに接続されている。トランジスタＭ３８のソースはトランジスタＭ３６のドレインに接続され、ゲートにはクロック信号Ｐ１４が供給され、ドレインはトランジスタＭ２６，Ｍ３２，Ｍ４４のドレインおよびトランジスタＭ４６のソースに接続されている。
【０１４２】
トランジスタＭ３９のソースは接地され、ゲートには信号ＤＩ１６Ｐが供給され、ドレインはトランジスタＭ４１のソースに接続されている。トランジスタＭ４０のソースは接地され、ゲートには信号ＤＩ１６Ｎが供給され、ドレインはトランジスタＭ４２のソースに接続されている。トランジスタＭ４１のソースはトランジスタＭ３９のドレインに接続され、ゲートにはクロック信号Ｐ１４が供給され、ドレインはトランジスタＭ４３のソースに接続されている。トランジスタＭ４２のソースはトランジスタＭ４０のドレインに接続され、ゲートにはクロック信号Ｐ１４が供給され、ドレインはトランジスタＭ４４のソースに接続されている。トランジスタＭ４３のソースはトランジスタＭ４１のドレインに接続され、ゲートにはクロック信号Ｐ１６が供給され、ドレインはトランジスタＭ２５，Ｍ３１，Ｍ３７のドレインおよびトランジスタＭ４５のソースに接続されている。トランジスタＭ４４のソースはトランジスタＭ４２のドレインに接続され、ゲートにはクロック信号Ｐ１６が供給され、ドレインはトランジスタＭ２６，Ｍ３２，Ｍ３８のドレインおよびトランジスタＭ４６のソースに接続されている。
【０１４３】
トランジスタＭ４５のソースはトランジスタＭ２５，Ｍ３１，Ｍ３７，Ｍ４３のドレインに接続され、ゲートには電源電圧ＶＤＤが供給され、ドレインはトランジスタＭ４７のドレインおよびトランジスタＭ４８のゲートに接続されている。トランジスタＭ４６のソースはトランジスタＭ２６，Ｍ３２，Ｍ３８，Ｍ４４のドレインに接続され、ゲートには電源電圧ＶＤＤが供給され、ドレインはトランジスタＭ４８のドレインおよびトランジスタＭ４７のゲートに接続されている。トランジスタＭ４７のソースには電源電圧ＶＤＤが供給され、ゲートはトランジスタＭ４６，Ｍ４８のドレインに接続され、ドレインはトランジスタＭ４５のドレインおよびトランジスタＭ４８のゲートに接続されている。トランジスタＭ４８のソースには電源電圧ＶＤＤが供給され、ゲートはトランジスタＭ４５，Ｍ４７のドレインに接続され、ドレインはトランジスタＭ４６のドレインおよびトランジスタＭ４７のゲートに接続されている。シリアライザ１２２Ａは、トランジスタＭ４６，Ｍ４８のドレインから信号Ｓ２１ＡＰを出力し、トランジスタＭ４５，Ｍ４７のドレインから信号Ｓ２１ＡＮを出力するようになっている。
【０１４４】
図２５は、シリアライザ１２２Ａの一動作例を表すものであり、（Ａ）〜（Ｄ）は信号ＤＩ１０，ＤＩ１２，ＤＩ１４，ＤＩ１６の波形を示し、（Ｅ）〜（Ｈ）はクロック信号Ｐ１０，Ｐ１２，Ｐ１４，Ｐ１６の波形を示し、（Ｉ）は信号Ｓ２１ＡＰ，Ｓ２１ＡＮの波形を示す。クロック信号Ｐ１０は、タイミングｔ１３において低レベルから高レベルに遷移し、タイミングｔ１７において、高レベルから低レベルに遷移する（図２５（Ｅ））。クロック信号Ｐ１２は、タイミングｔ１５において低レベルから高レベルに遷移し、タイミングｔ１９において、高レベルから低レベルに遷移する（図２５（Ｆ））。クロック信号Ｐ１４は、タイミングｔ１３において高レベルから低レベルに遷移し、タイミングｔ１７において、低レベルから高レベルに遷移する（図２５（Ｇ））。クロック信号Ｐ１６は、タイミングｔ１５において高レベルから低レベルに遷移し、タイミングｔ１９において、低レベルから高レベルに遷移する（図２５（Ｈ））。
【０１４５】
これにより、シリアライザ１２２Ａは、クロック信号Ｐ１０，Ｐ１６がともに高レベルになるタイミングｔ１３〜ｔ１５の期間において、信号ＤＩ１０（データ“Ｄ０（ｎ）”）を選択し、信号Ｓ２１ＡＰ，Ｓ２１ＡＮとして出力する（図２５（Ｉ））。また、シリアライザ１２２Ａは、クロック信号Ｐ１０，Ｐ１２がともに高レベルになるタイミングｔ１５〜ｔ１７の期間において、信号ＤＩ１２（データ“Ｄ２（ｎ）”）を選択し、信号Ｓ２１ＡＰ，Ｓ２１ＡＮとして出力する。また、シリアライザ１２２Ａは、クロック信号Ｐ１２，Ｐ１４がともに高レベルになるタイミングｔ１７〜ｔ１９の期間において、信号ＤＩ１４（データ“Ｄ４（ｎ）”）を選択し、信号Ｓ２１ＡＰ，Ｓ２１ＡＮとして出力する。また、シリアライザ１２２Ａは、クロック信号Ｐ１４，Ｐ１６がともに高レベルになるタイミングｔ１９〜ｔ２１の期間において、信号ＤＩ１６（データ“Ｄ６（ｎ）”）を選択し、信号Ｓ２１ＡＰ，Ｓ２１ＡＮとして出力する。
【０１４６】
［変形例１−２］
上記実施の形態では、図４に示したように、信号ＤＩ１０，ＤＩ１２の遷移タイミングと、信号ＤＩ１４，ＤＩ１６の遷移タイミングをずらすようにしたが、これに限定されるものではない。これに代えて、図２６に示すように、信号ＤＩ１０，ＤＩ１２，ＤＩ１４，ＤＩ１６の遷移タイミングが互いに一致するようにしてもよい。
【０１４７】
この例では、タイミングｔ１３において、信号ＤＩ１０はデータ“Ｄ０（ｎ）”に設定され、信号ＤＩ１２はデータ“Ｄ２（ｎ）”に設定され、信号ＤＩ１４はデータ“Ｄ４（ｎ）”に設定され、信号ＤＩ１６はデータ“Ｄ６（ｎ）”に設定される（図２６（Ａ）〜（Ｄ））。
【０１４８】
シリアライザ２１Ａは、クロック信号Ｐ０が高レベルになるタイミングｔ１３〜ｔ１５の期間において、信号ＤＩ１０（データ“Ｄ０（ｎ）”）を選択し、信号Ｓ２１ＡＰ，Ｓ２１ＡＮとして出力する（図２６（Ｉ））。同様に、シリアライザ２１Ａは、クロック信号Ｐ２が高レベルになるタイミングｔ１５〜ｔ１７の期間において、信号ＤＩ１２（データ“Ｄ２（ｎ）”）を選択し、信号Ｓ２１ＡＰ，Ｓ２１ＡＮとして出力する。シリアライザ２１Ａは、クロック信号Ｐ４が高レベルになるタイミングｔ１７〜ｔ１９の期間において、信号ＤＩ１４（データ“Ｄ４（ｎ）”）を選択し、信号Ｓ２１ＡＰ，Ｓ２１ＡＮとして出力する。シリアライザ２１Ａは、クロック信号Ｐ６が高レベルになるタイミングｔ１９〜ｔ２１の期間において、信号ＤＩ１６（データ“Ｄ６（ｎ）”）を選択し、信号Ｓ２１ＡＰ，Ｓ２１ＡＮとして出力する。
【０１４９】
［変形例１−３］
上記実施の形態では、セレクタ型のシリアライザ２１を用いたが、これに限定されるものではない。以下に、本変形例について詳細に説明する。
【０１５０】
図２７は、本変形例に係るシリアライザ１２３Ａの一構成例を表すものである。シリアライザ１２３Ａは、上記実施の形態に係るシリアライザ２１Ａに対応するものである。シリアライザ１２３Ａは、シフトレジスタ型のシリアライザである。シリアライザ１２３Ａは、クロック信号ＣＬＫ２に基づいて、信号ＤＩ１０，ＤＩ１２，ＤＩ１４，ＤＩ１６をシリアライズすることにより、信号Ｓ２１ＡＰ，Ｓ２１ＡＮを生成するものである。シリアライザ１２３Ａは、セレクタ５１，５３，５５，５７と、フリップフロップ（Ｆ／Ｆ）５２，５４，５６，５８とを有している。
【０１５１】
セレクタ５１は、信号ＣＴＬ２が高レベルである場合には信号ＤＩ１６を選択し、信号ＣＴＬ２が低レベルである場合には接地レベルを選択し、選択した信号を出力するものである。フリップフロップ５２は、クロック信号ＣＬＫ２の立ち上がりエッジに基づいてセレクタ５１の出力信号をサンプリングして出力するものである。セレクタ５３は、信号ＣＴＬ２が高レベルである場合には信号ＤＩ１４を選択し、信号ＣＴＬ２が低レベルである場合にはフリップフロップ５２の出力信号を選択し、選択した信号を出力するものである。フリップフロップ５４は、クロック信号ＣＬＫ２の立ち上がりエッジに基づいてセレクタ５３の出力信号をサンプリングして出力するものである。セレクタ５５は、信号ＣＴＬ２が高レベルである場合には信号ＤＩ１２を選択し、信号ＣＴＬ２が低レベルである場合にはフリップフロップ５４の出力信号を選択し、選択した信号を出力するものである。フリップフロップ５６は、クロック信号ＣＬＫ２の立ち上がりエッジに基づいてセレクタ５５の出力信号をサンプリングして出力するものである。セレクタ５７は、信号ＣＴＬ２が高レベルである場合には信号ＤＩ１０を選択し、信号ＣＴＬ２が低レベルである場合にはフリップフロップ５６の出力信号を選択し、選択した信号を出力するものである。フリップフロップ５８は、クロック信号ＣＬＫ２の立ち上がりエッジに基づいてセレクタ５７の出力信号をサンプリングして信号Ｓ２１ＡＰとして出力するとともに、その信号Ｓ２１ＡＰの反転信号を信号ＳＩ２１ＡＮとして出力するものである。
【０１５２】
図２８は、シリアライザ１２３Ａの一動作例を表すものであり、（Ａ）〜（Ｄ）は信号ＤＩ１０，ＤＩ１２，ＤＩ１４，ＤＩ１６の波形を示し、（Ｅ）はクロック信号ＣＬＫ２の波形を示し、（Ｆ）は信号ＣＴＬ２の波形を示し、（Ｇ）は信号Ｓ２１ＡＰ，Ｓ２１ＡＮの波形を示す。
【０１５３】
この例では、タイミングｔ５１において、信号ＤＩ１０はデータ“Ｄ０（ｎ）”に設定され、信号ＤＩ１２はデータ“Ｄ２（ｎ）”に設定され、信号ＤＩ１４はデータ“Ｄ４（ｎ）”に設定され、信号ＤＩ１６はデータ“Ｄ６（ｎ）”に設定される（図２８（Ａ）〜（Ｄ））。
【０１５４】
そして、タイミングｔ５３において、信号ＣＴＬ２が低レベルから高レベルに遷移し、タイミングｔ５５において、信号ＣＴＬ２が高レベルから低レベルに遷移する（図２８（Ｆ））。信号ＣＴＬ２が高レベルになるタイミングｔ５３〜ｔ５５の期間において、セレクタ５１は信号ＤＩ１６（データ“Ｄ６（ｎ）”）を選択し、セレクタ５３は信号ＤＩ１４（データ“Ｄ４（ｎ）”）を選択し、セレクタ５５は信号ＤＩ１２（データ“Ｄ２（ｎ）”）を選択し、セレクタ５７は信号ＤＩ１０（データ“Ｄ０（ｎ）”）を選択する。そして、タイミングｔ５４におけるクロック信号ＣＬＫ２の立ち上がりエッジに基づいて、フリップフロップ５２はセレクタ５１の出力信号（データ“Ｄ６（ｎ）”）をサンプリングし、フリップフロップ５４はセレクタ５３の出力信号（データ“Ｄ４（ｎ）”）をサンプリングし、フリップフロップ５６はセレクタ５５の出力信号（データ“Ｄ２（ｎ）”）をサンプリングし、フリップフロップ５８はセレクタ５７の出力信号（データ“Ｄ０（ｎ）”）をサンプリングする。そして、タイミングｔ５５において信号ＣＴＬ２が低レベルになった後に、シリアライザ１２３Ａは、クロック信号ＣＬＫ２に基づいてシフトレジスタとして動作する。
【０１５５】
このようにして、シリアライザ１２３Ａは、タイミングｔ５４〜ｔ５６の期間においてデータ“Ｄ０（ｎ）”を出力し、タイミングｔ５６〜ｔ５７の期間においてデータ“Ｄ２（ｎ）”を出力し、タイミングｔ５７〜ｔ５８の期間においてデータ“Ｄ４（ｎ）”を出力し、タイミングｔ５８〜ｔ５９の期間においてデータ“Ｄ６（ｎ）”を出力する（図２８（Ｇ））。
【０１５６】
［変形例１−４］
上記実施の形態では、セレクタ２３を設けたが、これに限定されるものではない。以下に、本変形例について詳細に説明する。
【０１５７】
図２９は、本変形例に係る送信部１２Ｄの要部の一構成例を表すものである。図２９は、図２におけるシリアライザ２１Ａ〜２１Ｄより後の回路を描いたものである。送信部１２Ｄは、送信部１２Ｄは、４つのシリアライザ２１（シリアライザ２１Ａ，２１Ｂ，２１Ｃ，２１Ｄ）と、４つのマルチプレクサ２２（マルチプレクサ２２Ａ，２２Ｂ，２２Ｃ，２２Ｄ）と、２つのドライバ３９（ドライバ３９Ａ，３９Ｂ）と、制御部２５Ｄとを有している。
【０１５８】
ドライバ３９Ａは、信号Ｓ２２Ａ，Ｓ２２Ｂ，Ｓ２２Ｃ，Ｓ２２Ｄ、信号Ｓsel1，Ｓsel2，Ｓsel3、および信号ＣＴＬに基づいて、出力端子Ｔout１における電圧を設定するものである。ドライバ３９Ｂは、信号Ｓ２２Ａ，Ｓ２２Ｂ，Ｓ２２Ｃ，Ｓ２２Ｄ、信号Ｓsel1，Ｓsel2，Ｓsel3、および信号ＣＴＬに基づいて、出力端子Ｔout２における電圧を設定するものである。信号Ｓsel1，Ｓsel2，Ｓsel3は、動作モードに応じて設定されるものである。具体的には、動作モードＭＡでは、信号Ｓsel1，Ｓsel2がともに高レベルに設定されるとともに、信号Ｓsel3が低レベルに設定される。また、動作モードＭＢでは、信号Ｓsel1，Ｓsel3がともに高レベルに設定されるとともに、信号Ｓsel2が低レベルに設定される。
【０１５９】
図３０は、ドライバ３９Ａの一構成例を表すものである。図３１は、ドライバ３９Ｂの一構成例を表すものである。ドライバ３９Ａは、Ｍ個のサブドライバＡＡ（サブドライバＡＡ１〜ＡＡＭ）と、Ｎ個のサブドライバＡＢ（サブドライバＡＢ１〜ＡＢＮ）と、Ｎ個のサブドライバＡＣ（サブドライバＡＣ１〜ＡＣＮ）とを有している。ドライバ３９Ｂは、Ｍ個のサブドライバＢＡ（サブドライバＢＡ１〜ＢＡＭ）と、Ｍ個のサブドライバＢＢ（サブドライバＢＢ１〜ＢＢＭ）と、Ｎ個のサブドライバＢＣ（サブドライバＢＣ１〜ＢＣＮ）とを有している。
【０１６０】
サブドライバＡＡ１〜ＡＡＭ，ＡＢ１〜ＡＢＮ，ＡＣ１〜ＡＣＮ，ＢＡ１〜ＢＡＭ，ＢＢ１〜ＢＢＭ，ＢＣ１〜ＢＣＮのそれぞれは、抵抗素子９１，９４と、トランジスタ９２，９３，９５，９６とを有している。トランジスタ９２，９３，９５，９６は、ＮチャネルＭＯＳ型のＦＥＴである。なお、図２９において、ドライバ３９Ａ，３９Ｂ内に、これらのトランジスタ９２，９３，９５，９６を描いている。また、図２９では、抵抗素子９１，９４の図示を省いている。
【０１６１】
ドライバ３９Ａ（図３０）のサブドライバＡＡ１〜ＡＡＭのそれぞれにおいて、抵抗素子９１の一端には電圧Ｖ１が供給され、他端はトランジスタ９５のドレインに接続されている。トランジスタ９５のゲートには信号Ｓsel1が供給され、ドレインは抵抗素子９１の他端に接続され、ソースはトランジスタ９２のドレインに接続されている。トランジスタ９２のゲートには信号Ｓ２２Ａが供給され、ドレインはトランジスタ９５のソースに接続され、ソースはトランジスタ９３のドレインに接続されるとともに出力端子Ｔout１に接続されている。トランジスタ９３のゲートには信号Ｓ２２Ｂが供給され、ドレインはトランジスタ９２のソースに接続されるとともに出力端子Ｔout１に接続され、ソースはトランジスタ９６のドレインに接続されている。トランジスタ９６のゲートには信号Ｓsel1が供給され、ドレインはトランジスタ９３のソースに接続され、ソースは抵抗素子９４の一端に接続されている。抵抗素子９４の一端はトランジスタ９６のソースに接続され、他端は接地されている。
【０１６２】
ドライバ３９ＡのサブドライバＡＢ１〜ＡＢＮのそれぞれにおいて、抵抗素子９１の一端には電圧Ｖ１が供給され、他端はトランジスタ９５のドレインに接続されている。トランジスタ９５のゲートには信号Ｓsel2が供給され、ドレインは抵抗素子９１の他端に接続され、ソースはトランジスタ９２のドレインに接続されている。トランジスタ９２のゲートには信号Ｓ２２Ａが供給され、ドレインはトランジスタ９５のソースに接続され、ソースはトランジスタ９３のドレインに接続されるとともに出力端子Ｔout１に接続されている。トランジスタ９３のゲートには信号Ｓ２２Ｂが供給され、ドレインはトランジスタ９２のソースに接続されるとともに出力端子Ｔout１に接続され、ソースはトランジスタ９６のドレインに接続されている。トランジスタ９６のゲートには信号Ｓsel2が供給され、ドレインはトランジスタ９３のソースに接続され、ソースは抵抗素子９４の一端に接続されている。抵抗素子９４の一端はトランジスタ９６のソースに接続され、他端は接地されている。
【０１６３】
ドライバ３９ＡのサブドライバＡＣ１〜ＡＣＮのそれぞれにおいて、抵抗素子９１の一端には電圧Ｖ１が供給され、他端はトランジスタ９５のドレインに接続されている。トランジスタ９５のゲートには信号Ｓsel3が供給され、ドレインは抵抗素子９１の他端に接続され、ソースはトランジスタ９２のドレインに接続されている。トランジスタ９２のゲートには信号Ｓ２２Ｄが供給され、ドレインはトランジスタ９５のソースに接続され、ソースはトランジスタ９３のドレインに接続されるとともに出力端子Ｔout１に接続されている。トランジスタ９３のゲートには信号Ｓ２２Ｃが供給され、ドレインはトランジスタ９２のソースに接続されるとともに出力端子Ｔout１に接続され、ソースはトランジスタ９６のドレインに接続されている。トランジスタ９６のゲートには信号Ｓsel3が供給され、ドレインはトランジスタ９３のソースに接続され、ソースは抵抗素子９４の一端に接続されている。抵抗素子９４の一端はトランジスタ９６のソースに接続され、他端は接地されている。
【０１６４】
ドライバ３９Ｂ（図３１）のサブドライバＢＡ１〜ＢＡＭのそれぞれにおいて、抵抗素子９１の一端には電圧Ｖ１が供給され、他端はトランジスタ９５のドレインに接続されている。トランジスタ９５のゲートには信号Ｓsel3が供給され、ドレインは抵抗素子９１の他端に接続され、ソースはトランジスタ９２のドレインに接続されている。トランジスタ９２のゲートには信号Ｓ２２Ｂが供給され、ドレインはトランジスタ９５のソースに接続され、ソースはトランジスタ９３のドレインに接続されるとともに出力端子Ｔout２に接続されている。トランジスタ９３のゲートには信号Ｓ２２Ａが供給され、ドレインはトランジスタ９２のソースに接続されるとともに出力端子Ｔout２に接続され、ソースはトランジスタ９６のドレインに接続されている。トランジスタ９６のゲートには信号Ｓsel3が供給され、ドレインはトランジスタ９３のソースに接続され、ソースは抵抗素子９４の一端に接続されている。抵抗素子９４の一端はトランジスタ９６のソースに接続され、他端は接地されている。
【０１６５】
ドライバ３９ＢのサブドライバＢＢ１〜ＢＢＭのそれぞれにおいて、抵抗素子９１の一端には電圧Ｖ１が供給され、他端はトランジスタ９５のドレインに接続されている。トランジスタ９５のゲートには信号Ｓsel2が供給され、ドレインは抵抗素子９１の他端に接続され、ソースはトランジスタ９２のドレインに接続されている。トランジスタ９２のゲートには信号Ｓ２２Ｃが供給され、ドレインはトランジスタ９５のソースに接続され、ソースはトランジスタ９３のドレインに接続されるとともに出力端子Ｔout２に接続されている。トランジスタ９３のゲートには信号Ｓ２２Ｄが供給され、ドレインはトランジスタ９２のソースに接続されるとともに出力端子Ｔout２に接続され、ソースはトランジスタ９６のドレインに接続されている。トランジスタ９６のゲートには信号Ｓsel2が供給され、ドレインはトランジスタ９３のソースに接続され、ソースは抵抗素子９４の一端に接続されている。抵抗素子９４の一端はトランジスタ９６のソースに接続され、他端は接地されている。
【０１６６】
ドライバ３９ＢのサブドライバＢＣ１〜ＢＣＮのそれぞれにおいて、抵抗素子９１の一端には電圧Ｖ１が供給され、他端はトランジスタ９５のドレインに接続されている。トランジスタ９５のゲートには信号Ｓsel1が供給され、ドレインは抵抗素子９１の他端に接続され、ソースはトランジスタ９２のドレインに接続されている。トランジスタ９２のゲートには信号Ｓ２２Ｃが供給され、ドレインはトランジスタ９５のソースに接続され、ソースはトランジスタ９３のドレインに接続されるとともに出力端子Ｔout２に接続されている。トランジスタ９３のゲートには信号Ｓ２２Ｄが供給され、ドレインはトランジスタ９２のソースに接続されるとともに出力端子Ｔout２に接続され、ソースはトランジスタ９６のドレインに接続されている。トランジスタ９６のゲートには信号Ｓsel1が供給され、ドレインはトランジスタ９３のソースに接続され、ソースは抵抗素子９４の一端に接続されている。抵抗素子９４の一端はトランジスタ９６のソースに接続され、他端は接地されている。
【０１６７】
例えば、動作モードＭＡ（単相モード）では、信号Ｓsel1，Ｓsel2がともに高レベルに設定されるとともに、信号Ｓsel3が低レベルに設定される。これにより、ドライバ３９Ａ（図３０）では、サブドライバＡＡ１〜ＡＡＭ，ＡＢ１〜ＡＢＮが有効になるとともに、サブドライバＡＣ１〜ＡＣＮが無効になる。また、ドライバ３９Ｂ（図３１）では、サブドライバＢＢ１〜ＢＢＭ，ＢＣ１〜ＢＣＮが有効になるとともに、サブドライバＢＡ１〜ＢＡＭが無効になる。
【０１６８】
また、例えば、動作モードＭＢ（差動モード）では、信号Ｓsel1，Ｓsel3がともに高レベルに設定されるとともに、信号Ｓsel2が低レベルに設定される。これにより、ドライバ３９Ａ（図３０）では、サブドライバＡＡ１〜ＡＡＭ，ＡＣ１〜ＡＣＮが有効になるとともに、サブドライバＡＢ１〜ＡＢＮが無効になる。また、ドライバ３９Ｂ（図３１）では、サブドライバＢＡ１〜ＢＡＭ，ＢＣ１〜ＢＣＮが有効になるとともに、サブドライバＢＢ１〜ＢＢＭが無効になる。
【０１６９】
制御部２５Ｄ（図２９）は、処理部１１から供給されたモード信号Ｓmodeに基づいて、クロック信号Ｐ０〜Ｐ７，ＣＬＫおよび信号Ｓsel1，Ｓsel2，Ｓsel3，ＣＴＬを生成するものである。
【０１７０】
ここで、ドライバ３９Ａは、本開示における「第１のドライバ」の一具体例に対応する。複数のサブドライバＡＡ１〜ＡＡＭは、本開示における「第１のサブドライバ部」の一具体例に対応し、複数のサブドライバＡＢ１〜ＡＢＮは、本開示における「第５のサブドライバ部」の一具体例に対応し、複数のサブドライバＡＣ１〜ＡＣＮは、本開示における「第６のサブドライバ部」の一具体例に対応する。ドライバ３９Ｂは、本開示における「第２のドライバ」の一具体例に対応する。
【０１７１】
図３２は、動作モードＭＡにおける信号の流れを表すものである。図３２において、太い実線は、信号ＤＩ１０〜ＤＩ１７に係る信号の流れを示し、太い破線は、信号ＤＩ２０〜ＤＩ２７に係る信号の流れを示す。ドライバ３９ＡのサブドライバＡＡ１〜ＡＡＭは、信号Ｓ２２Ａ，Ｓ２２Ｂに基づいて動作し、ドライバ３９ＡのサブドライバＡＢ１〜ＡＢＮは、信号Ｓ２２Ａ，Ｓ２２Ｂに基づいて動作する。また、ドライバ３９ＢのサブドライバＢＢ１〜ＢＢＭは、信号Ｓ２２Ｃ，Ｓ２２Ｄに基づいて動作し、ドライバ３９ＢのサブドライバＢＣ１〜ＢＣＮは、信号Ｓ２２Ｃ，Ｓ２２Ｄに基づいて動作する。
【０１７２】
図３３は、動作モードＭＢにおける信号の流れを表すものである。図３３において、太い実線は、信号ＤＩ１０〜ＤＩ１７に係る信号の流れを示し、太い破線は、信号ＤＩ２０〜ＤＩ２７に係る信号の流れを示す。ドライバ３９ＡのサブドライバＡＡ１〜ＡＡＭは、信号Ｓ２２Ａ，Ｓ２２Ｂに基づいて動作し、ドライバ３９ＢのサブドライバＢＡ１〜ＢＡＭは、信号Ｓ２２Ｂ，Ｓ２２Ａに基づいて動作する。ドライバ３９ＡのサブドライバＡＣ１〜ＡＣＮは、信号Ｓ２２Ｃ，Ｓ２２Ｄに基づいて動作し、ドライバ３９ＢのサブドライバＢＣ１〜ＢＣＭは、信号Ｓ２２Ｄ，Ｓ２２Ｃに基づいて動作する。
【０１７３】
［変形例１−５］
上記実施の形態では、マルチプレクサ２２の後段にセレクタ２３を設けたが、これに限定されるものではない。以下に、本変形例について詳細に説明する
【０１７４】
図３４は、本変形例に係る送信部１２Ｅの一構成例を表すものである。送信部１２Ｅは、８つのセレクタ２６（セレクタ２６Ａ〜２６Ｈ）と、８つのマルチプレクサ２７（マルチプレクサ２７Ａ〜２７Ｈ）とを有している。
【０１７５】
セレクタ２６Ａは、信号Ｓselに基づいて、動作モードが動作モードＭＡ（単相モード）である場合には信号Ｓ２１ＡＰを選択し、動作モードが動作モードＭＢ（差動モード）である場合には信号Ｓ２１ＢＮを選択し、選択された信号を出力するものである。セレクタ２６Ｂは、信号Ｓselに基づいて、動作モードが動作モードＭＡである場合には信号Ｓ２１ＣＰを選択し、動作モードが動作モードＭＢである場合には信号Ｓ２１ＤＮを選択し、選択された信号を出力するものである。セレクタ２６Ｃは、信号Ｓselに基づいて、動作モードが動作モードＭＡである場合には信号Ｓ２１ＡＮを選択し、動作モードが動作モードＭＢである場合には信号Ｓ２１ＢＰを選択し、選択された信号を出力するものである。セレクタ２６Ｄは、信号Ｓselに基づいて、動作モードが動作モードＭＡである場合には信号Ｓ２１ＣＮを選択し、動作モードが動作モードＭＢである場合には信号Ｓ２１ＤＰを選択し、選択された信号を出力するものである。セレクタ２６Ｅは、信号Ｓselに基づいて、動作モードが動作モードＭＡである場合には信号Ｓ２１ＢＰを選択し、動作モードが動作モードＭＢである場合には信号Ｓ２１ＡＮを選択し、選択された信号を出力するものである。セレクタ２６Ｆは、信号Ｓselに基づいて、動作モードが動作モードＭＡである場合には信号Ｓ２１ＤＰを選択し、動作モードが動作モードＭＢである場合には信号Ｓ２１ＣＮを選択し、選択された信号を出力するものである。セレクタ２６Ｇは、信号Ｓselに基づいて、動作モードが動作モードＭＡである場合には信号Ｓ２１ＢＮを選択し、動作モードが動作モードＭＢである場合には信号Ｓ２１ＡＰを選択し、選択された信号を出力するものである。セレクタ２６Ｈは、信号Ｓselに基づいて、動作モードが動作モードＭＡである場合には信号Ｓ２１ＤＮを選択し、動作モードが動作モードＭＢである場合には信号Ｓ２１ＣＰを選択し、選択された信号を出力するものである。
【０１７６】
マルチプレクサ２７Ａは、クロック信号ＣＬＫに基づいて、信号Ｓ２１ＡＰ，Ｓ２１ＣＰのうちの一方を交互に選択し、選択された信号を出力するものである。マルチプレクサ２７Ｂは、クロック信号ＣＬＫに基づいて、信号Ｓ２１ＡＮ，Ｓ２１ＣＮのうちの一方を交互に選択し、選択された信号を出力するものである。マルチプレクサ２７Ｃは、クロック信号ＣＬＫに基づいて、セレクタ２６Ａの出力信号およびセレクタ２６Ｂの出力信号のうちの一方を交互に選択し、選択された信号を出力するものである。マルチプレクサ２７Ｄは、クロック信号ＣＬＫに基づいて、セレクタ２６Ｃの出力信号およびセレクタ２６Ｄの出力信号のうちの一方を交互に選択し、選択された信号を出力するものである。マルチプレクサ２７Ｅは、クロック信号ＣＬＫに基づいて、セレクタ２６Ｅの出力信号およびセレクタ２６Ｆの出力信号のうちの一方を交互に選択し、選択された信号を出力するものである。マルチプレクサ２７Ｆは、クロック信号ＣＬＫに基づいて、セレクタ２６Ｇの出力信号およびセレクタ２６Ｈの出力信号のうちの一方を交互に選択し、選択された信号を出力するものである。マルチプレクサ２７Ｇは、クロック信号ＣＬＫに基づいて、信号Ｓ２１ＢＰ，Ｓ２１ＤＰのうちの一方を交互に選択し、選択された信号を出力するものである。マルチプレクサ２７Ｈは、クロック信号ＣＬＫに基づいて、信号Ｓ２１ＢＮ，Ｓ２１ＤＮのうちの一方を交互に選択し、選択された信号を出力するものである。
【０１７７】
ここで、複数のマルチプレクサ２７Ａ〜２７Ｈは、本開示における「マルチプレクサ部」の一具体例に対応する。
【０１７８】
この構成により、ドライバ２４Ａでは、サブドライバＡＡ１〜ＡＡＭは、マルチプレクサ２７Ａの出力信号およびマルチプレクサ２７Ｂの出力信号に基づいて動作し、サブドライバＡＢ１〜ＡＢＮは、マルチプレクサ２７Ｃの出力信号およびマルチプレクサ２７Ｄの出力信号に基づいて動作する。また、ドライバ２４Ｂでは、サブドライバＢＡ１〜ＢＡＭは、マルチプレクサ２７Ｅの出力信号およびマルチプレクサ２７Ｆの出力信号に基づいて動作し、サブドライバＢＢ１〜ＢＢＮは、マルチプレクサ２７Ｇの出力信号およびマルチプレクサ２７Ｈの出力信号に基づいて動作する。
【０１７９】
図３５は、動作モードＭＡ（単相モード）における信号の流れを表すものである。図３５において、太い実線は、信号ＤＩ１０〜ＤＩ１７に係る信号の流れを示し、太い破線は、信号ＤＩ２０〜ＤＩ２７に係る信号の流れを示す。
【０１８０】
まず、信号ＤＩ１０〜ＤＩ１７に係る信号の流れを説明する。動作モードＭＡでは、セレクタ２６Ａは、信号Ｓselに基づいて信号Ｓ２１ＡＰを選択し、その信号Ｓ２１ＡＰを出力する。セレクタ２６Ｂは、信号Ｓselに基づいて信号Ｓ２１ＣＰを選択し、その信号Ｓ２１ＣＰを出力する。セレクタ２６Ｃは、信号Ｓselに基づいて信号Ｓ２１ＡＮを選択し、その信号Ｓ２１ＡＮを出力する。セレクタ２６Ｄは、信号Ｓselに基づいて信号Ｓ２１ＣＮを選択し、その信号Ｓ２１ＣＮを出力する。
【０１８１】
マルチプレクサ２７Ａは、クロック信号ＣＬＫに基づいて、信号Ｓ２１ＡＰ，Ｓ２１ＣＰのうちの一方を交互に選択し、選択された信号を出力する。マルチプレクサ２７Ｂは、クロック信号ＣＬＫに基づいて、信号Ｓ２１ＡＮ，Ｓ２１ＣＮのうちの一方を交互に選択し、選択された信号を出力する。マルチプレクサ２７Ｃは、クロック信号ＣＬＫに基づいて、セレクタ２６Ａの出力信号（信号Ｓ２１ＡＰ）およびセレクタ２６Ｂの出力信号（信号Ｓ２１ＣＰ）のうちの一方を交互に選択し、選択された信号を出力する。マルチプレクサ２７Ｄは、クロック信号ＣＬＫに基づいて、セレクタ２６Ｃの出力信号（信号Ｓ２１ＡＮ）およびセレクタ２６Ｄの出力信号（信号Ｓ２１ＣＮ）のうちの一方を交互に選択し、選択された信号を出力する。
【０１８２】
次に、信号ＤＩ２０〜ＤＩ２７に係る信号の流れを説明する。動作モードＭＡでは、セレクタ２６Ｅは、信号Ｓselに基づいて信号Ｓ２１ＢＰを選択し、その信号Ｓ２１ＢＰを出力する。セレクタ２６Ｆは、信号Ｓselに基づいて信号Ｓ２１ＤＰを選択し、その信号Ｓ２１ＤＰを出力する。セレクタ２６Ｇは、信号Ｓselに基づいて信号Ｓ２１ＢＮを選択し、その信号Ｓ２１ＢＮを出力する。セレクタ２６Ｈは、信号Ｓselに基づいて信号Ｓ２１ＤＮを選択し、その信号Ｓ２１ＤＮを出力する。
【０１８３】
マルチプレクサ２７Ｅは、クロック信号ＣＬＫに基づいて、セレクタ２６Ｅの出力信号（信号Ｓ２１ＢＰ）およびセレクタ２６Ｆの出力信号（信号Ｓ２１ＤＰ）のうちの一方を交互に選択し、選択された信号を出力する。マルチプレクサ２７Ｆは、クロック信号ＣＬＫに基づいて、セレクタ２６Ｇの出力信号（信号Ｓ２１ＢＮ）およびセレクタ２６Ｈの出力信号（信号Ｓ２１ＤＮ）のうちの一方を交互に選択し、選択された信号を出力する。マルチプレクサ２７Ｇは、クロック信号ＣＬＫに基づいて、信号Ｓ２１ＢＰ，Ｓ２１ＤＰのうちの一方を交互に選択し、選択された信号を出力する。マルチプレクサ２７Ｈは、クロック信号ＣＬＫに基づいて、信号Ｓ２１ＢＮ，Ｓ２１ＤＮのうちの一方を交互に選択し、選択された信号を出力する。
【０１８４】
図３６は、動作モードＭＢ（差動モード）における信号の流れを表すものである。図３６において、太い実線は、信号ＤＩ１０〜ＤＩ１７に係る信号の流れを示し、太い破線は、信号ＤＩ２０〜ＤＩ２７に係る信号の流れを示す。
【０１８５】
まず、信号ＤＩ１０〜ＤＩ１７に係る信号の流れを説明する。動作モードＭＢでは、セレクタ２６Ｅは、信号Ｓselに基づいて信号Ｓ２１ＡＮを選択し、その信号Ｓ２１ＡＮを出力する。セレクタ２６Ｆは、信号Ｓselに基づいて信号Ｓ２１ＣＮを選択し、その信号Ｓ２１ＣＮを出力する。セレクタ２６Ｇは、信号Ｓselに基づいて信号Ｓ２１ＡＰを選択し、その信号Ｓ２１ＡＰを出力する。セレクタ２６Ｈは、信号Ｓselに基づいて信号Ｓ２１ＣＰを選択し、その信号Ｓ２１ＣＰを出力する。
【０１８６】
マルチプレクサ２７Ａは、クロック信号ＣＬＫに基づいて、信号Ｓ２１ＡＰ，Ｓ２１ＣＰのうちの一方を交互に選択し、選択された信号を出力する。マルチプレクサ２７Ｂは、クロック信号ＣＬＫに基づいて、信号Ｓ２１ＡＮ，Ｓ２１ＣＮのうちの一方を交互に選択し、選択された信号を出力する。マルチプレクサ２７Ｅは、クロック信号ＣＬＫに基づいて、セレクタ２６Ｅの出力信号（信号Ｓ２１ＡＮ）およびセレクタ２６Ｆの出力信号（信号Ｓ２１ＣＮ）のうちの一方を交互に選択し、選択された信号を出力する。マルチプレクサ２７Ｆは、クロック信号ＣＬＫに基づいて、セレクタ２６Ｇの出力信号（信号Ｓ２１ＡＰ）およびセレクタ２６Ｈの出力信号（信号Ｓ２１ＣＰ）のうちの一方を交互に選択し、選択された信号を出力する。
【０１８７】
次に、信号ＤＩ２０〜ＤＩ２７に係る信号の流れを説明する。動作モードＭＢでは、セレクタ２６Ａは、信号Ｓselに基づいて信号Ｓ２１ＢＮを選択し、その信号Ｓ２１ＢＮを出力する。セレクタ２６Ｂは、信号Ｓselに基づいて信号Ｓ２１ＤＮを選択し、その信号Ｓ２１ＤＮを出力する。セレクタ２６Ｃは、信号Ｓselに基づいて信号Ｓ２１ＢＰを選択し、その信号Ｓ２１ＢＰを出力する。セレクタ２６Ｄは、信号Ｓselに基づいて信号Ｓ２１ＤＰを選択し、その信号Ｓ２１ＤＰを出力する。
【０１８８】
マルチプレクサ２７Ｃは、クロック信号ＣＬＫに基づいて、セレクタ２６Ａの出力信号（信号Ｓ２１ＢＮ）およびセレクタ２６Ｂの出力信号（信号Ｓ２１ＤＮ）のうちの一方を交互に選択して出力する。マルチプレクサ２７Ｄは、クロック信号ＣＬＫに基づいて、セレクタ２６Ｃの出力信号（信号Ｓ２１ＢＰ）およびセレクタ２６Ｄの出力信号（信号Ｓ２１ＤＰ）のうちの一方を交互に選択して出力する。マルチプレクサ２７Ｇは、クロック信号ＣＬＫに基づいて、信号Ｓ２１ＢＰ，Ｓ２１ＤＰのうちの一方を交互に選択して出力する。マルチプレクサ２７Ｈは、クロック信号ＣＬＫに基づいて、信号Ｓ２１ＢＮ，Ｓ２１ＤＮのうちの一方を交互に選択して出力する。
【０１８９】
＜２．第２の実施の形態＞
次に、第２の実施の形態に係る通信システム２Ａ〜２Ｃについて説明する。本実施の形態は、単相信号および差動信号に加え、３つの電圧レベルを有する信号をも用いて通信可能に構成された送信装置を備えたものである。なお、上記第１の実施の形態に係る通信システム１Ａ，１Ｂと実質的に同一の構成部分には同一の符号を付し、適宜説明を省略する。
【０１９０】
図３７Ａ，３７Ｂ，３７Ｃは、第２の実施の形態に係る送信装置（送信装置６０）が適用された通信システムの一構成例を表すものであり、図３７Ａは通信システム２Ａを示し、図３７Ｂは通信システム２Ｂを示し、図３７Ｃは通信システム２Ｃを示す。通信システム２Ａは、第１の実施の形態に係る通信システム１Ａと同様に、単相信号を用いて通信を行うものである。通信システム２Ｂは、第１の実施の形態に係る通信システム１Ｂと同様に、差動信号を用いて通信を行うものである。通信システム２Ｃは、３つの電圧レベルを有する信号（以下、３相信号ともいう）を用いて通信を行うものである。
【０１９１】
通信システム２Ａは、図３７Ａに示したように、送信装置６０と、受信装置１３０とを備えている。送信装置６０は、４つの出力端子Ｔout１〜Ｔout４を有し、受信装置１３０は、４つの入力端子Ｔin１〜Ｔin４を有している。送信装置６０の出力端子Ｔout１および受信装置１３０の入力端子Ｔin１は、線路１０１を介して互いに接続され、送信装置６０の出力端子Ｔout２および受信装置１３０の入力端子Ｔin２は、線路１０２を介して互いに接続され、送信装置６０の出力端子Ｔout３および受信装置１３０の入力端子Ｔin３は、線路１０３を介して互いに接続され、送信装置６０の出力端子Ｔout４および受信装置１３０の入力端子Ｔin４は、線路１０４を介して互いに接続されている。線路１０１〜１０４の特性インピーダンスは、この例では約５０［Ω］である。送信装置６０は、線路１０１を用いて信号ＳＩＧ１を送信し、線路１０２を用いて信号ＳＩＧ２を送信し、線路１０３を用いて信号ＳＩＧ３を送信し、線路１０４を用いて信号ＳＩＧ４を送信する。信号ＳＩＧ１〜ＳＩＧ４は、それぞれ単相信号である。
【０１９２】
通信システム２Ｂは、図３７Ｂに示したように、送信装置６０と、受信装置１４０とを備えている。受信装置１４０は、４つの入力端子Ｔin１Ｐ，Ｔin１Ｎ，Ｔin２Ｐ，Ｔin２Ｎを有している。送信装置６０の出力端子Ｔout１および受信装置１４０の入力端子Ｔin１Ｐは、線路１１１を介して互いに接続され、送信装置６０の出力端子Ｔout２および受信装置１４０の入力端子Ｔin１Ｎは、線路１１２を介して互いに接続され、送信装置６０の出力端子Ｔout３および受信装置１４０の入力端子Ｔin２Ｐは、線路１１３を介して互いに接続され、送信装置６０の出力端子Ｔout４および受信装置１４０の入力端子Ｔin２Ｎは、線路１１４を介して互いに接続されている。線路１１１〜１１４の特性インピーダンスは、この例では約５０［Ω］である。送信装置６０は、線路１１１を用いて信号ＳＩＧ１Ｐを送信し、線路１１２を用いて信号ＳＩＧ１Ｎを送信する。信号ＳＩＧ１Ｐ，ＳＩＧ１Ｎは、差動信号を構成するものである。また、送信装置６０は、線路１１３を用いて信号ＳＩＧ２Ｐを送信し、線路１１４を用いて信号ＳＩＧ２Ｎを送信する。信号ＳＩＧ２Ｐ，ＳＩＧ２Ｎは、差動信号を構成するものである。通信システム２Ｂでは、送信装置６０は、第１の実施の形態に係る送信装置１０と同様に、エンファシス動作を行うことにより、信号ＳＩＧ１Ｐ，ＳＩＧ１Ｎおよび信号ＳＩＧ２Ｐ，ＳＩＧ２Ｎを送信するようになっている。
【０１９３】
通信システム２Ｃは、図３７Ｃに示したように、送信装置６０と、受信装置１５０とを備えている。受信装置１５０は、３つの入力端子ＴinＡ，ＴinＢ，ＴinＣを有している。送信装置６０の出力端子Ｔout１および受信装置１５０の入力端子ＴinＡは、線路１２１を介して互いに接続され、送信装置６０の出力端子Ｔout２および受信装置１５０の入力端子ＴinＢは、線路１２２を介して互いに接続され、送信装置６０の出力端子Ｔout３および受信装置１５０の入力端子ＴinＣは、線路１２３を介して互いに接続されている。線路１２１〜１２３の特性インピーダンスは、この例では約５０［Ω］である。送信装置６０は、線路１２１を用いて信号ＳＩＧＡを送信し、線路１２２を用いて信号ＳＩＧＢを送信し、線路１２３を用いて信号ＳＩＧＣを送信する。信号ＳＩＧＡ，ＳＩＧＢ，ＳＩＧＣは、３相信号を構成するものである。
【０１９４】
図３８は、信号ＳＩＧＡ，ＳＩＧＢ，ＳＩＧＣの電圧を表すものである。通信システム２Ｃにおいて、送信装置６０は、３つの信号ＳＩＧＡ，ＳＩＧＢ，ＳＩＧＣを用いて、６つのシンボル“＋ｘ”，“−ｘ”，“＋ｙ”，“−ｙ”，“＋ｚ”，“−ｚ”を送信する。例えば、シンボル“＋ｘ”を送信する場合には、送信装置６０は、信号ＳＩＧＡを高レベル電圧ＶＨにし、信号ＳＩＧＢを低レベル電圧ＶＬにし、信号ＳＩＧＣを中レベル電圧ＶＭにする。シンボル“−ｘ”を送信する場合には、送信装置６０は、信号ＳＩＧＡを低レベル電圧ＶＬにし、信号ＳＩＧＢを高レベル電圧ＶＨにし、信号ＳＩＧＣを中レベル電圧ＶＭにする。シンボル“＋ｙ”を送信する場合には、送信装置６０は、信号ＳＩＧＡを中レベル電圧ＶＭにし、信号ＳＩＧＢを高レベル電圧ＶＨにし、信号ＳＩＧＣを低レベル電圧ＶＬにする。シンボル“−ｙ”を送信する場合には、送信装置６０は、信号ＳＩＧＡを中レベル電圧ＶＭにし、信号ＳＩＧＢを低レベル電圧ＶＬにし、信号ＳＩＧＣを高レベル電圧ＶＨにする。シンボル“＋ｚ”を送信する場合には、送信装置６０は、信号ＳＩＧＡを低レベル電圧ＶＬにし、信号ＳＩＧＢを中レベル電圧ＶＭにし、信号ＳＩＧＣを高レベル電圧ＶＨにする。シンボル“−ｚ”を送信する場合には、送信装置６０は、信号ＳＩＧＡを高レベル電圧ＶＨにし、信号ＳＩＧＢを中レベル電圧ＶＭにし、信号ＳＩＧＣを低レベル電圧ＶＬにするようになっている。
【０１９５】
送信装置６０は、３つの動作モードＭＡ，ＭＢ，ＭＣを有している。送信装置６０は、通信システム２Ａに適用される場合には、動作モードＭＡ（単相モード）で動作し、通信システム２Ｂに適用される場合には、動作モードＭＢ（差動モード）で動作し、通信システム２Ｃに適用される場合には、動作モードＭＣ（３相モード）で動作するようになっている。
【０１９６】
（送信装置６０）
送信装置６０は、図３７Ａ〜３７Ｃに示したように、処理部６１と、送信部６２とを有している。
【０１９７】
処理部６１は、所定の処理を行うことにより送信するデータを生成するものである。また、処理部６１は、３つの動作モードＭＡ，ＭＢ，ＭＣのうちの１つを選択し、選択された動作モードを、モード信号Ｓmodeを用いて送信部６２に伝える。具体的には、処理部６１は、送信装置６０が通信システム２Ａに適用される場合には、動作モードＭＡ（単相モード）を選択し、モード信号Ｓmodeを用いて、送信部６２に対して、動作モードＭＡで動作すべきことを指示する。また、送信部６２は、送信装置６０が通信システム２Ｂに適用される場合には、動作モードＭＢ（差動モード）を選択し、モード信号Ｓmodeを用いて、送信部６２に対して、動作モードＭＢで動作すべきことを指示する。また、送信部６２は、送信装置６０が通信システム２Ｃに適用される場合には、動作モードＭＣ（３相モード）を選択し、モード信号Ｓmodeを用いて、送信部６２に対して、動作モードＭＣで動作すべきことを指示するようになっている。
【０１９８】
送信部６２は、モード信号Ｓmodeに基づいて、処理部６１が生成したデータを送信するものである。具体的には、送信部６２は、モード信号Ｓmodeが示す動作モードが動作モードＭＡ（単相モード）である場合には、処理部６１が生成したデータを、信号ＳＩＧ１〜ＳＩＧ４を用いて送信する。また、送信部６２は、モード信号Ｓmodeが示す動作モードが動作モードＭＢである場合には、処理部６１が生成したデータを、信号ＳＩＧ１Ｐ，ＳＩＧ１Ｎおよび信号ＳＩＧ２Ｐ，ＳＩＧ２Ｎを用いて送信する。また、送信部６２は、モード信号Ｓmodeが示す動作モードが動作モードＭＣである場合には、処理部６１が生成したデータを、信号ＳＩＧＡ，ＳＩＧＢ，ＳＩＧＣを用いて送信するようになっている。
【０１９９】
図３９は、送信部６２の一構成例を表すものである。送信部６２は、送信回路部６２Ａ，６２Ｂと、制御部６５とを有している。図４０Ａは、送信回路部６２Ａの一構成例を表すものであり、図４０Ｂは、送信回路部６２Ｂの一構成例を表すものである。送信回路部６２Ａは、４つのシリアライザ２８（シリアライザ２８Ａ，２８Ｂ，２８Ｃ，２８Ｄ）と、４つのエンコーダ２９（エンコーダ２９Ａ，２９Ｂ，２９Ｃ，２９Ｄ）と、４つのマルチプレクサ２２（マルチプレクサ２２Ａ，２２Ｂ，２２Ｃ，２２Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部６２Ｂは、４つのシリアライザ２８（シリアライザ２８Ｅ，２８Ｆ，２８Ｇ，２８Ｈ）と、４つのエンコーダ２９（エンコーダ２９Ｅ，２９Ｆ，２９Ｇ，２９Ｈ）と、４つのマルチプレクサ２２（マルチプレクサ２２Ｅ，２２Ｆ，２２Ｇ，２２Ｈ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０２００】
シリアライザ２８Ａ（図４０Ａ）は、第１の実施の形態に係るシリアライザ２１Ａと同様に、クロック信号Ｐ０，Ｐ２，Ｐ４，Ｐ６に基づいて、信号ＤＩ１０，ＤＩ１２，ＤＩ１４，ＤＩ１６をシリアライズすることにより、信号Ｓ２８Ａを生成するものである。シリアライザ２８Ｂは、第１の実施の形態に係るシリアライザ２１Ｂと同様に、クロック信号Ｐ０，Ｐ２，Ｐ４，Ｐ６に基づいて、信号ＤＩ２０，ＤＩ２２，ＤＩ２４，ＤＩ２６をシリアライズすることにより、信号Ｓ２８Ｂを生成するものである。シリアライザ２８Ｃは、第１の実施の形態に係るシリアライザ２１Ｃと同様に、クロック信号Ｐ１，Ｐ３，Ｐ５，Ｐ７に基づいて、信号ＤＩ１１，ＤＩ１３，ＤＩ１５，ＤＩ１７をシリアライズすることにより、信号Ｓ２８Ｃを生成するものである。シリアライザ２８Ｄは、第１の実施の形態に係るシリアライザ２１Ｄと同様に、クロック信号Ｐ１，Ｐ３，Ｐ５，Ｐ７に基づいて、信号ＤＩ２１，ＤＩ２３，ＤＩ２５，ＤＩ２７をシリアライズすることにより、信号Ｓ２８Ｄを生成するものである。同様に、シリアライザ２８Ｅ（図４０Ｂ）は、クロック信号Ｐ０，Ｐ２，Ｐ４，Ｐ６に基づいて、信号ＤＩ３０，ＤＩ３２，ＤＩ３４，ＤＩ３６をシリアライズすることにより、信号Ｓ２８Ｅを生成するものである。シリアライザ２８Ｆは、クロック信号Ｐ０，Ｐ２，Ｐ４，Ｐ６に基づいて、信号ＤＩ４０，ＤＩ４２，ＤＩ４４，ＤＩ４６をシリアライズすることにより、信号Ｓ２８Ｆを生成するものである。シリアライザ２８Ｇは、クロック信号Ｐ１，Ｐ３，Ｐ５，Ｐ７に基づいて、信号ＤＩ３１，ＤＩ３３，ＤＩ３５，ＤＩ３７をシリアライズすることにより、信号Ｓ２８Ｇを生成するものである。シリアライザ２８Ｈは、クロック信号Ｐ１，Ｐ３，Ｐ５，Ｐ７に基づいて、信号ＤＩ４１，ＤＩ４３，ＤＩ４５，ＤＩ４７をシリアライズすることにより、信号Ｓ２８Ｈを生成するものである。シリアライザ２８Ａ〜２８Ｈは、第１の実施の形態に係るシリアライザ２１Ａ（図３）と同様の構成を有するものである。
【０２０１】
図４１は、シリアライザ２８Ａ〜２８Ｈが生成した信号Ｓ２８Ａ〜Ｓ２８Ｈの信号経路を表すものである。シリアライザ２８Ａは、信号Ｓ２８Ａをエンコーダ２９Ａ，２９Ｂに供給する。シリアライザ２８Ｂは、信号Ｓ２８Ｂをエンコーダ２９Ｂ，２９Ｅに供給する。シリアライザ２８Ｃは、信号Ｓ２８Ｃをエンコーダ２９Ｃ，２９Ｄに供給する。シリアライザ２８Ｄは、信号Ｓ２８Ｄをエンコーダ２９Ｄ，２９Ｇに供給する。シリアライザ２８Ｅは、信号Ｓ２８Ｅをエンコーダ２９Ａ，２９Ｅに供給する。シリアライザ２８Ｆは、信号Ｓ２８Ｆをエンコーダ２９Ｆに供給する。シリアライザ２８Ｇは、信号Ｓ２８Ｇをエンコーダ２９Ｃ，２９Ｇに供給する。シリアライザ２８Ｈは、信号Ｓ２８Ｈをエンコーダ２９Ｈに供給する。
【０２０２】
エンコーダ２９Ａ（図４０Ａ）は、信号Ｓ２８Ａ，Ｓ２８Ｅおよび信号ＥＮに基づいて、信号Ｓ２９ＡＰ，Ｓ２９ＡＮを生成するものである。エンコーダ２９Ａは、入力端子ｉｎ１，ｉｎ２，ＣＥＮと、出力端子ｏｕｔ１，ｏｕｔ２とを有している。エンコーダ２９Ａの入力端子ｉｎ１には信号Ｓ２８Ａが供給され、入力端子ｉｎ２には信号Ｓ２８Ｅが供給され、入力端子ＣＥＮには信号ＥＮが供給される。信号ＥＮは、動作モードＭＡ，ＭＢにおいて低レベル“０”になり、動作モードＭＣにおいて高レベル“１”になる信号である。そして、エンコーダ２９Ａは、出力端子ｏｕｔ１から信号Ｓ２９ＡＰを出力するとともに、出力端子ｏｕｔ２から信号Ｓ２９ＡＮを出力するようになっている。
【０２０３】
同様に、エンコーダ２９Ｂは、信号Ｓ２８Ｂ，Ｓ２８Ａおよび信号ＥＮに基づいて、信号Ｓ２９ＢＰ，Ｓ２９ＢＮを生成するものである。エンコーダ２９Ｃは、信号Ｓ２８Ｃ，Ｓ２８Ｇおよび信号ＥＮに基づいて、信号Ｓ２９ＣＰ，Ｓ２９ＣＮを生成するものである。エンコーダ２９Ｄは、信号Ｓ２８Ｄ，Ｓ２８Ｃおよび信号ＥＮに基づいて、信号Ｓ２９ＤＰ，Ｓ２９ＤＮを生成するものである。エンコーダ２９Ｅ（図４０Ｂ）は、信号Ｓ２８Ｅ，Ｓ２８Ｂおよび信号ＥＮに基づいて、信号Ｓ２９ＥＰ，Ｓ２９ＥＮを生成するものである。エンコーダ２９Ｆは、信号Ｓ２８Ｆおよび信号ＥＮに基づいて、信号Ｓ２９ＦＰ，Ｓ２９ＦＮを生成するものである。エンコーダ２９Ｇは、信号Ｓ２８Ｇ，Ｓ２８Ｄおよび信号ＥＮに基づいて、信号Ｓ２９ＧＰ，Ｓ２９ＧＮを生成するものである。エンコーダ２９Ｈは、信号Ｓ２８Ｈおよび信号ＥＮに基づいて、信号Ｓ２９ＨＰ，Ｓ２９ＨＮを生成するものである。
【０２０４】
図４２は、エンコーダ２９の一構成例を表すものである。エンコーダ２９は、セレクタ２０１と、排他的論理和回路（ＥＸ−ＯＲ）２０２と、論理積回路（ＡＮＤ）２０３，２０４とを有している。セレクタ２０１は、入力端子ＣＥＮにおける信号ＥＮが低レベルである場合には入力端子ｉｎ１における信号の反転信号を選択し、入力端子ＣＥＮにおける信号ＥＮが高レベルである場合には入力端子ｉｎ２における信号を選択し、選択された信号を出力するものである。排他的論理和回路２０２は、入力端子ｉｎ１における信号およびセレクタ２０１の出力信号の排他的論理和を求め、その結果を出力するものである。論理積回路２０３は、入力端子ｉｎ１における信号および排他的論理和回路２０２の出力信号の論理積を求め、その結果を出力端子ｏｕｔ１から出力するものである。論理積回路２０４は、セレクタ２０１の出力信号および排他的論理和回路２０２の出力信号の論理積を求め、その結果を出力端子ｏｕｔ２から出力するものである。
【０２０５】
図４３は、エンコーダ２９の一動作例を表すものである。動作モードＭＡ，ＭＢでは、入力端子ＣＥＮにおける信号ＥＮが低レベル“０”になる。この場合には、エンコーダ２９は、入力端子ｉｎ１における信号と同じ信号を出力端子ｏｕｔ１から出力するとともに、入力端子ｉｎ１における信号の反転信号を出力端子ｏｕｔ２から出力する。一方、動作モードＭＣでは、入力端子ＣＥＮにおける信号ＥＮが高レベル“１”になる。この場合には、エンコーダ２９は、入力端子ｉｎ１，ｉｎ２における信号がそれぞれ“１”，“０”である場合には出力端子ｏｕｔ１，ｏｕｔ２における信号をそれぞれ“１”，“０”にし、入力端子ｉｎ１，ｉｎ２における信号がそれぞれ“０”，“１”である場合には出力端子ｏｕｔ１，ｏｕｔ２における信号をそれぞれ“０”，“１”にし、入力端子ｉｎ１，ｉｎ２における信号が互いに等しい場合には出力端子ｏｕｔ１，ｏｕｔ２における信号をともに“０”にするようになっている。
【０２０６】
なお、この例では、図４２に示したようにエンコーダ２９を構成したが、これに限定されるものではない。例えば、図４４に示すようにエンコーダ（エンコーダ１２７）を構成してもよい。このエンコーダ１２７は、論理和回路２２１と、反転論理積回路２２２，２２３と、論理積回路２２４，２２５とを有している。論理和回路２２１は、入力端子ＣＥＮにおける信号ＥＮの反転信号および入力端子ｉｎ２における信号の論理和を求め、その結果を出力するものである。反転論理積回路２２２は、入力端子ｉｎ１における信号、入力端子ＣＥＮにおける信号ＥＮ、および論理和回路２２１の出力信号の反転論理積を求め、その結果を出力するものである。反転論理積回路２２３は、入力端子ｉｎ１における信号および論理和回路２２１の出力信号の反転論理積を求め、その結果を出力するものである。論理積回路２２４は、入力端子ｉｎ１における信号および反転論理積回路２２２の出力信号の論理積を求め、その結果を出力端子ｏｕｔ１から出力するものである。論理積回路２２５は、論理和回路２２１の出力信号および反転論理積回路２２３の出力信号の論理積を求め、その結果を出力端子ｏｕｔ２から出力するものである。このエンコーダ１２７の動作は、エンコーダ２９の動作（図４３）と同じである。
【０２０７】
マルチプレクサ２２Ａ（図４０Ａ）は、第１の実施の形態に係るマルチプレクサ２２Ａと同様に、クロック信号ＣＬＫに基づいて、信号Ｓ２９ＡＰ，Ｓ２９ＣＰのうちの一方を交互に選択し、選択された信号を信号Ｓ２２Ａとして出力するものである。マルチプレクサ２２Ｂは、第１の実施の形態に係るマルチプレクサ２２Ｂと同様に、クロック信号ＣＬＫに基づいて、信号Ｓ２９ＡＮ，Ｓ２９ＣＮのうちの一方を交互に選択し、選択された信号を信号Ｓ２２Ｂとして出力するものである。マルチプレクサ２２Ｃは、第１の実施の形態に係るマルチプレクサ２２Ｃと同様に、クロック信号ＣＬＫに基づいて、信号Ｓ２９ＢＰ，Ｓ２９ＤＰのうちの一方を交互に選択し、選択された信号を信号Ｓ２２Ｃとして出力するものである。マルチプレクサ２２Ｄは、第１の実施の形態に係るマルチプレクサ２２Ｄと同様に、クロック信号ＣＬＫに基づいて、信号Ｓ２９ＢＮ，Ｓ２９ＤＮのうちの一方を交互に選択し、選択された信号を信号Ｓ２２Ｄとして出力するものである。同様に、マルチプレクサ２２Ｅ（図４０Ｂ）は、クロック信号ＣＬＫに基づいて、信号Ｓ２９ＥＰ，Ｓ２９ＧＰのうちの一方を交互に選択し、選択された信号を信号Ｓ２２Ｅとして出力するものである。マルチプレクサ２２Ｆは、クロック信号ＣＬＫに基づいて、信号Ｓ２９ＥＮ，Ｓ２９ＧＮのうちの一方を交互に選択し、選択された信号を信号Ｓ２２Ｆとして出力するものである。マルチプレクサ２２Ｇは、クロック信号ＣＬＫに基づいて、信号Ｓ２９ＦＰ，Ｓ２９ＨＰのうちの一方を交互に選択し、選択された信号を信号Ｓ２２Ｇとして出力するものである。マルチプレクサ２２Ｈは、クロック信号ＣＬＫに基づいて、信号Ｓ２９ＦＮ，Ｓ２９ＨＮのうちの一方を交互に選択し、選択された信号を信号Ｓ２２Ｈとして出力するものである。
【０２０８】
セレクタ２３Ａ（図４０Ａ）は、第１の実施の形態に係るセレクタ２３Ａと同様に、信号Ｓselに基づいて、動作モードが動作モードＭＡ（単相モード）または動作モードＭＣ（３相モード）である場合には信号Ｓ２２Ａを選択し、動作モードが動作モードＭＢ（差動モード）である場合には信号Ｓ２２Ｄを選択し、選択された信号を信号Ｓ２３Ａとして出力するものである。セレクタ２３Ｂは、第１の実施の形態に係るセレクタ２３Ｂと同様に、信号Ｓselに基づいて、動作モードが動作モードＭＡまたは動作モードＭＣである場合には信号Ｓ２２Ｂを選択し、動作モードが動作モードＭＢである場合には信号Ｓ２２Ｃを選択し、選択された信号を信号Ｓ２３Ｂとして出力するものである。セレクタ２３Ｃは、第１の実施の形態に係るセレクタ２３Ｃと同様に、信号Ｓselに基づいて、動作モードが動作モードＭＡまたは動作モードＭＣである場合には信号Ｓ２２Ｃを選択し、動作モードが動作モードＭＢである場合には信号Ｓ２２Ｂを選択し、選択された信号を信号Ｓ２３Ｃとして出力するものである。セレクタ２３Ｄは、第１の実施の形態に係るセレクタ２３Ｄと同様に、信号Ｓselに基づいて、動作モードが動作モードＭＡまたは動作モードＭＣである場合には信号Ｓ２２Ｄを選択し、動作モードが動作モードＭＢである場合には信号Ｓ２２Ａを選択し、選択された信号を信号Ｓ２３Ｄとして出力するものである。同様に、セレクタ２３Ｅ（図４０Ｂ）は、信号Ｓselに基づいて、動作モードが動作モードＭＡまたは動作モードＭＣである場合には信号Ｓ２２Ｅを選択し、動作モードが動作モードＭＢである場合には信号Ｓ２２Ｈを選択し、選択された信号を信号Ｓ２３Ｅとして出力するものである。セレクタ２３Ｆは、信号Ｓselに基づいて、動作モードが動作モードＭＡまたは動作モードＭＣである場合には信号Ｓ２２Ｆを選択し、動作モードが動作モードＭＢである場合には信号Ｓ２２Ｇを選択し、選択された信号を信号Ｓ２３Ｆとして出力するものである。セレクタ２３Ｇは、信号Ｓselに基づいて、動作モードが動作モードＭＡまたは動作モードＭＣである場合には信号Ｓ２２Ｇを選択し、動作モードが動作モードＭＢである場合には信号Ｓ２２Ｆを選択し、選択された信号を信号Ｓ２３Ｇとして出力するものである。セレクタ２３Ｈは、信号Ｓselに基づいて、動作モードが動作モードＭＡまたは動作モードＭＣである場合には信号Ｓ２２Ｈを選択し、動作モードが動作モードＭＢである場合には信号Ｓ２２Ｅを選択し、選択された信号を信号Ｓ２３Ｈとして出力するものである。
【０２０９】
ドライバ２４Ａ（図４０Ａ）は、第１の実施の形態に係るドライバ２４Ａと同様に、信号Ｓ２２Ａ，Ｓ２２Ｂ，Ｓ２３Ａ，Ｓ２３Ｂおよび信号ＣＴＬに基づいて、出力端子Ｔout１における電圧を設定するものである。ドライバ２４Ｂは、第１の実施の形態に係るドライバ２４Ｂと同様に、信号Ｓ２３Ｃ，Ｓ２３Ｄ，Ｓ２２Ｃ，Ｓ２２Ｄおよび信号ＣＴＬに基づいて、出力端子Ｔout２における電圧を設定するものである。同様に、ドライバ２４Ｃ（図４０Ｂ）は、信号Ｓ２２Ｅ，Ｓ２２Ｆ，Ｓ２３Ｅ，Ｓ２３Ｆおよび信号ＣＴＬに基づいて、出力端子Ｔout３における電圧を設定するものである。ドライバ２４Ｄは、信号Ｓ２３Ｇ，Ｓ２３Ｈ，Ｓ２２Ｇ，Ｓ２２Ｈおよび信号ＣＴＬに基づいて、出力端子Ｔout４における電圧を設定するものである。
【０２１０】
ドライバ２４Ｃ，２４Ｄの構成はドライバ２４Ａ，２４Ｂの構成（図８）と同様である。ドライバ２４Ｃは、Ｍ個のサブドライバＣＡ（サブドライバＣＡ１〜ＣＡＭ）と、Ｎ個のサブドライバＣＢ（サブドライバＣＢ１〜ＣＢＮ）とを有している。ドライバ２４Ｄは、Ｍ個のサブドライバＤＡ（サブドライバＤＡ１〜ＤＡＭ）と、Ｎ個のサブドライバＤＢ（サブドライバＤＢ１〜ＤＢＮ）とを有している。
【０２１１】
ドライバ２４Ｃでは、サブドライバＣＡ１〜ＣＡＭのそれぞれにおいて、トランジスタ９２のゲートには信号Ｓ２２Ｅが供給され、ドレインは抵抗素子９１の他端に接続され、ソースはトランジスタ９３のドレインに接続されるとともに出力端子Ｔout３に接続されている。トランジスタ９３のゲートには信号Ｓ２２Ｆが供給され、ドレインはトランジスタ９２のソースに接続されるとともに出力端子Ｔout３に接続され、ソースは抵抗素子９４の一端に接続されている。また、サブドライバＣＢ１〜ＣＢＮのそれぞれにおいて、トランジスタ９２のゲートには信号Ｓ２３Ｅが供給され、ドレインは抵抗素子９１の他端に接続され、ソースはトランジスタ９３のドレインに接続されるとともに出力端子Ｔout３に接続されている。トランジスタ９３のゲートには信号Ｓ２３Ｆが供給され、ドレインはトランジスタ９２のソースに接続されるとともに出力端子Ｔout３に接続され、ソースは抵抗素子９４の一端に接続されている。
【０２１２】
ドライバ２４Ｄでは、サブドライバＤＡ１〜ＤＡＭのそれぞれにおいて、トランジスタ９２のゲートには信号Ｓ２３Ｇが供給され、ドレインは抵抗素子９１の他端に接続され、ソースはトランジスタ９３のドレインに接続されるとともに出力端子Ｔout４に接続されている。トランジスタ９３のゲートには信号Ｓ２３Ｈが供給され、ドレインはトランジスタ９２のソースに接続されるとともに出力端子Ｔout４に接続され、ソースは抵抗素子９４の一端に接続されている。また、サブドライバＤＢ１〜ＤＢＮのそれぞれにおいて、トランジスタ９２のゲートには信号Ｓ２２Ｇが供給され、ドレインは抵抗素子９１の他端に接続され、ソースはトランジスタ９３のドレインに接続されるとともに出力端子Ｔout４に接続されている。トランジスタ９３のゲートには信号Ｓ２２Ｈが供給され、ドレインはトランジスタ９２のソースに接続されるとともに出力端子Ｔout４に接続され、ソースは抵抗素子９４の一端に接続されている。
【０２１３】
この構成により、例えば、動作モードＭＣにおいて、信号Ｓ２２Ａ，Ｓ２２Ｂをともに低レベルにした場合には、信号Ｓ２３Ａ，Ｓ２３Ｂがともに低レベルになる。よって、ドライバ２４ＡのサブドライバＡＡ１〜ＡＡＭ，ＡＢ１〜ＡＢＮにおけるトランジスタ９２，９３がオフ状態になる。その結果、ドライバ２４Ａは、出力インピーダンスをハイインピーダンスにすることができるようになっている。
【０２１４】
制御部６５（図３９）は、処理部６１から供給されたモード信号Ｓmodeに基づいて、クロック信号Ｐ０〜Ｐ７，ＣＬＫおよび信号ＥＮ，Ｓsel，ＣＴＬを生成するものである。
【０２１５】
（受信装置１３０）
受信装置１３０は、図３７Ａに示したように、受信部１３１〜１３４と、処理部１３５とを有している。受信部１３１は、信号ＳＩＧ１を受信するものであり、受信部１３２は、信号ＳＩＧ２を受信するものであり、受信部１３３は、信号ＳＩＧ３を受信するものであり、受信部１３４は、信号ＳＩＧ４を受信するものである。受信部１３１〜１３４は、第１の実施の形態に係る受信部３１（図９）と同様の構成を有するものである。処理部１３５は、受信部１３１〜１３４における受信結果に基づいて、所定の処理を行うものである。
【０２１６】
（受信装置１４０）
受信装置１４０は、図３７Ｂに示したように、受信部１４１，１４２と、処理部１４３とを有している。受信部１４１は、信号ＳＩＧ１Ｐ，ＳＩＧ１Ｎを受信するものであり、受信部１４２は、信号ＳＩＧ２Ｐ，ＳＩＧ２Ｎを受信するものである。受信部１４１，１４２は、第１の実施の形態に係る受信部４１（図１０）と同様の構成を有するものである。処理部１４３は、受信部１４１，１４２における受信結果に基づいて、所定の処理を行うものである。
【０２１７】
（受信装置１５０）
受信装置１５０は、図３７Ｃに示したように、受信部１５１と、処理部１５２とを有している。
【０２１８】
受信部１５１は、信号ＳＩＧＡ，ＳＩＧＢ，ＳＩＧＣを受信するものである。
【０２１９】
図４５は、受信部１５１の一構成例を表すものである。受信部１５１は、抵抗素子１５４〜１５６と、アンプ１５７〜１５９とを有している。
【０２２０】
抵抗素子１５４〜１５６は、通信システム２Ｃの終端抵抗として機能するものである。抵抗素子１５４の一端は入力端子ＴinＡに接続されるとともにアンプ１５７の正入力端子およびアンプ１５９の負入力端子に接続され、他端は抵抗素子１５５，１５６の他端に接続されている。抵抗素子１５５の一端は入力端子ＴinＢに接続されるとともにアンプ１５８の正入力端子およびアンプ１５７の負入力端子に接続され、他端は抵抗素子１５４，１５６の他端に接続されている。抵抗素子１５６の一端は入力端子ＴinＣに接続されるとともにアンプ１５９の正入力端子およびアンプ１５８の負入力端子に接続され、他端は抵抗素子１５４，１５５の他端に接続されている。抵抗素子１５４〜１５６の抵抗値は、この例では、それぞれ、５０［Ω］程度である。
【０２２１】
アンプ１５７の正入力端子は、アンプ１５９の負入力端子、抵抗素子１５４の一端、および入力端子ＴinＡに接続され、負入力端子は、アンプ１５８の正入力端子、抵抗素子１５５の一端、および入力端子ＴinＢに接続されている。アンプ１５８の正入力端子は、アンプ１５７の負入力端子、抵抗素子１５５の一端、および入力端子ＴinＢに接続され、負入力端子は、アンプ１５９の正入力端子、抵抗素子１５６の一端、および入力端子ＴinＣに接続されている。アンプ１５９の正入力端子は、アンプ１５８の負入力端子、抵抗素子１５６の一端、および入力端子ＴinＣに接続され、負入力端子は、アンプ１５７の正入力端子、抵抗素子１５４の一端、および入力端子ＴinＡに接続されている。そして、アンプ１５７〜１５９は、出力信号を処理部１５２に供給するようになっている。
【０２２２】
図４６は、受信部１５１の一動作例を表すものである。この例では、信号ＳＩＧＡは高レベル電圧ＶＨであり、信号ＳＩＧＢは低レベル電圧ＶＬである。この場合には、入力端子ＴinＡ、抵抗素子１５４、抵抗素子１５５、入力端子ＴinＢの順に電流Ｉinが流れる。その結果、入力端子ＴinＣにおける信号ＳＩＧＣは中レベル電圧ＶＭになる。そして、アンプ１５７の正入力端子には高レベル電圧ＶＨが供給されるとともに負入力端子には低レベル電圧ＶＬが供給され、アンプ１５７は“１”を出力する。また、アンプ１５８の正入力端子には低レベル電圧ＶＬが供給されるとともに負入力端子には中レベル電圧ＶＭが供給され、アンプ１５８は“０”を出力する。また、アンプ１５９の正入力端子には中レベル電圧ＶＭが供給されるとともに負入力端子には高レベル電圧ＶＨが供給され、アンプ１５９は“０”を出力するようになっている。
【０２２３】
処理部１５２は、受信部１５１における受信結果に基づいて、所定の処理を行うものである。
【０２２４】
ここで、複数のエンコーダ２９Ａ〜２９Ｈは、本開示における「エンコーダ部」の一具体例に対応する。複数のシリアライザ２８Ａ〜２８Ｈは、本開示における「シリアライザ部」の一具体例に対応する。動作モードＭＣは、本開示における「第３の動作モード」の一具体例に対応する。
【０２２５】
（動作モードＭＡ）
送信装置６０が通信システム２Ａ（図３７Ａ）に適用される場合には、送信装置６０は、動作モードＭＡ（単相モード）で動作する。動作モードＭＡでは、送信装置６０は、受信装置１３０に対して信号ＳＩＧ１〜ＳＩＧ４を用いてデータを送信する。
【０２２６】
処理部６１は、信号ＤＩ１０〜ＤＩ１７，ＤＩ２０〜ＤＩ２７，ＤＩ３０〜ＤＩ３７，ＤＩ４０〜ＤＩ４７を生成する。ここで、例えば信号ＤＩ１０は、信号ＤＩ１０Ｐ，ＤＩ１０Ｎを含む。そして、処理部６１は、信号ＤＩ１０，ＤＩ１２，ＤＩ１４，ＤＩ１６をシリアライザ２８Ａに供給し、信号ＤＩ１１，ＤＩ１３，ＤＩ１５，ＤＩ１７をシリアライザ２８Ｃに供給する。また、処理部６１は、信号ＤＩ２０，ＤＩ２２，ＤＩ２４，ＤＩ２６をシリアライザ２８Ｂに供給し、信号ＤＩ２１，ＤＩ２３，ＤＩ２５，ＤＩ２７をシリアライザ２８Ｄに供給する。また、処理部６１は、信号ＤＩ３０，ＤＩ３２，ＤＩ３４，ＤＩ３６をシリアライザ２８Ｅに供給し、信号ＤＩ３１，ＤＩ３３，ＤＩ３５，ＤＩ３７をシリアライザ２８Ｇに供給する。また、処理部６１は、信号ＤＩ４０，ＤＩ４２，ＤＩ４４，ＤＩ４６をシリアライザ２８Ｆに供給し、信号ＤＩ４１，ＤＩ４３，ＤＩ４５，ＤＩ４７をシリアライザ２８Ｈに供給する。シリアライザ２８Ａ〜２８Ｈの動作は、第１の実施の形態の場合と同様である。
【０２２７】
制御部６５は、動作モードＭＡでは、モード信号Ｓmodeに基づいて、信号ＥＮを低レベル“０”にする。これにより、各エンコーダ２９は、図４３に示したように、入力端子ｉｎ１における信号と同じ信号を出力端子ｏｕｔ１から出力するとともに、入力端子ｉｎ１における信号の反転信号を出力端子ｏｕｔ２から出力する。具体的には、例えば、エンコーダ２９Ａは、信号Ｓ２８Ａと同じ信号を信号Ｓ２９ＡＰとして出力するとともに、信号Ｓ２８Ａの反転信号を信号Ｓ２９ＡＮとして出力する。エンコーダ２９Ｂ〜２９Ｈについても同様である。マルチプレクサ２２Ａ〜２２Ｈ、セレクタ２３Ａ〜２３Ｈ、およびドライバ２４Ａ〜２４Ｄの動作は、第１の実施の形態の場合と同様である。
【０２２８】
このようにして、送信装置６０は、動作モードＭＡにおいて、第１の実施の形態に係る送信装置１０と同様に、受信装置１３０に対して信号ＳＩＧ１〜ＳＩＧ４を用いてデータを送信する。
【０２２９】
（動作モードＭＢ）
送信装置６０が通信システム２Ｂ（図３７Ｂ）に適用される場合には、送信装置６０は、動作モードＭＢ（差動モード）で動作する。動作モードＭＢでは、送信装置６０は、受信装置１４０に対して信号ＳＩＧ１Ｐ，ＳＩＧ１Ｎおよび信号ＳＩＧ２Ｐ，ＳＩＧ２Ｎを用いてデータを送信する。
【０２３０】
処理部６１は、動作モードＭＡと同様に信号ＤＩ１０〜ＤＩ１７，ＤＩ２０〜ＤＩ２７，ＤＩ３０〜ＤＩ３７，ＤＩ４０〜ＤＩ４７を生成し、これらの信号をシリアライザ２８Ａ〜２８Ｈに供給する。シリアライザ２８Ａ〜２８Ｈの動作は、第１の実施の形態の場合と同様である。
【０２３１】
制御部６５は、動作モードＭＢでは、モード信号Ｓmodeに基づいて、信号ＥＮを低レベル“０”にする。これにより、各エンコーダ２９は、図４３に示したように、入力端子ｉｎ１における信号と同じ信号を出力端子ｏｕｔ１から出力するとともに、入力端子ｉｎ１における信号の反転信号を出力端子ｏｕｔ２から出力する。具体的には、例えば、エンコーダ２９Ａは、信号Ｓ２８Ａと同じ信号を信号Ｓ２９ＡＰとして出力するとともに、信号Ｓ２８Ａの反転信号を信号Ｓ２９ＡＮとして出力する。エンコーダ２９Ｂ〜２９Ｈについても同様である。マルチプレクサ２２Ａ〜２２Ｈ、セレクタ２３Ａ〜２３Ｈ、およびドライバ２４Ａ〜２４Ｄの動作は、第１の実施の形態の場合と同様である。
【０２３２】
このようにして、送信装置６０は、動作モードＭＢにおいて、第１の実施の形態に係る送信装置１０と同様に、受信装置１４０に対して信号ＳＩＧ１Ｐ，ＳＩＧ１Ｎおよび信号ＳＩＧ２Ｐ，ＳＩＧ２Ｎを用いてデータを送信する。
【０２３３】
（動作モードＭＣ）
送信装置６０が通信システム２Ｃ（図３７Ｃ）に適用される場合には、送信装置６０は、動作モードＭＣ（３相モード）で動作する。動作モードＭＣでは、送信装置６０は、受信装置１５０に対して信号ＳＩＧＡ〜ＳＩＧＣを用いてデータを送信する。
【０２３４】
処理部６１は、動作モードＭＣでは、信号ＤＩ１０〜ＤＩ１７，ＤＩ２０〜ＤＩ２７，ＤＩ３０〜ＤＩ３７を生成する。ここで、例えば信号ＤＩ１０は、信号ＤＩ１０Ｐ，ＤＩ１０Ｎを含む。そして、処理部６１は、信号ＤＩ１０，ＤＩ１２，ＤＩ１４，ＤＩ１６をシリアライザ２８Ａに供給し、信号ＤＩ１１，ＤＩ１３，ＤＩ１５，ＤＩ１７をシリアライザ２８Ｃに供給する。また、処理部６１は、信号ＤＩ２０，ＤＩ２２，ＤＩ２４，ＤＩ２６をシリアライザ２８Ｂに供給し、信号ＤＩ２１，ＤＩ２３，ＤＩ２５，ＤＩ２７をシリアライザ２８Ｄに供給する。また、処理部６１は、信号ＤＩ３０，ＤＩ３２，ＤＩ３４，ＤＩ３６をシリアライザ２８Ｅに供給し、信号ＤＩ３１，ＤＩ３３，ＤＩ３５，ＤＩ３７をシリアライザ２８Ｇに供給する。シリアライザ２８Ａ〜２８Ｈの動作は、動作モードＭＡ，ＭＢの場合と同様である。
【０２３５】
制御部６５は、動作モードＭＣでは、モード信号Ｓmodeに基づいて、信号ＥＮを高レベル“１”にする。これにより、各エンコーダ２９は、図４３に示したように動作する。具体的には、エンコーダ２９Ａは、信号Ｓ２８Ａ，Ｓ２８Ｅが“１”，“０”である場合には、信号Ｓ２９ＡＰを“１”にするとともに信号Ｓ２９ＡＮを“０”にし、信号Ｓ２８Ａ，Ｓ２８Ｅが“０”，“１”である場合には、信号Ｓ２９ＡＰを“０”にするとともに信号Ｓ２９ＡＮを“１”にし、信号Ｓ２８Ａ，Ｓ２８Ｅが互いに等しい場合には、信号Ｓ２９ＡＰ，Ｓ２９ＡＮをともに“０”にする。エンコーダ２９Ｂ〜２９Ｈについても同様である。
【０２３６】
図４７Ａ，４７Ｂは、動作モードＭＣにおける信号の流れを表すものである。図４７Ａにおいて、太い実線は、信号ＳＩＧＡに係る信号の流れを示し、太い破線は、信号ＳＩＧＢに係る信号の流れを示す。図４７Ｂにおいて、太い一点鎖線は、信号ＳＩＧＣに係る信号の流れを示す。
【０２３７】
マルチプレクサ２２Ａ（図４７Ａ）は、クロック信号ＣＬＫに基づいて、信号Ｓ２９ＡＰ，Ｓ２９ＣＰのうちの一方を交互に選択し、選択された信号を信号Ｓ２２Ａとして出力する。マルチプレクサ２２Ｂは、クロック信号ＣＬＫに基づいて、信号Ｓ２９ＡＮ，Ｓ２９ＣＮのうちの一方を交互に選択し、選択された信号を信号Ｓ２２Ｂとして出力する。セレクタ２３Ａは、動作モードＭＣでは、信号Ｓselに基づいて信号Ｓ２２Ａを選択し、選択された信号Ｓ２２Ａを信号Ｓ２３Ａとして出力する。セレクタ２３Ｂは、動作モードＭＣでは、信号Ｓselに基づいて信号Ｓ２２Ｂを選択し、選択された信号Ｓ２２Ｂを信号Ｓ２３Ｂとして出力する。その結果、ドライバ２４Ａは、信号Ｓ２２Ａ，Ｓ２２Ｂに基づいて動作する。
【０２３８】
同様に、マルチプレクサ２２Ｃは、クロック信号ＣＬＫに基づいて、信号Ｓ２９ＢＰ，Ｓ２９ＤＰのうちの一方を交互に選択し、選択された信号を信号Ｓ２２Ｃとして出力する。マルチプレクサ２２Ｄは、クロック信号ＣＬＫに基づいて、信号Ｓ２９ＢＮ，Ｓ２９ＤＮのうちの一方を交互に選択し、選択された信号を信号Ｓ２２Ｄとして出力する。セレクタ２３Ｃは、動作モードＭＣでは、信号Ｓselに基づいて信号Ｓ２２Ｃを選択し、選択された信号Ｓ２２Ｃを信号Ｓ２３Ｃとして出力する。セレクタ２３Ｄは、動作モードＭＣでは、信号Ｓselに基づいて信号Ｓ２２Ｄを選択し、選択された信号Ｓ２２Ｄを信号Ｓ２３Ｄとして出力する。その結果、ドライバ２４Ｂは、信号Ｓ２２Ｃ，Ｓ２２Ｄに基づいて動作する。
【０２３９】
同様に、マルチプレクサ２２Ｅ（図４７Ｂ）は、クロック信号ＣＬＫに基づいて、信号Ｓ２９ＥＰ，Ｓ２９ＧＰのうちの一方を交互に選択し、選択された信号を信号Ｓ２２Ｅとして出力する。マルチプレクサ２２Ｆは、クロック信号ＣＬＫに基づいて、信号Ｓ２９ＥＮ，Ｓ２９ＧＮのうちの一方を交互に選択し、選択された信号を信号Ｓ２２Ｆとして出力する。セレクタ２３Ｅは、動作モードＭＣでは、信号Ｓselに基づいて信号Ｓ２２Ｅを選択し、選択された信号Ｓ２２Ｅを信号Ｓ２３Ｅとして出力する。セレクタ２３Ｆは、動作モードＭＣでは、信号Ｓselに基づいて信号Ｓ２２Ｆを選択し、選択された信号Ｓ２２Ｆを信号Ｓ２３Ｆとして出力する。その結果、ドライバ２４Ｃは、信号Ｓ２２Ｅ，Ｓ２２Ｆに基づいて動作する。
【０２４０】
図４８は、動作モードＭＣにおける送信部６２の一動作例を表すものである。図４９Ａ，４９Ｂは、動作モードＭＣにおける、ある動作状態での信号の流れを表すものである。図４９Ａ，４９Ｂの例では、マルチプレクサ２２Ａは信号Ｓ２９ＡＰを選択し、マルチプレクサ２２Ｂは信号Ｓ２９ＡＮを選択し、マルチプレクサ２２Ｃは信号Ｓ２９ＢＰを選択し、マルチプレクサ２２Ｄは信号Ｓ２９ＢＮを選択し、マルチプレクサ２２Ｅは信号Ｓ２９ＥＰを選択し、マルチプレクサ２２Ｆは信号Ｓ２９ＥＮを選択している。
【０２４１】
エンコーダ２９Ａ（図４９Ａ）は、信号Ｓ２８Ａ，Ｓ２８Ｅおよび信号ＥＮに基づいて信号Ｓ２９ＡＰ，Ｓ２９ＡＮを生成する。エンコーダ２９Ｂは、信号Ｓ２８Ｂ，Ｓ２８Ａおよび信号ＥＮに基づいて信号Ｓ２９ＢＰ，Ｓ２９ＢＮを生成する。エンコーダ２９Ｅ（図４９Ｂ）は、Ｓ２８Ｅ，Ｓ２８Ｂおよび信号ＥＮに基づいて信号Ｓ２９ＥＰ，Ｓ２９ＥＮを生成する。
【０２４２】
例えば、信号Ｓ２８Ａ，Ｓ２８Ｂ，Ｓ２８Ｅが“１”，“０”，“０”である場合には、図４３に示したように、エンコーダ２９Ａは信号Ｓ２９ＡＰ，Ｓ２９ＡＮを“１”，“０”にし、エンコーダ２９Ｂは信号Ｓ２９ＢＰ，Ｓ２９ＢＮを“０”，“１”にし、エンコーダ２９Ｅは信号Ｓ２９ＥＰ，Ｓ２９ＥＮを“０”，“０”にする。その結果、図４８に示したように、マルチプレクサ２２Ａの出力信号Ｓ２２Ａは“１”になり、マルチプレクサ２２Ｂの出力信号Ｓ２２Ｂは“０”になり、マルチプレクサ２２Ｃの出力信号Ｓ２２Ｃは“０”になり、マルチプレクサ２２Ｄの出力信号Ｓ２２Ｄは“１”になり、マルチプレクサ２２Ｅの出力信号Ｓ２２Ｅは“０”になり、マルチプレクサ２２Ｆの出力信号Ｓ２２Ｆは“０”になる。
【０２４３】
このとき、ドライバ２４Ａ（図４９Ａ）では、サブドライバＡＡ１〜ＡＡＭ，ＡＢ１〜ＡＢＮにおけるトランジスタ９２がオン状態になり、サブドライバＡＡ１〜ＡＡＭ，ＡＢ１〜ＡＢＮにおけるトランジスタ９３がオフ状態になる。その結果、ドライバ２４Ａは、出力端子Ｔout１における電圧を高レベル電圧ＶＨにするとともに、出力インピーダンスを約５０［Ω］にする。
【０２４４】
また、ドライバ２４Ｂでは、サブドライバＢＡ１〜ＢＡＭ，ＢＢ１〜ＢＢＮにおけるトランジスタ９３がオン状態になり、サブドライバＢＡ１〜ＢＡＭ，ＢＢ１〜ＢＢＮにおけるトランジスタ９２がオフ状態になる。その結果、ドライバ２４Ｂは、出力端子Ｔout２における電圧を低レベル電圧ＶＬにするとともに、出力インピーダンスを約５０［Ω］にする。
【０２４５】
また、ドライバ２４Ｃ（図４９Ｂ）では、サブドライバＣＡ１〜ＣＡＭ，ＣＢ１〜ＣＢＮにおけるトランジスタ９２，９３がオフ状態になる。その結果、ドライバ２４Ｃは、出力インピーダンスをハイインピーダンスにする。このとき、受信装置１５０の受信部１５１では、図４６に示したように、入力端子ＴinＣにおける電圧が中レベル電圧ＶＭになる。
【０２４６】
このようにして、送信部６２は、信号ＳＩＧＡを高レベル電圧ＶＨにし、信号ＳＩＧＢを低レベル電圧ＶＬにし、信号ＳＩＧＣを中レベル電圧ＶＭにする。その結果、送信装置６０は、受信装置１５０に対してシンボル“＋ｘ”を送信する。なお、この例では、送信装置６０がシンボル“＋ｘ”を送信する場合について説明したが、他のシンボルを送信する場合も同様である。
【０２４７】
このようにして、送信装置６０は、動作モードＭＣにおいて、受信装置１５０に対して信号ＳＩＧＡ，ＳＩＧＢ，ＳＩＧＣを用いてデータを送信する。
【０２４８】
以上のように本実施の形態では、３つの動作モードＭＡ，ＭＢ，ＭＣを設け、単相信号、差動信号、または３相信号を用いて受信装置に対してデータを送信することができるようにしたので、様々なインタフェースを実現することができる。
【０２４９】
［変形例２−１］
上記実施の形態では、マルチプレクサ２２の前段にエンコーダ２９を設けたが、これに限定されるものではない。これに代えて、例えば、マルチプレクサ２２の後段にエンコーダを設けてもよい。以下に、本変形例について詳細に説明する。
【０２５０】
図５０Ａ，５０Ｂは、本変形例に係る送信部６３の送信回路部６３Ａ，６３Ｂの一構成例を表すものである。送信回路部６３Ａは、４つのシリアライザ２１（シリアライザ２１Ａ，２１Ｂ，２１Ｃ，２１Ｄ）と、４つのマルチプレクサ２２（マルチプレクサ２２Ａ，２２Ｂ，２２Ｃ，２２Ｄ）と、４つのエンコーダ６４（エンコーダ６４Ａ，６４Ｂ，６４Ｃ，６４Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部６３Ｂは、４つのシリアライザ２１（シリアライザ２１Ｅ，２１Ｆ，２１Ｇ，２１Ｈ）と、４つのマルチプレクサ２２（マルチプレクサ２２Ｅ，２２Ｆ，２２Ｇ，２２Ｈ）と、４つのエンコーダ６４（エンコーダ６４Ｅ，６４Ｆ，６４Ｇ，６４Ｈ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０２５１】
図５１は、マルチプレクサ２２Ａ〜２２Ｈが生成した信号Ｓ２２Ａ〜Ｓ２２Ｈの信号経路を表すものである。マルチプレクサ２２Ａは、信号Ｓ２２Ａをエンコーダ６４Ａ，６４Ｃに供給する。マルチプレクサ２２Ｂは、信号Ｓ２２Ｂをエンコーダ６４Ｂ，６４Ｄに供給する。マルチプレクサ２２Ｃは、信号Ｓ２２Ｃをエンコーダ６４Ｃ，６４Ｅに供給する。マルチプレクサ２２Ｄは、信号Ｓ２２Ｄをエンコーダ６４Ｄ，６４Ｆに供給する。マルチプレクサ２２Ｅは、信号Ｓ２２Ｅをエンコーダ６４Ａ，６４Ｅに供給する。マルチプレクサ２２Ｆは、信号Ｓ２２Ｆをエンコーダ６４Ｂ，６４Ｆに供給する。マルチプレクサ２２Ｇは、信号Ｓ２２Ｇをエンコーダ６４Ｇに供給する。マルチプレクサ２２Ｈは、信号Ｓ２２Ｈをエンコーダ６４Ｈに供給する。
【０２５２】
エンコーダ６４Ａ（図５０Ａ）は、信号Ｓ２２Ａ，Ｓ２２Ｅおよび信号ＥＮに基づいて、信号Ｓ６４Ａを生成するものである。エンコーダ６４Ａは、入力端子ｉｎ１，ｉｎ２，ＣＥＮと、出力端子ｏｕｔ１とを有している。エンコーダ６４Ａの入力端子ｉｎ１には信号Ｓ２２Ａが供給され、入力端子ｉｎ２には信号Ｓ２２Ｅが供給され、入力端子ＣＥＮには信号ＥＮが供給される。そして、エンコーダ６４Ａは、出力端子ｏｕｔ１から信号Ｓ６４Ａを出力する。
【０２５３】
同様に、エンコーダ６４Ｂは、信号Ｓ２２Ｂ，Ｓ２２Ｆおよび信号ＥＮに基づいて、信号Ｓ６４Ｂを生成するものである。エンコーダ６４Ｃは、信号Ｓ２２Ｃ，Ｓ２２Ａおよび信号ＥＮに基づいて、信号Ｓ６４Ｃを生成するものである。エンコーダ６４Ｄは、信号Ｓ２２Ｄ，Ｓ２２Ｂおよび信号ＥＮに基づいて、信号Ｓ６４Ｄを生成するものである。エンコーダ６４Ｅ（図５０Ｂ）は、信号Ｓ２２Ｅ，Ｓ２２Ｃおよび信号ＥＮに基づいて、信号Ｓ６４Ｅを生成するものである。エンコーダ６４Ｆは、信号Ｓ２２Ｆ，Ｓ２２Ｄおよび信号ＥＮに基づいて、信号Ｓ６４Ｆを生成するものである。エンコーダ６４Ｇは、信号Ｓ２２Ｇおよび信号ＥＮに基づいて、信号Ｓ６４Ｇを生成するものである。エンコーダ６４Ｈは、信号Ｓ２２Ｈおよび信号ＥＮに基づいて、信号Ｓ６４Ｈを生成するものである。
【０２５４】
図５２は、エンコーダ６４の一構成例を表すものである。エンコーダ６４は、セレクタ２０５と、排他的論理和回路２０６と、論理積回路２０７とを有している。セレクタ２０５は、入力端子ＣＥＮにおける信号ＥＮが低レベルである場合には入力端子ｉｎ１における信号の反転信号を選択し、入力端子ＣＥＮにおける信号ＥＮが高レベルである場合には入力端子ｉｎ２における信号を選択し、選択された信号を出力するものである。排他的論理和回路２０６は、入力端子ｉｎ１における信号およびセレクタ２０５の出力信号の排他的論理和を求め、その結果を出力するものである。論理積回路２０７は、入力端子ｉｎ１における信号および排他的論理和回路２０６の出力信号の論理積を求め、その結果を出力端子ｏｕｔ１から出力するものである。
【０２５５】
図５３は、エンコーダ６４の一動作例を表すものである。動作モードＭＡ，ＭＢでは、入力端子ＣＥＮにおける信号ＥＮが低レベル“０”になる。この場合には、エンコーダ６４は、入力端子ｉｎ１における信号と同じ信号を出力端子ｏｕｔ１から出力する。一方、動作モードＭＣでは、入力端子ＣＥＮにおける信号ＥＮが高レベル“１”になる。この場合には、エンコーダ６４は、入力端子ｉｎ１，ｉｎ２における信号がそれぞれ“１”，“０”である場合には出力端子ｏｕｔ１における信号を高レベル“１”にし、その他の場合には出力端子ｏｕｔ１における信号を低レベル“０”にするようになっている。
【０２５６】
なお、この例では、図５２に示したようにエンコーダ６４を構成したが、これに限定されるものではない。図５４に示すようにエンコーダ（エンコーダ１２９）を構成してもよい。このエンコーダ１２９は、反転論理積回路２２６と、論理積回路２２７とを有している。反転論理積回路２２６は、入力端子ｉｎ１における信号、入力端子ＣＥＮにおける信号ＥＮ、および入力端子ｉｎ２における信号の反転論理積を求め、その結果を出力するものである。論理積回路２２７は、入力端子ｉｎ１における信号および反転論理積回路２２６の出力信号の論理積を求め、その結果を出力端子ｏｕｔ１から出力するものである。このエンコーダ１２７の動作は、エンコーダ６４の動作（図５３）と同じである。
【０２５７】
ここで、エンコーダ６４Ａ〜６４Ｈは、本開示における「エンコーダ部」の一具体例に対応する。
【０２５８】
セレクタ２３Ａ（図５０Ａ）は、信号Ｓselに基づいて、動作モードが動作モードＭＡ（単相モード）または動作モードＭＣ（３相モード）である場合には信号Ｓ６４Ａを選択し、動作モードが動作モードＭＢ（差動モード）である場合には信号Ｓ６４Ｄを選択し、選択された信号を信号Ｓ２３Ａとして出力するものである。セレクタ２３Ｂは、信号Ｓselに基づいて、動作モードが動作モードＭＡまたは動作モードＭＣである場合には信号Ｓ６４Ｂを選択し、動作モードが動作モードＭＢである場合には信号Ｓ６４Ｃを選択し、選択された信号を信号Ｓ２３Ｂとして出力するものである。セレクタ２３Ｃは、信号Ｓselに基づいて、動作モードが動作モードＭＡまたは動作モードＭＣである場合には信号Ｓ６４Ｃを選択し、動作モードが動作モードＭＢである場合には信号Ｓ６４Ｂを選択し、選択された信号を信号Ｓ２３Ｃとして出力するものである。セレクタ２３Ｄは、信号Ｓselに基づいて、動作モードが動作モードＭＡまたは動作モードＭＣである場合には信号Ｓ６４Ｄを選択し、動作モードが動作モードＭＢである場合には信号Ｓ６４Ａを選択し、選択された信号を信号Ｓ２３Ｄとして出力するものである。セレクタ２３Ｅ（図５０Ｂ）は、信号Ｓselに基づいて、動作モードが動作モードＭＡまたは動作モードＭＣである場合には信号Ｓ６４Ｅを選択し、動作モードが動作モードＭＢである場合には信号Ｓ６４Ｈを選択し、選択された信号を信号Ｓ２３Ｅとして出力するものである。セレクタ２３Ｆは、信号Ｓselに基づいて、動作モードが動作モードＭＡまたは動作モードＭＣである場合には信号Ｓ６４Ｆを選択し、動作モードが動作モードＭＢである場合には信号Ｓ６４Ｇを選択し、選択された信号を信号Ｓ２３Ｆとして出力するものである。セレクタ２３Ｇは、信号Ｓselに基づいて、動作モードが動作モードＭＡまたは動作モードＭＣである場合には信号Ｓ６４Ｇを選択し、動作モードが動作モードＭＢである場合には信号Ｓ６４Ｆを選択し、選択された信号を信号Ｓ２３Ｇとして出力するものである。セレクタ２３Ｈは、信号Ｓselに基づいて、動作モードが動作モードＭＡまたは動作モードＭＣである場合には信号Ｓ６４Ｈを選択し、動作モードが動作モードＭＢである場合には信号Ｓ６４Ｅを選択し、選択された信号を信号Ｓ２３Ｈとして出力するものである。
【０２５９】
ドライバ２４Ａ（図５０Ａ）は、信号Ｓ６４Ａ，Ｓ６４Ｂ，Ｓ２３Ａ，Ｓ２３Ｂおよび信号ＣＴＬに基づいて、出力端子Ｔout１における電圧を設定するものである。ドライバ２４Ｂは、信号Ｓ２３Ｃ，Ｓ２３Ｄ，Ｓ６４Ｃ，Ｓ６４Ｄおよび信号ＣＴＬに基づいて、出力端子Ｔout２における電圧を設定するものである。ドライバ２４Ｃ（図５０Ｂ）は、信号Ｓ６４Ｅ，Ｓ６４Ｆ，Ｓ２３Ｅ，Ｓ２３Ｆおよび信号ＣＴＬに基づいて、出力端子Ｔout３における電圧を設定するものである。ドライバ２４Ｄは、信号Ｓ２３Ｇ，Ｓ２３Ｈ，Ｓ６４Ｇ，Ｓ６４Ｈおよび信号ＣＴＬに基づいて、出力端子Ｔout４における電圧を設定するものである。
【０２６０】
例えば、信号Ｓ２２Ａ，Ｓ２２Ｂ，Ｓ２２Ｃ，Ｓ２２Ｄ，Ｓ２２Ｅ，Ｓ２２Ｆが“１”，“０”，“０”，“１”，“０”，“１”である場合には、図５３に示したように、エンコーダ６４Ａは信号Ｓ６４Ａを“１”にし、エンコーダ６４Ｂは信号Ｓ６４Ｂを“０”にし、エンコーダ６４Ｃは信号Ｓ６４Ｃを“０”にし、エンコーダ６４Ｄは信号Ｓ６４Ｄを“１”にし、エンコーダ６４Ｅは信号Ｓ６４Ｅを“０”にし、エンコーダ６４Ｆは信号Ｓ６４Ｆを“０”にする。
【０２６１】
このとき、ドライバ２４Ａ（図５０Ａ）では、サブドライバＡＡ１〜ＡＡＭ，ＡＢ１〜ＡＢＮにおけるトランジスタ９２がオン状態になり、サブドライバＡＡ１〜ＡＡＭ，ＡＢ１〜ＡＢＮにおけるトランジスタ９３がオフ状態になる。その結果、ドライバ２４Ａは、出力端子Ｔout１における電圧を高レベル電圧ＶＨにするとともに、出力インピーダンスを約５０［Ω］にする。
【０２６２】
また、ドライバ２４Ｂでは、サブドライバＢＡ１〜ＡＡＭ，ＢＢ１〜ＢＢＮにおけるトランジスタ９３がオン状態になり、サブドライバＢＡ１〜ＢＡＭ，ＢＢ１〜ＢＢＮにおけるトランジスタ９２がオフ状態になる。その結果、ドライバ２４Ｂは、出力端子Ｔout２における電圧を低レベル電圧ＶＬにするとともに、出力インピーダンスを約５０［Ω］にする。
【０２６３】
また、ドライバ２４Ｃ（図５０Ｂ）では、サブドライバＣＡ１〜ＣＡＭ，ＣＢ１〜ＣＢＮにおけるトランジスタ９２，９３がオフ状態になる。その結果、ドライバ２４Ｃは、出力インピーダンスをハイインピーダンスにする。このとき、受信装置１５０の受信部１５１では、図４６に示したように、入力端子ＴinＣにおける電圧が中レベル電圧ＶＭになる。
【０２６４】
［変形例２−２］
上記実施の形態では、図３と同様の構成を有するシリアライザ２８Ａ〜２８Ｈを用いたが、これに限定されるものではない。以下に、本変形例について詳細に説明する。
【０２６５】
図５５は、本変形例に係る送信部６７の一構成例を表すものである。送信部６７は、送信回路部６７Ａ，６７Ｂと、制御部６５とを有している。図５６Ａは、送信回路部６７Ａの一構成例を表すものであり、図５６Ｂは、送信回路部６７Ｂの一構成例を表すものである。送信回路部６７Ａは、４つのシリアライザ６８（シリアライザ６８Ａ，６８Ｂ，６８Ｃ，６８Ｄ）と、４つのエンコーダ２９（エンコーダ２９Ａ，２９Ｂ，２９Ｃ，２９Ｄ）と、４つのマルチプレクサ２２（マルチプレクサ２２Ａ，２２Ｂ，２２Ｃ，２２Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部６７Ｂは、４つのシリアライザ６８（シリアライザ６８Ｅ，６８Ｆ，６８Ｇ，６８Ｈ）と、４つのエンコーダ２９（エンコーダ２９Ｅ，２９Ｆ，２９Ｇ，２９Ｈ）と、４つのマルチプレクサ２２（マルチプレクサ２２Ｅ，２２Ｆ，２２Ｇ，２２Ｈ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０２６６】
シリアライザ６８Ａ（図５６Ａ）は、クロック信号Ｐ０，Ｐ２，Ｐ４，Ｐ６および信号ＤＩ１０Ｐ，ＤＩ１０Ｎ，ＤＩ１２Ｐ，ＤＩ１２Ｎ，ＤＩ１４Ｐ，ＤＩ１４Ｎ，ＤＩ１６Ｐ，ＤＩ１６Ｎに基づいて、信号Ｓ６８ＡＰ，Ｓ６８ＡＮを生成するものである。シリアライザ６８Ｂは、クロック信号Ｐ０，Ｐ２，Ｐ４，Ｐ６および信号ＤＩ２０Ｐ，ＤＩ２０Ｎ，ＤＩ２２Ｐ，ＤＩ２２Ｎ，ＤＩ２４Ｐ，ＤＩ２４Ｎ，ＤＩ２６Ｐ，ＤＩ２６Ｎに基づいて、信号Ｓ６８ＢＰ，Ｓ６８ＢＮを生成するものである。シリアライザ６８Ｃは、クロック信号Ｐ１，Ｐ３，Ｐ５，Ｐ７および信号ＤＩ１１Ｐ，ＤＩ１１Ｎ，ＤＩ１３Ｐ，ＤＩ１３Ｎ，ＤＩ１５Ｐ，ＤＩ１５Ｎ，ＤＩ１７Ｐ，ＤＩ１７Ｎに基づいて、信号Ｓ６８ＣＰ，Ｓ６８ＣＮを生成するものである。シリアライザ６８Ｄは、クロック信号Ｐ１，Ｐ３，Ｐ５，Ｐ７および信号ＤＩ２１Ｐ，ＤＩ２１Ｎ，ＤＩ２３Ｐ，ＤＩ２３Ｎ，ＤＩ２５Ｐ，ＤＩ２５Ｎ，ＤＩ２７Ｐ，ＤＩ２７Ｎに基づいて、信号Ｓ６８ＤＰ，Ｓ６８ＤＮを生成するものである。シリアライザ６８Ｅ（図５６Ｂ）は、クロック信号Ｐ０，Ｐ２，Ｐ４，Ｐ６および信号ＤＩ３０Ｐ，ＤＩ３０Ｎ，ＤＩ３２Ｐ，ＤＩ３２Ｎ，ＤＩ３４Ｐ，ＤＩ３４Ｎ，ＤＩ３６Ｐ，ＤＩ３６Ｎに基づいて、信号Ｓ６８ＥＰ，Ｓ６８ＥＮを生成するものである。シリアライザ６８Ｆは、クロック信号Ｐ０，Ｐ２，Ｐ４，Ｐ６および信号ＤＩ４０Ｐ，ＤＩ４０Ｎ，ＤＩ４２Ｐ，ＤＩ４２Ｎ，ＤＩ４４Ｐ，ＤＩ４４Ｎ，ＤＩ４６Ｐ，ＤＩ４６Ｎに基づいて、信号Ｓ６８ＦＰ，Ｓ６８ＦＮを生成するものである。シリアライザ６８Ｇは、クロック信号Ｐ１，Ｐ３，Ｐ５，Ｐ７および信号ＤＩ３１Ｐ，ＤＩ３１Ｎ，ＤＩ３３Ｐ，ＤＩ３３Ｎ，ＤＩ３５Ｐ，ＤＩ３５Ｎ，ＤＩ３７Ｐ，ＤＩ３７Ｎに基づいて、信号Ｓ６８ＧＰ，Ｓ６８ＧＮを生成するものである。シリアライザ６８Ｈは、クロック信号Ｐ１，Ｐ３，Ｐ５，Ｐ７および信号ＤＩ４１Ｐ，ＤＩ４１Ｎ，ＤＩ４３Ｐ，ＤＩ４３Ｎ，ＤＩ４５Ｐ，ＤＩ４５Ｎ，ＤＩ４７Ｐ，ＤＩ４７Ｎに基づいて、信号Ｓ６８ＨＰ，Ｓ６８ＨＮを生成するものである。
【０２６７】
図５７は、シリアライザ６８Ａの一構成例を表すものである。シリアライザ６８Ａは、トランジスタＭ１〜Ｍ１８と、反転論理積回路２３１〜２３４とを有している。トランジスタＭ１〜Ｍ１０，Ｍ１３〜Ｍ１６は、ＮチャネルＭＯＳ型のＦＥＴであり、トランジスタＭ１１，Ｍ１２，Ｍ１７，Ｍ１８は、ＰチャネルＭＯＳ型のＦＥＴである。シリアライザ６８Ａは、シリアライザ２１Ａ（図３）に、反転論理積回路２３１〜２３４およびトランジスタＭ１３〜Ｍ１８を追加したものである。
【０２６８】
反転論理積回路２３１は、信号ＤＩ１０Ｐおよび信号ＤＩ１０Ｎの反転論理積を求め、その結果を出力するものである。反転論理積回路２３２は、信号ＤＩ１２Ｐおよび信号ＤＩ１２Ｎの反転論理積を求め、その結果を出力するものである。反転論理積回路２３３は、信号ＤＩ１４Ｐおよび信号ＤＩ１４Ｎの反転論理積を求め、その結果を出力するものである。反転論理積回路２３４は、信号ＤＩ１６Ｐおよび信号ＤＩ１６Ｎの反転論理積を求め、その結果を出力するものである。
【０２６９】
トランジスタＭ１３のソースには反転論理積回路２３１の出力信号が供給され、ゲートにはクロック信号Ｐ０が供給され、ドレインはトランジスタＭ１４〜Ｍ１６のドレインおよびトランジスタＭ１７，Ｍ１８のゲートに接続されている。トランジスタＭ１４のソースには反転論理積回路２３２の出力信号が供給され、ゲートにはクロック信号Ｐ２が供給され、ドレインはトランジスタＭ１３，Ｍ１５，Ｍ１６のドレインおよびトランジスタＭ１７，Ｍ１８のゲートに接続されている。トランジスタＭ１５のソースには反転論理積回路２３３の出力信号が供給され、ゲートにはクロック信号Ｐ４が供給され、ドレインはトランジスタＭ１３，Ｍ１４，Ｍ１６のドレインおよびトランジスタＭ１７，Ｍ１８のゲートに接続されている。トランジスタＭ１６のソースには反転論理積回路２３４の出力信号が供給され、ゲートにはクロック信号Ｐ６が供給され、ドレインはトランジスタＭ１３〜Ｍ１５のドレインおよびトランジスタＭ１７，Ｍ１８のゲートに接続されている。トランジスタＭ１７のソースには電源電圧ＶＤＤが供給され、ゲートはトランジスタＭ１３〜Ｍ１６のドレインおよびトランジスタＭ１８のゲートに接続され、ドレインはトランジスタＭ９，Ｍ１１のドレインおよびトランジスタＭ１２のゲートに接続されている。トランジスタＭ１８のソースには電源電圧ＶＤＤが供給され、ゲートはトランジスタＭ１３〜Ｍ１６のドレインおよびトランジスタＭ１７のゲートに接続され、ドレインはトランジスタＭ１０，Ｍ１２のドレインおよびトランジスタＭ１１のゲートに接続されている。シリアライザ６８Ａは、トランジスタＭ９，Ｍ１１，Ｍ１７のドレインから信号Ｓ６８ＡＰを出力し、トランジスタＭ１０，Ｍ１２，Ｍ１８のドレインから信号Ｓ６８ＡＮを出力するようになっている。
【０２７０】
この構成により、例えば、クロック信号Ｐ０が高レベルである期間において、信号ＤＩ１０Ｐ，ＤＩ１０Ｎが互いに異なる場合には、シリアライザ６８Ａはシリアライザ２１Ａと同様に動作し、信号ＤＩ１０Ｐ，ＤＩ１０Ｎがともに高レベルである場合には、シリアライザ６８Ａは信号Ｓ６８ＡＰ，Ｓ６８ＡＮをともに高レベルにする。同様に、クロック信号Ｐ２が高レベルである期間において、信号ＤＩ１２Ｐ，ＤＩ１２Ｎが互いに異なる場合には、シリアライザ６８Ａはシリアライザ２１Ａと同様に動作し、信号ＤＩ１２Ｐ，ＤＩ１２Ｎがともに高レベルである場合には、シリアライザ６８Ａは信号Ｓ６８ＡＰ，Ｓ６８ＡＮをともに高レベルにする。また、クロック信号Ｐ４が高レベルである期間において、信号ＤＩ１４Ｐ，ＤＩ１４Ｎが互いに異なる場合には、シリアライザ６８Ａはシリアライザ２１Ａと同様に動作し、信号ＤＩ１４Ｐ，ＤＩ１４Ｎがともに高レベルである場合には、シリアライザ６８Ａは信号Ｓ６８ＡＰ，Ｓ６８ＡＮをともに高レベルにする。また、クロック信号Ｐ６が高レベルである期間において、信号ＤＩ１６Ｐ，ＤＩ１６Ｎが互いに異なる場合には、シリアライザ６８Ａはシリアライザ２１Ａと同様に動作し、信号ＤＩ１６Ｐ，ＤＩ１６Ｎがともに高レベルである場合には、シリアライザ６８Ａは信号Ｓ６８ＡＰ，Ｓ６８ＡＮをともに高レベルにするようになっている。
【０２７１】
処理部６１は、動作モードＭＡ，ＭＢでは、信号ＤＩ１０〜ＤＩ１７，ＤＩ２０〜ＤＩ２７，ＤＩ３０〜ＤＩ３７，ＤＩ４０〜ＤＩ４７を生成する。ここで、例えば信号ＤＩ１０は、信号ＤＩ１０Ｐ，ＤＩ１０Ｎを含む。そして、処理部６１は、信号ＤＩ１０，ＤＩ１２，ＤＩ１４，ＤＩ１６をシリアライザ６８Ａに供給し、信号ＤＩ１１，ＤＩ１３，ＤＩ１５，ＤＩ１７をシリアライザ６８Ｃに供給する。また、処理部６１は、信号ＤＩ２０，ＤＩ２２，ＤＩ２４，ＤＩ２６をシリアライザ６８Ｂに供給し、信号ＤＩ２１，ＤＩ２３，ＤＩ２５，ＤＩ２７をシリアライザ６８Ｄに供給する。また、処理部６１は、信号ＤＩ３０，ＤＩ３２，ＤＩ３４，ＤＩ３６をシリアライザ６８Ｅに供給し、信号ＤＩ３１，ＤＩ３３，ＤＩ３５，ＤＩ３７をシリアライザ６８Ｇに供給する。また、処理部６１は、信号ＤＩ４０，ＤＩ４２，ＤＩ４４，ＤＩ４６をシリアライザ６８Ｆに供給し、信号ＤＩ４１，ＤＩ４３，ＤＩ４５，ＤＩ４７をシリアライザ６８Ｈに供給する。
【０２７２】
また、処理部６１は、動作モードＭＣでは、データＤ１０〜Ｄ１７，Ｄ２０〜Ｄ２７，Ｄ３０〜Ｄ３７を生成する。そして、処理部６１は、生成したデータＤ１０〜Ｄ１７，Ｄ２０〜Ｄ２７，Ｄ３０〜Ｄ３７を、以下のように、シリアライザ６８Ａ〜６８Ｅ，６８Ｇに供給する。
【０２７３】
図５８は、処理部６１が生成したデータＤ１０〜Ｄ１７，Ｄ２０〜Ｄ２７，Ｄ３０〜Ｄ３７の、シリアライザ６８Ａ〜６８Ｅ，６８Ｇへの供給動作を表すものである。処理部６１は、データＤ１０，Ｄ１２，Ｄ１４，Ｄ１６を、シリアライザ６８Ａに対して信号ＤＩ１０Ｐ，ＤＩ１２Ｐ，ＤＩ１４Ｐ，ＤＩ１６Ｐを用いて供給するとともに、シリアライザ６８Ｂに対して信号ＤＩ２０Ｎ，ＤＩ２２Ｎ，ＤＩ２４Ｎ，ＤＩ２６Ｎを用いて供給する。また、処理部６１は、データＤ１１，Ｄ１３，Ｄ１５，Ｄ１７を、シリアライザ６８Ｃに対して信号ＤＩ１１Ｐ，ＤＩ１３Ｐ，ＤＩ１５Ｐ，ＤＩ１７Ｐを用いて供給するとともに、シリアライザ６８Ｄに対して信号ＤＩ２１Ｎ，ＤＩ２３Ｎ，ＤＩ２５Ｎ，ＤＩ２７Ｎを用いて供給する。また、処理部６１は、データＤ２０，Ｄ２２，Ｄ２４，Ｄ２６を、シリアライザ６８Ｂに対して信号ＤＩ２０Ｐ，ＤＩ２２Ｐ，ＤＩ２４Ｐ，ＤＩ２６Ｐを用いて供給するとともに、シリアライザ６８Ｅに対して信号ＤＩ３０Ｎ，ＤＩ３２Ｎ，ＤＩ３４Ｎ，ＤＩ３６Ｎを用いて供給する。また、処理部６１は、データＤ２１，Ｄ２３，Ｄ２５，Ｄ２７を、シリアライザ６８Ｄに対して信号ＤＩ２１Ｐ，ＤＩ２３Ｐ，ＤＩ２５Ｐ，ＤＩ２７Ｐを用いて供給するとともに、シリアライザ６８Ｇに対して信号ＤＩ３１Ｎ，ＤＩ３３Ｎ，ＤＩ３５Ｎ，ＤＩ３７Ｎを用いて供給する。また、処理部６１は、データＤ３０，Ｄ３２，Ｄ３４，Ｄ３６を、シリアライザ６８Ｅに対して信号ＤＩ３０Ｐ，ＤＩ３２Ｐ，ＤＩ３４Ｐ，ＤＩ３６Ｐを用いて供給するとともに、シリアライザ６８Ａに対して信号ＤＩ１０Ｎ，ＤＩ１２Ｎ，ＤＩ１４Ｎ，ＤＩ１６Ｎを用いて供給する。また、処理部６１は、データＤ３１，Ｄ３３，Ｄ３５，Ｄ３７を、シリアライザ６８Ｇに対して信号ＤＩ３１Ｐ，ＤＩ３３Ｐ，ＤＩ３５Ｐ，ＤＩ３７Ｐを用いて供給するとともに、シリアライザ６８Ｃに対して信号ＤＩ１１Ｎ，ＤＩ１３Ｎ，ＤＩ１５Ｎ，ＤＩ１７Ｎを用いて供給するようになっている。
【０２７４】
これにより、例えば、シリアライザ６８Ａに供給される信号ＤＩ１０Ｐ，ＤＩ１２Ｐ，ＤＩ１４，ＤＩ１６Ｐおよび信号ＳＩ１０Ｎ，ＤＩ１２Ｎ，ＤＩ１４Ｎ，ＤＩ１６Ｎは、相関のない信号になり得る。具体的には、信号ＤＩ１０Ｐ，ＤＩ１０Ｎは、必ずしも互いに反転した信号にはならず、信号ＤＩ１２Ｐ，ＤＩ１２Ｎは、必ずしも互いに反転した信号にはならず、信号ＤＩ１４Ｐ，ＤＩ１４Ｎは、必ずしも互いに反転した信号にはならず、信号ＤＩ１６Ｐ，ＤＩ１６Ｎは、必ずしも互いに反転した信号にはならない。シリアライザ６８Ｂ〜６８Ｈについても同様である。
【０２７５】
図５８に示した、データＤ１０〜Ｄ１７，Ｄ２０〜Ｄ２７，Ｄ３０〜Ｄ３７の、シリアライザ６８Ａ〜６８Ｅ，６８Ｇへの供給動作は、上記実施の形態に係る、シリアライザ２８Ａ〜２８Ｈが生成した信号Ｓ２８Ａ〜Ｓ２８Ｈの信号経路（図４１）に対応している。すなわち、上記実施の形態では、エンコーダ２９Ａ〜２９Ｈを設けるとともに、シリアライザ２８Ａ〜２８Ｈからエンコーダ２９Ａ〜２９Ｈへの信号経路を工夫することにより３相信号を生成したが、本変形例では、エンコーダ２９Ａ〜２９Ｈを設けるとともに、シリアライザ６８Ａ〜６８Ｈへのデータの供給を工夫することにより３相信号を生成している。
【０２７６】
ここで、複数のシリアライザ６８Ａ〜６８Ｈは、本開示における「シリアライザ部」の一具体例に対応する。
【０２７７】
エンコーダ２９Ａ（図５６Ａ）は、信号Ｓ６８ＡＰ，Ｓ６８ＡＮおよび信号ＥＮに基づいて、信号Ｓ２９ＡＰ，Ｓ２９ＡＮを生成するものである。エンコーダ２９Ａの入力端子ｉｎ１には信号Ｓ６８ＡＰが供給され、入力端子ｉｎ２には信号Ｓ６８ＡＮが供給され、入力端子ＣＥＮには信号ＥＮが供給される。そして、エンコーダ２９Ａは、出力端子ｏｕｔ１から信号Ｓ２９ＡＰを出力するとともに、出力端子ｏｕｔ２から信号Ｓ２９ＡＮを出力するようになっている。
【０２７８】
同様に、エンコーダ２９Ｂは、信号Ｓ６８ＢＰ，Ｓ６８ＢＮおよび信号ＥＮに基づいて、信号Ｓ２９ＢＰ，Ｓ２９ＢＮを生成するものである。エンコーダ２９Ｃは、信号Ｓ６８ＣＰ，Ｓ６８ＣＮおよび信号ＥＮに基づいて、信号Ｓ２９ＣＰ，Ｓ２９ＣＮを生成するものである。エンコーダ２９Ｄは、信号Ｓ６８ＤＰ，Ｓ６８ＤＮおよび信号ＥＮに基づいて、信号Ｓ２９ＤＰ，Ｓ２９ＤＮを生成するものである。エンコーダ２９Ｅ（図５６Ｂ）は、信号Ｓ６８ＥＰ，Ｓ６８ＥＮおよび信号ＥＮに基づいて、信号Ｓ２９ＥＰ，Ｓ２９ＥＮを生成するものである。エンコーダ２９Ｆは、信号Ｓ６８ＦＰ，Ｓ６８ＦＮおよび信号ＥＮに基づいて、信号Ｓ２９ＦＰ，Ｓ２９ＦＮを生成するものである。エンコーダ２９Ｇは、信号Ｓ６８ＧＰ，Ｓ６８ＧＮおよび信号ＥＮに基づいて、信号Ｓ２９ＧＰ，Ｓ２９ＧＮを生成するものである。エンコーダ２９Ｈは、信号Ｓ６８ＨＰ，Ｓ６８ＨＮおよび信号ＥＮに基づいて、信号Ｓ２９ＨＰ，Ｓ２９ＨＮを生成するものである。
【０２７９】
本変形例に係る送信部６７では、マルチプレクサ２２の前段にエンコーダ２９を設けたが、これに限定されるものではなく、これに代えて、例えば、マルチプレクサ２２の後段にエンコーダを設けてもよい。以下に、本変形例に係る他の送信部６９について、詳細に説明する。
【０２８０】
図５９Ａ，５９Ｂは、送信部６９における送信回路部６９Ａ，６９Ｂの一構成例を表すものである。送信回路部６９Ａは、４つのシリアライザ６８（シリアライザ６８Ａ，６８Ｂ，６８Ｃ，６８Ｄ）と、４つのマルチプレクサ２２（マルチプレクサ２２Ａ，２２Ｂ，２２Ｃ，２２Ｄ）と、２つのエンコーダ２９（エンコーダ２９Ａ，２９Ｂ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部６９Ｂは、４つのシリアライザ６８（シリアライザ６８Ｅ，６８Ｆ，６８Ｇ，６８Ｈ）と、４つのマルチプレクサ２２（マルチプレクサ２２Ｅ，２２Ｆ，２２Ｇ，２２Ｈ）と、２つのエンコーダ２９（エンコーダ２９Ｃ，２９Ｄ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０２８１】
エンコーダ２９Ａ（図５９Ａ）は、信号Ｓ２２Ａ，Ｓ２２Ｂおよび信号ＥＮに基づいて、信号Ｓ２９ＡＰ，Ｓ２９ＡＮを生成するものである。エンコーダ２９Ｂは、信号Ｓ２２Ｃ，Ｓ２２Ｄおよび信号ＥＮに基づいて、信号Ｓ２９ＢＰ，Ｓ２９ＢＮを生成するものである。エンコーダ２９Ｃ（図５９Ｂ）は、信号Ｓ２２Ｅ，Ｓ２２Ｆおよび信号ＥＮに基づいて、信号Ｓ２９ＣＰ，Ｓ２９ＣＮを生成するものである。エンコーダ２９Ｄは、信号Ｓ２２Ｇ，Ｓ２２Ｈおよび信号ＥＮに基づいて、信号Ｓ２９ＤＰ，Ｓ２９ＤＮを生成するものである。
【０２８２】
セレクタ２３Ａ（図５９Ａ）は、信号Ｓselに基づいて、動作モードが動作モードＭＡ（単相モード）または動作モードＭＣ（３相モード）である場合には信号Ｓ２９ＡＰを選択し、動作モードが動作モードＭＢ（差動モード）である場合には信号Ｓ２９ＢＮを選択し、選択された信号を信号Ｓ２３Ａとして出力するものである。セレクタ２３Ｂは、信号Ｓselに基づいて、動作モードが動作モードＭＡまたは動作モードＭＣである場合には信号Ｓ２９ＡＮを選択し、動作モードが動作モードＭＢである場合には信号Ｓ２９ＢＰを選択し、選択された信号を信号Ｓ２３Ｂとして出力するものである。セレクタ２３Ｃは、信号Ｓselに基づいて、動作モードが動作モードＭＡまたは動作モードＭＣである場合には信号Ｓ２９ＢＰを選択し、動作モードが動作モードＭＢである場合には信号Ｓ２９ＡＮを選択し、選択された信号を信号Ｓ２３Ｃとして出力するものである。セレクタ２３Ｄは、信号Ｓselに基づいて、動作モードが動作モードＭＡまたは動作モードＭＣである場合には信号Ｓ２９ＢＮを選択し、動作モードが動作モードＭＢである場合には信号Ｓ２９ＡＰを選択し、選択された信号を信号Ｓ２３Ｄとして出力するものである。セレクタ２３Ｅ（図５９Ｂ）は、信号Ｓselに基づいて、動作モードが動作モードＭＡまたは動作モードＭＣである場合には信号Ｓ２９ＣＰを選択し、動作モードが動作モードＭＢである場合には信号Ｓ２９ＤＮを選択し、選択された信号を信号Ｓ２３Ｅとして出力するものである。セレクタ２３Ｆは、信号Ｓselに基づいて、動作モードが動作モードＭＡまたは動作モードＭＣである場合には信号Ｓ２９ＣＮを選択し、動作モードが動作モードＭＢである場合には信号Ｓ２９ＤＰを選択し、選択された信号を信号Ｓ２３Ｆとして出力するものである。セレクタ２３Ｇは、信号Ｓselに基づいて、動作モードが動作モードＭＡまたは動作モードＭＣである場合には信号Ｓ２９ＤＰを選択し、動作モードが動作モードＭＢである場合には信号Ｓ２９ＣＮを選択し、選択された信号を信号Ｓ２３Ｇとして出力するものである。セレクタ２３Ｈは、信号Ｓselに基づいて、動作モードが動作モードＭＡまたは動作モードＭＣである場合には信号Ｓ２９ＤＮを選択し、動作モードが動作モードＭＢである場合には信号Ｓ２９ＣＰを選択し、選択された信号を信号Ｓ２３Ｈとして出力するものである。
【０２８３】
ドライバ２４Ａ（図５９Ａ）は、信号Ｓ２９ＡＰ，Ｓ２９ＡＮ，Ｓ２３Ａ，Ｓ２３Ｂおよび信号ＣＴＬに基づいて、出力端子Ｔout１における電圧を設定するものである。ドライバ２４Ｂは、信号Ｓ２３Ｃ，Ｓ２３Ｄ，Ｓ２９ＢＰ，Ｓ２９ＢＮおよび信号ＣＴＬに基づいて、出力端子Ｔout２における電圧を設定するものである。ドライバ２４Ｃ（図５９Ｂ）は、信号Ｓ２９ＣＰ，Ｓ２９ＣＮ，Ｓ２３Ｅ，Ｓ２３Ｆおよび信号ＣＴＬに基づいて、出力端子Ｔout３における電圧を設定するものである。ドライバ２４Ｄは、信号Ｓ２３Ｇ，Ｓ２３Ｈ，Ｓ２９ＤＰ，Ｓ２９ＤＮおよび信号ＣＴＬに基づいて、出力端子Ｔout４における電圧を設定するものである。
【０２８４】
＜３．第３の実施の形態＞
次に、第３の実施の形態に係る通信システム３Ａ〜３Ｃについて説明する。本実施の形態は、３つの電圧レベルを有する信号を用いて通信を行う場合において、出力端子を中レベル電圧ＶＭに設定する方法が異なるものである。なお、上記第２の実施の形態に係る通信システム２Ａ〜２Ｃと実質的に同一の構成部分には同一の符号を付し、適宜説明を省略する。
【０２８５】
図３７Ａに示したように、通信システム３Ａは、送信装置７０と、受信装置１３０とを備えている。通信システム３Ａでは、送信装置７０は、線路１０１を用いて信号ＳＩＧ１を送信し、線路１０２を用いて信号ＳＩＧ２を送信し、線路１０３を用いて信号ＳＩＧ３を送信し、線路１０４を用いて信号ＳＩＧ４を送信するようになっている。
【０２８６】
図３７Ｂに示したように、通信システム３Ｂは、送信装置７０と、受信装置１４０とを備えている。通信システム３Ｂでは、送信装置７０は、線路１１１，１１２を用いて信号ＳＩＧ１Ｐ，ＳＩＧ１Ｎを送信するとともに、線路１１３，１１４を用いて信号ＳＩＧ２Ｐ，ＳＩＧ２Ｎを送信するようになっている。
【０２８７】
図３７Ｃに示したように、通信システム３Ｃは、送信装置７０と、受信装置１５０とを備えている。通信システム３Ｃでは、送信装置７０は、線路１２１，１２２，１２３を用いて信号ＳＩＧＡ，ＳＩＧＢ，ＳＩＧＣを送信するようになっている。
【０２８８】
（送信装置７０）
送信装置７０は、図３７Ａ〜３７Ｃに示したように、送信部７２を有している。
【０２８９】
送信部７２は、モード信号Ｓmodeに基づいて、処理部６１が生成したデータを送信するものである。具体的には、送信部７２は、モード信号Ｓmodeが示す動作モードが動作モードＭＡ（単相モード）である場合には、処理部６１が生成したデータを信号ＳＩＧ１〜ＳＩＧ４を用いて送信する。また、送信部７２は、モード信号Ｓmodeが示す動作モードが動作モードＭＢである場合には、処理部６１が生成したデータを信号ＳＩＧ１Ｐ，ＳＩＧ１Ｎおよび信号ＳＩＧ２Ｐ，ＳＩＧ２Ｎを用いて送信する。また、送信部７２は、モード信号Ｓmodeが示す動作モードが動作モードＭＣである場合には、処理部６１が生成したデータを信号ＳＩＧＡ，ＳＩＧＢ，ＳＩＧＣを用いて送信するようになっている。送信部７２は、図３９に示したように、送信回路部７２Ａ，７２Ｂと、制御部７５とを有している。
【０２９０】
図６０Ａは、送信回路部７２Ａの一構成例を表すものであり、図６０Ｂは、送信回路部７２Ｂの一構成例を表すものである。送信回路部６２Ａは、４つのシリアライザ２８（シリアライザ２８Ａ，２８Ｂ，２８Ｃ，２８Ｄ）と、４つのエンコーダ２９（エンコーダ２９Ａ，２９Ｂ，２９Ｃ，２９Ｄ）と、４つのマルチプレクサ２２（マルチプレクサ２２Ａ，２２Ｂ，２２Ｃ，２２Ｄ）と、４つのインバータ７３（インバータ７３Ａ，７３Ｂ，７３Ｃ，７３Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部６２Ｂは、４つのシリアライザ２８（シリアライザ２８Ｅ，２８Ｆ，２８Ｇ，２８Ｈ）と、４つのエンコーダ２９（エンコーダ２９Ｅ，２９Ｆ，２９Ｇ，２９Ｈ）と、４つのマルチプレクサ２２（マルチプレクサ２２Ｅ，２２Ｆ，２２Ｇ，２２Ｈ）と、４つのセレクタ２３（セレクタ２３Ｅ，２３Ｆ，２３Ｇ，２３Ｈ）と、４つのインバータ７３（インバータ７３Ｅ，７３Ｆ，７３Ｇ，７３Ｈ）と、２つのドライバ２４（ドライバ２４Ｃ，２４Ｄ）とを有している。
【０２９１】
インバータ７３Ａは、信号Ｓ２２Ｂの反転信号を生成するものである。インバータ７３Ｂは、信号Ｓ２２Ａの反転信号を生成するものである。インバータ７３Ｃは、信号Ｓ２２Ｄの反転信号を生成するものである。インバータ７３Ｄは、信号Ｓ２２Ｃの反転信号を生成するものである。インバータ７３Ｅは、信号Ｓ２２Ｆの反転信号を生成するものである。インバータ７３Ｆは、信号Ｓ２２Ｅの反転信号を生成するものである。インバータ７３Ｇは、信号Ｓ２２Ｈの反転信号を生成するものである。インバータ７３Ｈは、信号Ｓ２２Ｇの反転信号を生成するものである。
【０２９２】
セレクタ２３Ａ（図６０Ａ）は、信号Ｓselに基づいて、動作モードが動作モードＭＡ（単相モード）または動作モードＭＣ（３相モード）である場合にはインバータ７３Ａの出力信号を選択し、動作モードが動作モードＭＢ（差動モード）である場合には信号Ｓ２２Ｄを選択し、選択された信号を信号Ｓ２３Ａとして出力するものである。セレクタ２３Ｂは、信号Ｓselに基づいて、動作モードが動作モードＭＡまたは動作モードＭＣである場合にはインバータ７３Ｂの出力信号を選択し、動作モードが動作モードＭＢである場合には信号Ｓ２２Ｃを選択し、選択された信号を信号Ｓ２３Ｂとして出力するものである。セレクタ２３Ｃは、信号Ｓselに基づいて、動作モードが動作モードＭＡまたは動作モードＭＣである場合にはインバータ７３Ｃの出力信号を選択し、動作モードが動作モードＭＢである場合には信号Ｓ２２Ｂを選択し、選択された信号を信号Ｓ２３Ｃとして出力するものである。セレクタ２３Ｄは、信号Ｓselに基づいて、動作モードが動作モードＭＡまたは動作モードＭＣである場合にはインバータ７３Ｄの出力信号を選択し、動作モードが動作モードＭＢである場合には信号Ｓ２２Ａを選択し、選択された信号を信号Ｓ２３Ｄとして出力するものである。セレクタ２３Ｅ（図６０Ｂ）は、信号Ｓselに基づいて、動作モードが動作モードＭＡまたは動作モードＭＣである場合にはインバータ７３Ｅの出力信号を選択し、動作モードが動作モードＭＢである場合には信号Ｓ２２Ｈを選択し、選択された信号を信号Ｓ２３Ｅとして出力するものである。セレクタ２３Ｆは、信号Ｓselに基づいて、動作モードが動作モードＭＡまたは動作モードＭＣである場合にはインバータ７３Ｆの出力信号を選択し、動作モードが動作モードＭＢである場合には信号Ｓ２２Ｇを選択し、選択された信号を信号Ｓ２３Ｆとして出力するものである。セレクタ２３Ｇは、信号Ｓselに基づいて、動作モードが動作モードＭＡまたは動作モードＭＣである場合にはインバータ７３Ｇの出力信号を選択し、動作モードが動作モードＭＢである場合には信号Ｓ２２Ｆを選択し、選択された信号を信号Ｓ２３Ｇとして出力するものである。セレクタ２３Ｈは、信号Ｓselに基づいて、動作モードが動作モードＭＡまたは動作モードＭＣである場合にはインバータ７３Ｈの出力信号を選択し、動作モードが動作モードＭＢである場合には信号Ｓ２２Ｅを選択し、選択された信号を信号Ｓ２３Ｈとして出力するものである。
【０２９３】
ドライバ２４Ａ（図６０Ａ）は、信号Ｓ２２Ａ，Ｓ２２Ｂ，Ｓ２３Ａ，Ｓ２３Ｂおよび信号ＣＴＬに基づいて、出力端子Ｔout１における電圧を設定するものである。ドライバ２４Ｂは、信号Ｓ２３Ｃ，Ｓ２３Ｄ，Ｓ２２Ｃ，Ｓ２２Ｄおよび信号ＣＴＬに基づいて、出力端子Ｔout２における電圧を設定するものである。ドライバ２４Ｃ（図６０Ｂ）は、信号Ｓ２２Ｅ，Ｓ２２Ｆ，Ｓ２３Ｅ，Ｓ２３Ｆおよび信号ＣＴＬに基づいて、出力端子Ｔout３における電圧を設定するものである。ドライバ２４Ｄは、信号Ｓ２３Ｇ，Ｓ２３Ｈ，Ｓ２２Ｇ，Ｓ２２Ｈおよび信号ＣＴＬに基づいて、出力端子Ｔout４における電圧を設定するものである。
【０２９４】
動作モードＭＡ（単相モード），ＭＢ（差動モード）では、ドライバ２４Ａは、例えば図８に示したように、信号ＣＴＬに基づいて、サブドライバＡＡの数を“Ｍ”に設定するとともにサブドライバＡＢの数を“Ｎ”に設定する。ドライバ２４Ｂ〜２４Ｄについても同様である。
【０２９５】
一方、動作モードＭＣ（３相モード）では、ドライバ２４Ａ，２４Ｂ，２４Ｃ，２４Ｄは、以下に示すように、信号ＣＴＬに基づいて、サブドライバＡＡ，ＡＢ，ＢＡ，ＢＢ，ＣＡ，ＣＢ，ＤＡ，ＤＢの数を、動作モードＭＡ，ＭＢの場合とは異なるように設定する。
【０２９６】
図６１は、動作モードＭＣにおける、ドライバ２４Ａ，２４Ｂの一構成例を表すものである。ドライバ２４Ａは、動作モードＭＣにおいて、信号ＣＴＬに基づいて、サブドライバＡＡの数およびサブドライバＡＢの数をともに“Ｌ”に設定する。数“Ｌ”は、例えば、“２×Ｌ＝Ｍ＋Ｎ”を満たすように設定することができる。ドライバ２４Ｂ〜２４Ｄについても同様である。
【０２９７】
この構成により、例えば、動作モードＭＣにおいて、信号Ｓ２２Ａ，Ｓ２２Ｂをともに低レベルにした場合には、信号Ｓ２３Ａ，Ｓ２３Ｂはともに高レベルになる。よって、ドライバ２４ＡのサブドライバＡＢ１〜ＡＢＬにおけるトランジスタ９２，９３がオン状態になり、サブドライバＡＡ１〜ＡＡＬにおけるトランジスタ９２，９３がオフ状態になる。その結果、ドライバ２４Ａは、出力端子Ｔout１における電圧を中レベル電圧ＶＭにするとともに、出力インピーダンスを約５０［Ω］にすることができるようになっている。
【０２９８】
（動作モードＭＡ）
図６２は、動作モードＭＡにおける信号の流れを表すものである。図６２において、太い実線は、信号ＤＩ１０〜ＤＩ１７に係る信号の流れを示し、太い破線は、信号ＤＩ２０〜ＤＩ２７に係る信号の流れを示す。この例では、送信回路部７２Ａの動作を説明するが、送信回路部７２Ｂの動作についても同様である。
【０２９９】
まず、信号ＤＩ１０〜ＤＩ１７に係る信号の流れを説明する。シリアライザ２８Ａ，２８Ｃ、エンコーダ２９Ａ，２９Ｃ、およびマルチプレクサ２２Ａ，２２Ｂの動作は、第２の実施の形態の場合と同様である。セレクタ２３Ａは、動作モードＭＡでは、信号Ｓselに基づいて信号Ｓ２２Ｂの反転信号を選択し、選択された信号を信号Ｓ２３Ａとして出力する。セレクタ２３Ｂは、動作モードＭＡでは、信号Ｓselに基づいて信号Ｓ２２Ａの反転信号を選択し、選択された信号を信号Ｓ２３Ｂとして出力する。動作モードＭＡでは、信号Ｓ２２Ａ，Ｓ２２Ｂは互いに反転した信号であるので、信号Ｓ２２Ｂの反転信号は、信号Ｓ２２Ａに対応し、信号Ｓ２２Ａの反転信号は、信号Ｓ２２Ｂに対応する。その結果、ドライバ２４Ａは、信号Ｓ２２Ａ，Ｓ２２Ｂに基づいて動作する。
【０３００】
次に、信号ＤＩ２０〜ＤＩ２７に係る信号の流れを説明する。シリアライザ２８Ｂ，２８Ｄ、エンコーダ２９Ｂ，２９Ｄ、およびマルチプレクサ２２Ｃ，２２Ｄの動作は、第２の実施の形態の場合と同様である。セレクタ２３Ｃは、動作モードＭＡでは、信号Ｓselに基づいて信号Ｓ２２Ｄの反転信号を選択し、選択された信号を信号Ｓ２３Ｃとして出力する。セレクタ２３Ｄは、動作モードＭＡでは、信号Ｓselに基づいて信号Ｓ２２Ｃの反転信号を選択し、選択された信号を信号Ｓ２３Ｄとして出力する。動作モードＭＡでは、信号Ｓ２２Ｃ，Ｓ２２Ｄは互いに反転した信号であるので、信号Ｓ２２Ｄの反転信号は、信号Ｓ２２Ｃに対応し、信号Ｓ２２Ｃの反転信号は、信号Ｓ２２Ｄに対応する。その結果、ドライバ２４Ｂは、信号Ｓ２２Ｃ，Ｓ２２Ｄに基づいて動作する。
【０３０１】
このようにして、送信装置７０は、動作モードＭＡにおいて、第２の実施の形態に係る送信装置６０と同様に、受信装置１３０に対して信号ＳＩＧ１〜ＳＩＧ４を用いてデータを送信する。
【０３０２】
（動作モードＭＢ）
図６３は、動作モードＭＢにおける信号の流れを表すものである。図６３において、太い実線は、信号ＤＩ１０〜ＤＩ１７に係る信号の流れを示し、太い破線は、信号ＤＩ２０〜ＤＩ２７に係る信号の流れを示す。この例では、送信回路部７２Ａの動作を説明するが、送信回路部７２Ｂの動作についても同様である。
【０３０３】
まず、信号ＤＩ１０〜ＤＩ１７に係る信号の流れを説明する。シリアライザ２８Ａ，２８Ｃ、エンコーダ２９Ａ，２９Ｃ、およびマルチプレクサ２２Ａ，２２Ｂの動作は、第２の実施の形態の場合と同様である。セレクタ２３Ｃは、動作モードＭＢでは、信号Ｓselに基づいて信号Ｓ２２Ｂを選択し、選択された信号を信号Ｓ２３Ｃとして出力する。セレクタ２３Ｄは、動作モードＭＢでは、信号Ｓselに基づいて信号Ｓ２２Ａを選択し、選択された信号を信号Ｓ２３Ｄとして出力する。その結果、ドライバ２４ＡのサブドライバＡＡ１〜ＡＡＭは、信号Ｓ２２Ａ，Ｓ２２Ｂに基づいて動作し、ドライバ２４ＢのサブドライバＢＡ１〜ＢＡＭは、信号Ｓ２２Ｂ，Ｓ２２Ａに基づいて動作する。
【０３０４】
次に、信号ＤＩ２０〜ＤＩ２７に係る信号の流れを説明する。シリアライザ２８Ｂ，２８Ｄ、エンコーダ２９Ｂ，２９Ｄ、およびマルチプレクサ２２Ｃ，２２Ｄの動作は、第２の実施の形態の場合と同様である。セレクタ２３Ａは、動作モードＭＢでは、信号Ｓselに基づいて信号Ｓ２２Ｄを選択し、選択された信号を信号Ｓ２３Ａとして出力する。セレクタ２３Ｂは、動作モードＭＢでは、信号Ｓselに基づいて信号Ｓ２２Ｃを選択し、選択された信号を信号Ｓ２３Ｂとして出力する。その結果、ドライバ２４ＡのサブドライバＡＢ１〜ＡＢＮは、信号Ｓ２２Ｄ，Ｓ２２Ｃに基づいて動作し、ドライバ２４ＢのサブドライバＢＢ１〜ＢＢＮは、信号Ｓ２２Ｃ，Ｓ２２Ｄに基づいて動作する。
【０３０５】
このようにして、送信装置７０は、動作モードＭＢにおいて、第２の実施の形態に係る送信装置６０と同様に、受信装置１４０に対して信号ＳＩＧ１Ｐ，ＳＩＧ１Ｎおよび信号ＳＩＧ２Ｐ，ＳＩＧ２Ｎを用いてデータを送信する。
【０３０６】
（動作モードＭＣ）
図６４Ａ，６４Ｂは、動作モードＭＣにおける信号の流れを表すものである。図６４Ａにおいて、太い実線は、信号ＳＩＧＡに係る信号の流れを示し、太い破線は、信号ＳＩＧＢに係る信号の流れを示す。図６４Ｂにおいて、太い一点鎖線は、信号ＳＩＧＣに係る信号の流れを示す。シリアライザ２８Ａ〜２８Ｈ、エンコーダ２９Ａ〜２９Ｈ、およびマルチプレクサ２２Ａ〜２２Ｈの動作は、第２の実施の形態の場合と同様である。
【０３０７】
セレクタ２３Ａ（図６４Ａ）は、動作モードＭＣでは、信号Ｓselに基づいて信号Ｓ２２Ｂの反転信号を選択し、選択した信号を信号Ｓ２３Ａとして出力する。セレクタ２３Ｂは、動作モードＭＣでは、信号Ｓselに基づいて信号Ｓ２２Ａの反転信号を選択し、選択した信号を信号Ｓ２３Ｂとして出力する。その結果、ドライバ２４Ａは、信号Ｓ２２Ａ，Ｓ２２Ｂに基づいて動作する。
【０３０８】
同様に、セレクタ２３Ｃは、動作モードＭＣでは、信号Ｓselに基づいて信号Ｓ２２Ｄの反転信号を選択し、選択した信号を信号Ｓ２３Ｃとして出力する。セレクタ２３Ｄは、動作モードＭＣでは、信号Ｓselに基づいて信号Ｓ２２Ｃの反転信号を選択し、選択した信号を信号Ｓ２３Ｄとして出力する。その結果、ドライバ２４Ｂは、信号Ｓ２２Ｃ，Ｓ２２Ｄに基づいて動作する。
【０３０９】
同様に、セレクタ２３Ｅ（図６４Ｂ）は、動作モードＭＣでは、信号Ｓselに基づいて信号Ｓ２２Ｆの反転信号を選択し、選択した信号を信号Ｓ２３Ｅとして出力する。セレクタ２３Ｆは、動作モードＭＣでは、信号Ｓselに基づいて信号Ｓ２２Ｅの反転信号を選択し、選択した信号を信号Ｓ２３Ｆとして出力する。その結果、ドライバ２４Ｃは、信号Ｓ２２Ｅ，Ｓ２２Ｆに基づいて動作する。
【０３１０】
例えば、信号Ｓ２８Ａ，Ｓ２８Ｂ，Ｓ２８Ｅが“１”，“０”，“０”である場合には、図４３に示したように、エンコーダ２９Ａは信号Ｓ２９ＡＰ，Ｓ２９ＡＮを“１”，“０”にし、エンコーダ２９Ｂは信号Ｓ２９ＢＰ，Ｓ２９ＢＮを“０”，“１”にし、エンコーダ２９Ｅは信号Ｓ２９ＥＰ，Ｓ２９ＥＮを“０”，“０”にする。その結果、図４８に示したように、マルチプレクサ２２Ａの出力信号Ｓ２２Ａは“１”になり、マルチプレクサ２２Ｂの出力信号Ｓ２２Ｂは“０”になり、マルチプレクサ２２Ｃの出力信号Ｓ２２Ｃは“０”になり、マルチプレクサ２２Ｄの出力信号Ｓ２２Ｄは“１”になり、マルチプレクサ２２Ｅの出力信号Ｓ２２Ｅは“０”になり、マルチプレクサ２２Ｆの出力信号Ｓ２２Ｆは“０”になる。
【０３１１】
このとき、ドライバ２４Ａ（図６４Ａ）では、サブドライバＡＡ１〜ＡＡＬ，ＡＢ１〜ＡＢＬにおけるトランジスタ９２がオン状態になり、サブドライバＡＡ１〜ＡＡＬ，ＡＢ１〜ＡＢＬにおけるトランジスタ９３がオフ状態になる。その結果、ドライバ２４Ａは、出力端子Ｔout１における電圧を高レベル電圧ＶＨにするとともに、出力インピーダンスを約５０［Ω］にする。
【０３１２】
また、ドライバ２４Ｂでは、サブドライバＢＡ１〜ＢＡＬ，ＢＢ１〜ＢＢＬにおけるトランジスタ９３がオン状態になり、サブドライバＢＡ１〜ＢＡＬ，ＢＢ１〜ＢＢＬにおけるトランジスタ９２がオフ状態になる。その結果、ドライバ２４Ｂは、出力端子Ｔout２における電圧を低レベル電圧ＶＬにするとともに、出力インピーダンスを約５０［Ω］にする。
【０３１３】
また、ドライバ２４Ｃ（図６４Ｂ）では、サブドライバＣＢ１〜ＣＢＬにおけるトランジスタ９２，９３がオン状態になり、サブドライバＣＡ１〜ＣＡＬにおけるトランジスタ９２，９３がオフ状態になる。その結果、ドライバ２４Ｃは、出力端子Ｔout３における電圧を中レベル電圧ＶＭにするとともに、出力インピーダンスを約５０［Ω］にする。
【０３１４】
このようにして、送信部７２は、信号ＳＩＧＡを高レベル電圧ＶＨにし、信号ＳＩＧＢを低レベル電圧ＶＬにし、信号ＳＩＧＣを中レベル電圧ＶＭにする。その結果、送信装置７０は、受信装置１５０に対してシンボル“＋ｘ”を送信する。
【０３１５】
このようにして、送信装置７０は、動作モードＭＣにおいて、受信装置１５０に対して信号ＳＩＧＡ，ＳＩＧＢ，ＳＩＧＣを用いてデータを送信する。
【０３１６】
このように、送信装置７０では、出力端子Ｔout１，Ｔout２，Ｔout３における電圧を中レベル電圧ＶＭに設定する際に、出力インピーダンスを約５０［Ω］にするようにした。これにより、例えば、送信装置７０は、信号の反射を抑えることができるため、波形品質を高めることができる。また、送信装置７０では、出力端子Ｔout１，Ｔout２，Ｔout３における電圧を、高レベル電圧ＶＨまたは低レベル電圧ＶＬから中レベル電圧ＶＭに遷移させる場合において、遷移時間を短くすることができるため、波形品質を高めることができる。その結果、送信装置７０では、通信品質を高めることができる。
【０３１７】
以上のように本実施の形態では、出力端子における電圧を中レベル電圧ＶＭに設定する際に、出力インピーダンスを約５０［Ω］にするようにしたので、通信品質を高めることができる。
【０３１８】
［変形例３−１］
上記実施の形態では、４つのドライバ２４Ａ，２４Ｂ，２４Ｃ，２４Ｄを設けたが、これに限定されるものではない。以下に、本変形例について詳細に説明する。
【０３１９】
図６５Ａ，６５Ｂは、本変形例に係る送信部７４の送信回路部７４Ａ，７４Ｂの要部の一構成例を表すものである。図６５Ａは、図６０Ａにおけるエンコーダ２９Ａ〜２９Ｄより後の回路を描いたものである、図６５Ｂは、図６０Ｂにおけるエンコーダ２９Ｅ〜２９Ｈより後の回路を描いたものである。送信回路部７４Ａは、４つのシリアライザ２８（シリアライザ２８Ａ，２８Ｂ，２８Ｃ，２８Ｄ）と、４つのエンコーダ２９（エンコーダ２９Ａ，２９Ｂ，２９Ｃ，２９Ｄ）と、４つのマルチプレクサ７６（マルチプレクサ７６Ａ，７６Ｂ，７６Ｃ，７６Ｄ）と、８つのセレクタ７７（セレクタ７７Ａ，７７Ｂ，７７Ｃ，７７Ｄ，７７Ｅ，７７Ｆ，７７Ｇ，７７Ｈ）と、４つのドライバ７９（ドライバ７９Ａ，７９Ｂ，７９Ｃ，７９Ｄ）とを有している。送信回路部７４Ｂは、４つのシリアライザ２８（シリアライザ２８Ｅ，２８Ｆ，２８Ｇ，２８Ｈ）と、４つのエンコーダ２９（エンコーダ２９Ｅ，２９Ｆ，２９Ｇ，２９Ｈ）と、４つのマルチプレクサ７６（マルチプレクサ７６Ｅ，７６Ｆ，７６Ｇ，７６Ｈ）と、８つのセレクタ７７（セレクタ７７Ｉ，７７Ｊ，７７Ｋ，７７Ｌ，７７Ｍ，７７Ｎ，７７Ｏ，７７Ｐ）と、４つのドライバ７９（ドライバ７９Ｅ，７９Ｆ，７９Ｇ，７９Ｈ）とを有している。
【０３２０】
マルチプレクサ７６Ａ（図６５Ａ）は、クロック信号ＣＬＫに基づいて、信号Ｓ２９ＡＰ，Ｓ２９ＣＰのうちの一方を交互に選択し、選択された信号を信号Ｓ７６ＡＰとして出力するとともに、信号Ｓ７６ＡＰの反転信号を信号Ｓ７６ＡＮとして出力するものである。マルチプレクサ７６Ｂは、クロック信号ＣＬＫに基づいて、信号Ｓ２９ＡＮ，Ｓ２９ＣＮのうちの一方を交互に選択し、選択された信号を信号Ｓ７６ＢＰとして出力するとともに、信号Ｓ７６ＢＰの反転信号を信号Ｓ７６ＢＮとして出力するものである。マルチプレクサ７６Ｃは、クロック信号ＣＬＫに基づいて、信号Ｓ２９ＢＰ，Ｓ２９ＤＰのうちの一方を交互に選択し、選択された信号を信号Ｓ７６ＣＰとして出力するとともに、信号Ｓ７６ＣＰの反転信号を信号Ｓ７６ＣＮとして出力するものである。マルチプレクサ７６Ｄは、クロック信号ＣＬＫに基づいて、信号Ｓ２９ＢＮ，Ｓ２９ＤＮのうちの一方を交互に選択し、選択された信号を信号Ｓ７６ＤＰとして出力するとともに、信号Ｓ７６ＤＰの反転信号を信号Ｓ７６ＤＮとして出力するものである。マルチプレクサ７６Ｅ（図６５Ｂ）は、クロック信号ＣＬＫに基づいて、信号Ｓ２９ＥＰ，Ｓ２９ＧＰのうちの一方を交互に選択し、選択された信号を信号Ｓ７６ＥＰとして出力するとともに、信号Ｓ７６ＥＰの反転信号を信号Ｓ７６ＥＮとして出力するものである。マルチプレクサ７６Ｆは、クロック信号ＣＬＫに基づいて、信号Ｓ２９ＥＮ，Ｓ２９ＧＮのうちの一方を交互に選択し、選択された信号を信号Ｓ７６ＦＰとして出力するとともに、信号Ｓ７６ＦＰの反転信号を信号Ｓ７６ＦＮとして出力するものである。マルチプレクサ７６Ｇは、クロック信号ＣＬＫに基づいて、信号Ｓ２９ＦＰ，Ｓ２９ＨＰのうちの一方を交互に選択し、選択された信号を信号Ｓ７６ＧＰとして出力するとともに、信号Ｓ７６ＧＰの反転信号を信号Ｓ７６ＧＮとして出力するものである。マルチプレクサ２７Ｈは、クロック信号ＣＬＫに基づいて、信号Ｓ２９ＦＮ，Ｓ２９ＨＮのうちの一方を交互に選択し、選択された信号を信号Ｓ７６ＨＰとして出力するとともに、信号Ｓ７６ＨＰの反転信号を信号Ｓ７６ＨＮとして出力するものである。
【０３２１】
セレクタ７７Ａ（図６５Ａ）は、信号Ｓselに基づいて、動作モードが動作モードＭＡ（単相モード）または動作モードＭＣ（３相モード）である場合には信号Ｓ７６ＡＰを選択し、動作モードが動作モードＭＢ（差動モード）である場合には信号Ｓ７６ＤＰを選択し、選択された信号を信号Ｓ７７Ａとして出力するものである。セレクタ７７Ｂは、信号Ｓselに基づいて、動作モードが動作モードＭＡまたは動作モードＭＣである場合には信号Ｓ７６ＢＰを選択し、動作モードが動作モードＭＢである場合には信号Ｓ７６ＣＰを選択し、選択された信号を信号Ｓ７７Ｂとして出力するものである。セレクタ７７Ｃは、信号Ｓselに基づいて、動作モードが動作モードＭＡまたは動作モードＭＣである場合には信号Ｓ７６ＣＰを選択し、動作モードが動作モードＭＢである場合には信号Ｓ７６ＢＰを選択し、選択された信号を信号Ｓ７７Ｃとして出力するものである。セレクタ７７Ｄは、信号Ｓselに基づいて、動作モードが動作モードＭＡまたは動作モードＭＣである場合には信号Ｓ７６ＤＰを選択し、動作モードが動作モードＭＢである場合には信号Ｓ７６ＡＰを選択し、選択された信号を信号Ｓ７７Ｄとして出力するものである。セレクタ７７Ｅは、信号Ｓselに基づいて、動作モードが動作モードＭＡまたは動作モードＭＣである場合には信号Ｓ７６ＢＮを選択し、動作モードが動作モードＭＢである場合には信号Ｓ７６ＣＮを選択し、選択された信号を信号Ｓ７７Ｅとして出力するものである。セレクタ７７Ｆは、信号Ｓselに基づいて、動作モードが動作モードＭＡまたは動作モードＭＣである場合には信号Ｓ７６ＡＮを選択し、動作モードが動作モードＭＢである場合には信号Ｓ７６ＤＮを選択し、選択された信号を信号Ｓ７７Ｆとして出力するものである。セレクタ７７Ｇは、信号Ｓselに基づいて、動作モードが動作モードＭＡまたは動作モードＭＣである場合には信号Ｓ７６ＤＮを選択し、動作モードが動作モードＭＢである場合には信号Ｓ７６ＡＮを選択し、選択された信号を信号Ｓ７７Ｇとして出力するものである。セレクタ７７Ｈは、信号Ｓselに基づいて、動作モードが動作モードＭＡまたは動作モードＭＣである場合には信号Ｓ７６ＣＮを選択し、動作モードが動作モードＭＢである場合には信号Ｓ７６ＢＮを選択し、選択された信号を信号Ｓ７７Ｈとして出力するものである。
【０３２２】
セレクタ７７Ｉ（図６５Ｂ）は、信号Ｓselに基づいて、動作モードが動作モードＭＡまたは動作モードＭＣである場合には信号Ｓ７６ＥＰを選択し、動作モードが動作モードＭＢである場合には信号Ｓ７６ＨＰを選択し、選択された信号を信号Ｓ７７Ｉとして出力するものである。セレクタ７７Ｊは、信号Ｓselに基づいて、動作モードが動作モードＭＡまたは動作モードＭＣである場合には信号Ｓ７６ＦＰを選択し、動作モードが動作モードＭＢである場合には信号Ｓ７６ＧＰを選択し、選択された信号を信号Ｓ７７Ｊとして出力するものである。セレクタ７７Ｋは、信号Ｓselに基づいて、動作モードが動作モードＭＡまたは動作モードＭＣである場合には信号Ｓ７６ＧＰを選択し、動作モードが動作モードＭＢである場合には信号Ｓ７６ＦＰを選択し、選択された信号を信号Ｓ７７Ｋとして出力するものである。セレクタ７７Ｌは、信号Ｓselに基づいて、動作モードが動作モードＭＡまたは動作モードＭＣである場合には信号Ｓ７６ＨＰを選択し、動作モードが動作モードＭＢである場合には信号Ｓ７６ＥＰを選択し、選択された信号を信号Ｓ７７Ｌとして出力するものである。セレクタ７７Ｍは、信号Ｓselに基づいて、動作モードが動作モードＭＡまたは動作モードＭＣである場合には信号Ｓ７６ＦＮを選択し、動作モードが動作モードＭＢである場合には信号Ｓ７６ＧＮを選択し、選択された信号を信号Ｓ７７Ｍとして出力するものである。セレクタ７７Ｎは、信号Ｓselに基づいて、動作モードが動作モードＭＡまたは動作モードＭＣである場合には信号Ｓ７６ＥＮを選択し、動作モードが動作モードＭＢである場合には信号Ｓ７６ＨＮを選択し、選択された信号を信号Ｓ７７Ｎとして出力するものである。セレクタ７７Ｏは、信号Ｓselに基づいて、動作モードが動作モードＭＡまたは動作モードＭＣである場合には信号Ｓ７６ＨＮを選択し、動作モードが動作モードＭＢである場合には信号Ｓ７６ＥＮを選択し、選択された信号を信号Ｓ７７Ｏとして出力するものである。セレクタ７７Ｐは、信号Ｓselに基づいて、動作モードが動作モードＭＡまたは動作モードＭＣである場合には信号Ｓ７６ＧＮを選択し、動作モードが動作モードＭＢである場合には信号Ｓ７６ＦＮを選択し、選択された信号を信号Ｓ７７Ｐとして出力するものである。
【０３２３】
ドライバ７９Ａ（図６５Ａ）は、信号Ｓ７６ＡＰ，Ｓ７６ＢＰ，Ｓ７７Ａ，Ｓ７７Ｂおよび信号ＣＴＬに基づいて動作するものであり、ドライバ７９Ｃは、信号Ｓ７６ＢＮ，Ｓ７６ＡＮ，Ｓ７７Ｅ，Ｓ７７Ｆおよび信号ＣＴＬに基づいて動作するものである。そして、ドライバ７９Ａ，７９Ｃは、出力端子Ｔout１における電圧を設定するようになっている。ドライバ７９Ｂは、信号Ｓ７７Ｃ，Ｓ７７Ｄ，Ｓ７６ＣＰ，Ｓ７６ＤＰおよび信号ＣＴＬに基づいて動作するものであり、ドライバ７９Ｄは、信号Ｓ７７Ｇ，Ｓ７７Ｈ，Ｓ７６ＤＮ，Ｓ７６ＣＮおよび信号ＣＴＬに基づいて動作するものである。そして、ドライバ７９Ｂ，７９Ｄは、出力端子Ｔout２における電圧を設定するようになっている。
【０３２４】
ドライバ７９Ｅ（図６５Ｂ）は、信号Ｓ７６ＥＰ，Ｓ７６ＦＰ，Ｓ７７Ｉ，Ｓ７７Ｊおよび信号ＣＴＬに基づいて動作するものであり、ドライバ７９Ｇは、信号Ｓ７６ＦＮ，Ｓ７６ＥＮ，Ｓ７７Ｍ，Ｓ７７Ｎおよび信号ＣＴＬに基づいて動作するものである。そして、ドライバ７９Ｅ，７９Ｇは、出力端子Ｔout３における電圧を設定するようになっている。ドライバ７９Ｆは、信号Ｓ７７Ｋ，Ｓ７７Ｌ，Ｓ７６ＧＰ，Ｓ７６ＨＰおよび信号ＣＴＬに基づいて動作するものであり、ドライバ７９Ｈは、信号Ｓ７７Ｏ，Ｓ７７Ｐ，Ｓ７６ＨＮ，Ｓ７６ＧＮおよび信号ＣＴＬに基づいて動作するものである。そして、ドライバ７９Ｆ，７９Ｈは、出力端子Ｔout４における電圧を設定するようになっている。
【０３２５】
動作モードＭＡ（単相モード），ＭＢ（差動モード）では、ドライバ７９Ａは、信号ＣＴＬに基づいて、サブドライバＡＡの数を“Ｍ／２”に設定するとともにサブドライバＡＢの数を“Ｎ／２”に設定する。ドライバ７９Ｂ〜７９Ｈについても同様である。
【０３２６】
一方、動作モードＭＣ（３相モード）では、ドライバ２４Ａは、信号ＣＴＬに基づいて、サブドライバＡＡの数およびサブドライバＡＢの数をともに“Ｌ／２”に設定する。数“Ｌ”は、例えば、“２×Ｌ＝Ｍ＋Ｎ”を満たすように設定することができる。ドライバ７９Ｂ〜７９Ｈについても同様である。
【０３２７】
この構成により、例えば、動作モードＭＣにおいて、信号Ｓ７６ＢＰ，Ｓ７６ＢＰをともに低レベルにし、信号Ｓ７６ＡＮ，Ｓ７６ＢＮをともに高レベルにした場合には、信号Ｓ７７Ａ，Ｓ７７Ｂがともに低レベルになり、信号Ｓ７７Ｅ，Ｓ７７Ｆがともに高レベルになる。よって、ドライバ７９Ｃにおけるトランジスタ９２、９３がオン状態になり、ドライバ７９Ａにおけるトランジスタ９２，９３がオフ状態になる。その結果、ドライバ７９Ａ，７９Ｃは、出力端子Ｔout１における電圧を中レベル電圧ＶＭにするとともに、出力インピーダンスを約５０［Ω］にすることができるようになっている。
【０３２８】
ここで、２つのドライバ７９Ａ，７９Ｃは、本開示における「第１のドライバ」の一具体例に対応する。複数のサブドライバＡＡ１〜ＡＡ（Ｍ／２），ＣＡ１〜ＣＡ（Ｍ／２）は、本開示における「第１のサブドライバ部」の一具体例に対応し、複数のサブドライバＡＢ１〜ＡＢ（Ｎ／２），ＣＢ１〜ＣＢ（Ｎ／２）は、本開示における「第２のサブドライバ部」の一具体例に対応する。２つのドライバ７９Ｂ，７９Ｄは、本開示における「第２のドライバ」の一具体例に対応する。複数のサブドライバＢＡ１〜ＢＡ（Ｍ／２），ＤＡ１〜ＤＡ（Ｍ／２）は、本開示における「第３のサブドライバ部」の一具体例に対応し、複数のサブドライバＢＢ１〜ＢＢ（Ｎ／２），ＤＢ１〜ＤＢ（Ｎ／２）は、本開示における「第４のサブドライバ部」の一具体例に対応する。複数のセレクタ７７Ａ〜７７Ｈは、本開示における「セレクタ部」の一具体例に対応する。複数のマルチプレクサ７６Ａ〜７６Ｈは、本開示における「マルチプレクサ部」の一具体例に対応する。
【０３２９】
図６６は、動作モードＭＡ（単相モード）における信号の流れを表すものである。この例では、送信回路部７４Ａの動作を説明するが、送信回路部７４Ｂの動作についても同様である。
【０３３０】
まず、信号ＤＩ１０〜ＤＩ１７に係る信号の流れを説明する。セレクタ７７Ａは、動作モードＭＡでは、信号Ｓselに基づいて信号Ｓ７６ＡＰを選択し、選択した信号を信号Ｓ７７Ａとして出力する。セレクタ７７Ｂは、動作モードＭＡでは、信号Ｓselに基づいて信号Ｓ７６ＢＰを選択し、選択した信号を信号Ｓ７７Ｂとして出力する。セレクタ７７Ｅは、動作モードＭＡでは、信号Ｓselに基づいて信号Ｓ７６ＢＮを選択し、選択した信号を信号Ｓ７７Ｅとして出力する。セレクタ７７Ｆは、動作モードＭＡでは、信号Ｓselに基づいて信号Ｓ７６ＡＮを選択し、選択した信号を信号Ｓ７７Ｆとして出力する。動作モードＭＡでは、信号Ｓ７６ＡＰ，Ｓ７６ＢＰは互いに反転した信号であるので、信号Ｓ７６ＢＮは信号Ｓ７６ＡＰに対応し、信号Ｓ７６ＢＰは信号Ｓ７６ＡＮに対応する。その結果、ドライバ７９Ａは、信号Ｓ７６ＡＰ，Ｓ７６ＢＰに基づいて動作し、ドライバ７９Ｃは、信号Ｓ７６ＡＰ，Ｓ７６ＢＰに応じて動作する。
【０３３１】
次に、信号ＤＩ２０〜ＤＩ２７に係る信号の流れを説明する。セレクタ７７Ｃは、動作モードＭＡでは、信号Ｓselに基づいて信号Ｓ７６ＣＰを選択し、選択した信号を信号Ｓ７７Ｃとして出力する。セレクタ７７Ｄは、動作モードＭＡでは、信号Ｓselに基づいて信号Ｓ７６ＤＰを選択し、選択した信号を信号Ｓ７７Ｄとして出力する。セレクタ７７Ｇは、動作モードＭＡでは、信号Ｓselに基づいて信号Ｓ７６ＤＮを選択し、選択した信号を信号Ｓ７７Ｇとして出力するものである。セレクタ７７Ｈは、動作モードＭＡでは、信号Ｓselに基づいて信号Ｓ７６ＣＮを選択し、選択した信号を信号Ｓ７７Ｈとして出力する。動作モードＭＡでは、信号Ｓ７６ＣＰ，Ｓ７６ＤＰは互いに反転した信号であるので、信号Ｓ７６ＤＮは信号Ｓ７６ＣＰに対応し、信号Ｓ７６ＤＰは信号Ｓ７６ＣＮに対応する。その結果、ドライバ７９Ｂは、信号Ｓ７６ＣＰ，Ｓ７６ＤＰに基づいて動作し、ドライバ７９Ｄは、信号Ｓ７６ＣＰ，Ｓ７６ＤＰに応じて動作する。
【０３３２】
図６７は、動作モードＭＢ（差動モード）における信号の流れを表すものである。この例では、送信回路部７４Ａの動作を説明するが、送信回路部７４Ｂの動作についても同様である。
【０３３３】
まず、信号ＤＩ１０〜ＤＩ１７に係る信号の流れを説明する。セレクタ７７Ｃは、動作モードＭＢでは、信号Ｓselに基づいて信号Ｓ７６ＢＰを選択し、選択した信号を信号Ｓ７７Ｃとして出力する。セレクタ７７Ｄは、動作モードＭＢでは、信号Ｓselに基づいて信号Ｓ７６ＡＰを選択し、選択した信号を信号Ｓ７７Ｄとして出力する。セレクタ７７Ｇは、動作モードＭＢでは、信号Ｓselに基づいて信号Ｓ７６ＡＮを選択し、選択した信号を信号Ｓ７７Ｇとして出力する。セレクタ７７Ｈは、動作モードＭＢでは、信号Ｓselに基づいて信号Ｓ７６ＢＮを選択し、選択した信号を信号Ｓ７７Ｈとして出力する。動作モードＭＢでは、信号Ｓ７６ＡＰ，Ｓ７６ＢＰは互いに反転した信号であるので、信号Ｓ７６ＢＮは信号Ｓ７６ＡＰに対応し、信号Ｓ７６ＢＰは信号Ｓ７６ＡＮに対応する。その結果、ドライバ７９ＡのサブドライバＡＡ１〜ＡＡ（Ｍ／２）は、信号Ｓ７６ＡＰ，Ｓ７６ＢＰに基づいて動作し、ドライバ７９ＣのサブドライバＣＡ１〜ＣＡ（Ｍ／２）は、信号Ｓ７６ＡＰ，Ｓ７６ＢＰに応じて動作する。同様に、ドライバ７９ＢのサブドライバＢＡ１〜ＢＡ（Ｍ／２）は、信号Ｓ７６ＢＰ，Ｓ７６ＡＰに基づいて動作し、ドライバ７９ＤのサブドライバＤＡ１〜ＤＡ（Ｍ／２）は、信号Ｓ７６ＢＰ，Ｓ７６ＡＰに応じて動作する。
【０３３４】
次に、信号ＤＩ２０〜ＤＩ２７に係る信号の流れを説明する。セレクタ７７Ａは、動作モードＭＢでは、信号Ｓselに基づいて信号Ｓ７６ＤＰを選択し、選択した信号を信号Ｓ７７Ａとして出力する。セレクタ７７Ｂは、動作モードＭＢでは、信号Ｓselに基づいて信号Ｓ７６ＣＰを選択し、選択した信号を信号Ｓ７７Ｂとして出力する。セレクタ７７Ｅは、動作モードＭＢでは、信号Ｓselに基づいて信号Ｓ７６ＣＮを選択し、選択した信号を信号Ｓ７７Ｅとして出力する。セレクタ７７Ｆは、動作モードＭＢでは、信号Ｓselに基づいて信号Ｓ７６ＤＮを選択し、選択した信号を信号Ｓ７７Ｆとして出力するものである。動作モードＭＢでは、信号Ｓ７６ＣＰ，Ｓ７６ＤＰは互いに反転した信号であるので、信号Ｓ７６ＤＮは信号Ｓ７６ＣＰに対応し、信号Ｓ７６ＤＰは信号Ｓ７６ＣＮに対応する。その結果、ドライバ７９ＡのサブドライバＡＢ１〜ＡＢ（Ｎ／２）は、信号Ｓ７６ＤＰ，Ｓ７６ＣＰに基づいて動作し、ドライバ７９ＣのサブドライバＣＢ１〜ＣＢ（Ｎ／２）は、信号Ｓ７６ＤＰ，Ｓ７６ＣＰに応じて動作する。同様に、ドライバ７９ＢのサブドライバＢＢ１〜ＢＢ（Ｎ／２）は、信号Ｓ７６ＣＰ，Ｓ７６ＤＰに基づいて動作し、ドライバ７９ＤのサブドライバＤＢ１〜ＤＢ（Ｎ／２）は、信号Ｓ７６ＣＰ，Ｓ７６ＤＰに応じて動作する。
【０３３５】
図６８Ａ，６８Ｂは、動作モードＭＣ（３相モード）における信号の流れを表すものである。
【０３３６】
セレクタ７７Ａ（図６８Ａ）は、動作モードＭＣでは、信号Ｓselに基づいて信号Ｓ７６ＡＰを選択し、その信号Ｓ７６ＡＰを信号Ｓ７７Ａとして出力する。セレクタ７７Ｂは、動作モードＭＣでは、信号Ｓselに基づいて信号Ｓ７６ＢＰを選択し、その信号Ｓ７６ＢＰを信号Ｓ７７Ｂとして出力する。セレクタ７７Ｅは、動作モードＭＣでは、信号Ｓselに基づいて信号Ｓ７６ＢＮを選択し、その信号Ｓ７６ＢＮを信号Ｓ７７Ｅとして出力する。セレクタ７７Ｆは、動作モードＭＣでは、信号Ｓselに基づいて信号Ｓ７６ＡＮを選択し、その信号Ｓ７６ＡＮを信号Ｓ７７Ｆとして出力する。その結果、ドライバ７９Ａは、信号Ｓ７６ＡＰ，Ｓ７６ＢＰに基づいて動作し、ドライバ７９Ｃは、信号Ｓ７６ＢＮ，Ｓ７６ＡＮに基づいて動作する。
【０３３７】
同様に、セレクタ７７Ｃは、動作モードＭＣでは、信号Ｓselに基づいて信号Ｓ７６ＣＰを選択し、その信号Ｓ７６ＣＰを信号Ｓ７７Ｃとして出力する。セレクタ７７Ｄは、動作モードＭＣでは、信号Ｓselに基づいて信号Ｓ７６ＤＰを選択し、その信号Ｓ７６ＤＰを信号Ｓ７７Ｄとして出力する。セレクタ７７Ｇは、動作モードＭＣでは、信号Ｓselに基づいて信号Ｓ７６ＤＮを選択し、その信号Ｓ７６ＤＮを信号Ｓ７７Ｇとして出力するものである。セレクタ７７Ｈは、動作モードＭＣでは、信号Ｓselに基づいて信号Ｓ７６ＣＮを選択し、その信号Ｓ７６ＣＮを信号Ｓ７７Ｈとして出力する。その結果、ドライバ７９Ｂは、信号Ｓ７６ＣＰ，Ｓ７６ＤＰに基づいて動作し、ドライバ７９Ｄは、信号Ｓ７６ＤＮ，Ｓ７６ＣＮに基づいて動作する。
【０３３８】
同様に、セレクタ７７Ｉ（図６８Ｂ）は、動作モードＭＣでは、信号Ｓselに基づいて信号Ｓ７６ＥＰを選択し、選択した信号を信号Ｓ７７Ｉとして出力する。セレクタ７７Ｊは、動作モードＭＣでは、信号Ｓselに基づいて信号Ｓ７６ＦＰを選択し、その信号Ｓ７６ＦＰを信号Ｓ７７Ｊとして出力するものである。セレクタ７７Ｍは、動作モードＭＣでは、信号Ｓselに基づいて信号Ｓ７６ＦＮを選択し、その信号Ｓ７６ＦＮを信号Ｓ７７Ｍとして出力する。セレクタ７７Ｎは、動作モードＭＣでは、信号Ｓselに基づいて信号Ｓ７６ＥＮを選択し、その信号Ｓ７６ＥＮを信号Ｓ７７Ｎとして出力する。その結果、ドライバ７９Ｅは、信号Ｓ７６ＥＰ，Ｓ７６ＦＰに基づいて動作し、ドライバ７９Ｇは、信号Ｓ７６ＦＮ，Ｓ７６ＥＮに基づいて動作する。
【０３３９】
［変形例３−２］
上記実施の形態では、マルチプレクサ２２の前段にエンコーダ２９を設けたが、これに限定されるものではない。これに代えて、例えば、マルチプレクサ２２の後段にエンコーダを設けてもよい。図６９Ａ，６９Ｂは、本変形例に係る送信部７８の送信回路部７８Ａ，７８Ｂの一構成例を表すものである。送信回路部７８Ａは、４つのシリアライザ２１（シリアライザ２１Ａ，２１Ｂ，２１Ｃ，２１Ｄ）と、４つのマルチプレクサ２２（マルチプレクサ２２Ａ，２２Ｂ，２２Ｃ，２２Ｄ）と、４つのエンコーダ６４（エンコーダ６４Ａ，６４Ｂ，６４Ｃ，６４Ｄ）と、４つのインバータ７３（インバータ７３Ａ，７３Ｂ，７３Ｃ，７３Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部７８Ｂは、４つのシリアライザ２１（シリアライザ２１Ｅ，２１Ｆ，２１Ｇ，２１Ｈ）と、４つのマルチプレクサ２２（マルチプレクサ２２Ｅ，２２Ｆ，２２Ｇ，２２Ｈ）と、４つのエンコーダ６４（エンコーダ６４Ｅ，６４Ｆ，６４Ｇ，６４Ｈ）と、４つのインバータ７３（インバータ７３Ｅ，７３Ｆ，７３Ｇ，７３Ｈ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０３４０】
［変形例３−３］
上記実施の形態では、図３と同様の構成を有するシリアライザ２８Ａ〜２８Ｈを用いたが、これに限定されるものではない。図７０Ａ，７０Ｂは、本変形例に係る送信部８１の送信回路部８１Ａ，８１Ｂの一構成例を表すものである。送信回路部８１Ａは、４つのシリアライザ６８（シリアライザ６８Ａ，６８Ｂ，６８Ｃ，６８Ｄ）と、４つのエンコーダ２９（エンコーダ２９Ａ，２９Ｂ，２９Ｃ，２９Ｄ）と、４つのマルチプレクサ２２（マルチプレクサ２２Ａ，２２Ｂ，２２Ｃ，２２Ｄ）と、４つのインバータ７３（インバータ７３Ａ，７３Ｂ，７３Ｃ，７３Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部８１Ｂは、４つのシリアライザ６８（シリアライザ６８Ｅ，６８Ｆ，６８Ｇ，６８Ｈ）と、４つのエンコーダ２９（エンコーダ２９Ｅ，２９Ｆ，２９Ｇ，２９Ｈ）と、４つのマルチプレクサ２２（マルチプレクサ２２Ｅ，２２Ｆ，２２Ｇ，２２Ｈ）と、４つのインバータ７３（インバータ７３Ｅ，７３Ｆ，７３Ｇ，７３Ｈ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０３４１】
本変形例に係る送信部８１では、マルチプレクサ２２の前段にエンコーダ２９を設けたが、これに限定されるものではなく、これに代えて、例えば、マルチプレクサ２２の後段にエンコーダを設けてもよい。図７１Ａ，７１Ｂは、本変形例に係る他の送信部８２における送信回路部８２Ａ，８２Ｂの一構成例を表すものである。送信回路部８２Ａは、４つのシリアライザ６８（シリアライザ６８Ａ，６８Ｂ，６８Ｃ，６８Ｄ）と、４つのマルチプレクサ２２（マルチプレクサ２２Ａ，２２Ｂ，２２Ｃ，２２Ｄ）と、２つのエンコーダ２９（エンコーダ２９Ａ，２９Ｂ）と、４つのインバータ７３（インバータ７３Ａ，７３Ｂ，７３Ｃ，７３Ｄ）と、４つのセレクタ２３（セレクタ２３Ａ，２３Ｂ，２３Ｃ，２３Ｄ）と、２つのドライバ２４（ドライバ２４Ａ，２４Ｂ）とを有している。送信回路部８２Ｂは、４つのシリアライザ６８（シリアライザ６８Ｅ，６８Ｆ，６８Ｇ，６８Ｈ）と、４つのマルチプレクサ２２（マルチプレクサ２２Ｅ，２２Ｆ，２２Ｇ，２２Ｈ）と、２つのエンコーダ２９（エンコーダ２９Ｃ，２９Ｄ）と、４つのインバータ７３（インバータ７３Ｅ，７３Ｆ，７３Ｇ，７３Ｈ）と、４つのセレクタ２３（セレクタ２３Ｅ，２３Ｆ，２３Ｇ，２３Ｈ）と、２つのドライバ２４（ドライバ２４Ｃ，２４Ｄ）とを有している。
【０３４２】
＜４．適用例＞
次に、上記実施の形態および変形例で説明した通信システムの適用例について説明する。
【０３４３】
（適用例１）
図７２は、上記実施の形態等の通信システムが適用されるスマートフォン３００（多機能携帯電話）の外観を表すものである。このスマートフォン３００には、様々なデバイスが搭載されており、それらのデバイス間でデータのやり取りを行う通信システムにおいて、上記実施の形態等の通信システムが適用されている。
【０３４４】
図７３は、スマートフォン３００に用いられるアプリケーションプロセッサ３１０の一構成例を表すものである。アプリケーションプロセッサ３１０は、ＣＰＵ（Central Processing Unit）３１１と、メモリ制御部３１２と、電源制御部３１３と、外部インタフェース３１４と、ＧＰＵ（Graphics Processing Unit）３１５と、メディア処理部３１６と、ディスプレイ制御部３１７と、ＭＩＰＩ（Mobile Industry Processor Interface）インタフェース３１８とを有している。ＣＰＵ３１１、メモリ制御部３１２、電源制御部３１３、外部インタフェース３１４、ＧＰＵ３１５、メディア処理部３１６、ディスプレイ制御部３１７は、この例では、システムバス３１９に接続され、このシステムバス３１９を介して、互いにデータのやり取りをすることができるようになっている。
【０３４５】
ＣＰＵ３１１は、プログラムに従って、スマートフォン３００で扱われる様々な情報を処理するものである。メモリ制御部３１２は、ＣＰＵ３１１が情報処理を行う際に使用するメモリ５０１を制御するものである。電源制御部３１３は、スマートフォン３００の電源を制御するものである。
【０３４６】
外部インタフェース３１４は、外部デバイスと通信するためのインタフェースであり、この例では、無線通信部５０２およびイメージセンサ４１０と接続されている。無線通信部５０２は、携帯電話の基地局と無線通信をするものであり、例えば、ベースバンド部や、ＲＦ（Radio Frequency）フロントエンド部などを含んで構成される。イメージセンサ４１０は、画像を取得するものであり、例えばＣＭＯＳセンサを含んで構成される。
【０３４７】
ＧＰＵ３１５は、画像処理を行うものである。メディア処理部３１６は、音声や、文字や、図形などの情報を処理するものである。ディスプレイ制御部３１７は、ＭＩＰＩインタフェース３１８を介して、ディスプレイ５０４を制御するものである。ＭＩＰＩインタフェース３１８は、画像信号をディスプレイ５０４に送信するものである。画像信号としては、例えば、ＹＵＶ形式やＲＧＢ形式などの信号を用いることができる。ＭＩＰＩインタフェース３１８は、例えば水晶振動子を含む発振回路３３０から供給される基準クロックに基づいて動作するようになっている。このＭＩＰＩインタフェース３１８とディスプレイ５０４との間の通信システムには、例えば、上記実施の形態等の通信システムが適用される。
【０３４８】
図７４は、イメージセンサ４１０の一構成例を表すものである。イメージセンサ４１０は、センサ部４１１と、ＩＳＰ（Image Signal Processor）４１２と、ＪＰＥＧ（Joint Photographic Experts Group）エンコーダ４１３と、ＣＰＵ４１４と、ＲＡＭ（Random Access Memory）４１５と、ＲＯＭ（Read Only Memory）４１６と、電源制御部４１７と、Ｉ2Ｃ（Inter-Integrated Circuit）インタフェース４１８と、ＭＩＰＩインタフェース４１９とを有している。これらの各ブロックは、この例では、システムバス４２０に接続され、このシステムバス４２０を介して、互いにデータのやり取りをすることができるようになっている。
【０３４９】
センサ部４１１は、画像を取得するものであり、例えばＣＭＯＳセンサにより構成されるものである。ＩＳＰ４１２は、センサ部４１１が取得した画像に対して所定の処理を行うものである。ＪＰＥＧエンコーダ４１３は、ＩＳＰ４１２が処理した画像をエンコードしてＪＰＥＧ形式の画像を生成するものである。ＣＰＵ４１４は、プログラムに従ってイメージセンサ４１０の各ブロックを制御するものである。ＲＡＭ４１５は、ＣＰＵ４１４が情報処理を行う際に使用するメモリである。ＲＯＭ４１６は、ＣＰＵ４１４において実行されるプログラムやキャリブレーションにより得られた設定値などを記憶するものである。電源制御部４１７は、イメージセンサ４１０の電源を制御するものである。Ｉ2Ｃインタフェース４１８は、アプリケーションプロセッサ３１０から制御信号を受け取るものである。また、図示していないが、イメージセンサ４１０は、アプリケーションプロセッサ３１０から、制御信号に加えてクロック信号をも受け取るようになっている。具体的には、イメージセンサ４１０は、様々な周波数のクロック信号に基づいて動作できるよう構成されている。ＭＩＰＩインタフェース４１９は、画像信号をアプリケーションプロセッサ３１０に送信するものである。画像信号としては、例えば、ＹＵＶ形式やＲＧＢ形式などの信号を用いることができる。ＭＩＰＩインタフェース４１９は、例えば水晶振動子を含む発振回路４３０から供給される基準クロックに基づいて動作するようになっている。このＭＩＰＩインタフェース４１９とアプリケーションプロセッサ３１０との間の通信システムには、例えば、上記実施の形態等の通信システムが適用される。
【０３５０】
（適用例２）
図７５は、上記実施の形態等の通信システムが適用される車両制御システム６００の一構成例を表すものである。車両制御システム６００は、自動車、電気自動車、ハイブリッド電気自動車、自動二輪車などの動作を制御するものである。この車両制御システム６００は、駆動系制御ユニット６１０と、ボディ系制御ユニット６２０と、バッテリ制御ユニット６３０と、車外情報検出ユニット６４０と、車内情報検出ユニット６５０と、統合制御ユニット６６０とを有している。これらのユニットは、通信ネットワーク６９０を介して互いに接続されている。通信ネットワーク６９０は、例えば、ＣＡＮ（Controller Area Network）、ＬＩＮ（Local Interconnect Network）、ＬＡＮ（Local Area Network）、ＦｌｅｘＲａｙ（登録商標）などの任意の規格に準拠したネットワークを用いることができる。各ユニットは、例えば、マイクロコンピュータ、記憶部、制御対象の装置を駆動する駆動回路、通信Ｉ／Ｆなどを含んで構成される。
【０３５１】
駆動系制御ユニット６１０は、車両の駆動系に関連する装置の動作を制御するものである。駆動系制御ユニット６１０には、車両状態検出部６１１が接続されている。車両状態検出部６１１は、車両の状態を検出するものであり、例えば、ジャイロセンサ、加速度センサ、アクセルペダルやブレーキペダルの操作量や操舵角などを検出するセンサなどを含んで構成されるものである。駆動系制御ユニット６１０は、車両状態検出部６１１により検出された情報に基づいて、車両の駆動系に関連する装置の動作を制御するようになっている。この駆動系制御ユニット６１０と車両状態検出部６１１との間の通信システムには、例えば、上記実施の形態等の通信システムが適用される。
【０３５２】
ボディ系制御ユニット６２０は、キーレスエントリシステム、パワーウィンドウ装置、各種ランプなど、車両に装備された各種装置の動作を制御するものである。
【０３５３】
バッテリ制御ユニット６３０は、バッテリ６３１を制御するものである。バッテリ制御ユニット６３０には、バッテリ６３１が接続されている。バッテリ６３１は、駆動用モータへ電力を供給するものであり、例えば２次電池、冷却装置などを含んで構成されるものである。バッテリ制御ユニット６３０は、バッテリ６３１から、温度、出力電圧、バッテリ残量などの情報を取得し、これらの情報に基づいて、バッテリ６３１の冷却装置などを制御するようになっている。このバッテリ制御ユニット６３０とバッテリ６３１との間の通信システムには、例えば、上記実施の形態等の通信システムが適用される。
【０３５４】
車外情報検出ユニット６４０は、車両の外部の情報を検出するものである。車外情報検出ユニット６４０には、撮像部６４１および車外情報検出部６４２が接続されている。撮像部６４１は、車外の画像を撮像するものであり、例えば、ＴｏＦ（Time Of Flight）カメラ、ステレオカメラ、単眼カメラ、赤外線カメラなどを含んで構成されるものである。車外情報検出部６４２は、車外の情報を検出するものであり、例えば、天候や気象を検出するセンサや、車両の周囲の他の車両、障害物、歩行者などを検出するセンサなどを含んで構成されるものである。車外情報検出ユニット６４０は、撮像部６４１により得られた画像や、車外情報検出部６４２により検出された情報に基づいて、例えば、天候や気象、路面状況などを認識し、車両の周囲の他の車両、障害物、歩行者、標識や路面上の文字などの物体検出を行い、あるいはそれらと車両との間の距離を検出するようになっている。この車外情報検出ユニット６４０と、撮像部６４１および車外情報検出部６４２との間の通信システムには、例えば、上記実施の形態等の通信システムが適用される。
【０３５５】
車内情報検出ユニット６５０は、車両の内部の情報を検出するものである。車内情報検出ユニット６５０には、運転者状態検出部６５１が接続されている。運転者状態検出部６５１は、運転者の状態を検出するものであり、例えば、カメラ、生体センサ、マイクなどを含んで構成されるものである。車内情報検出ユニット６５０は、運転者状態検出部６５１により検出された情報に基づいて、例えば、運転者の疲労度合、運転者の集中度合い、運転者が居眠りをしていないかどうかなどを監視するようになっている。この車内情報検出ユニット６５０と運転者状態検出部６５１との間の通信システムには、例えば、上記実施の形態等の通信システムが適用される。
【０３５６】
統合制御ユニット６６０は、車両制御システム６００の動作を制御するものである。統合制御ユニット６６０には、操作部６６１、表示部６６２、およびインストルメントパネル６６３が接続されている。操作部６６１は、搭乗者が操作するものであり、例えば、タッチパネル、各種ボタンやスイッチなどを含んで構成されるものである。表示部６６２は、画像を表示するものであり、例えば液晶表示パネルなどを用いて構成されるものである。インストルメントパネル６６３は、車両の状態を表示するものであり、スピードメータなどのメータ類や各種警告ランプなどを含んで構成されるものである。この統合制御ユニット６６０と、操作部６６１、表示部６６２、およびインストルメントパネル６６３との間の通信システムには、例えば、上記実施の形態等の通信システムが適用される。
【０３５７】
以上、いくつかの実施の形態および変形例、ならびに適用例を挙げて本技術を説明したが、本技術はこれらの実施の形態等には限定されず、種々の変形が可能である。
【０３５８】
例えば、第２および第３の実施の形態では、送信装置に４つの出力端子を設けたが、これに限定されるものではなく、これに代えて、例えば３つの出力端子を設けてもよい。この場合には、送信装置は、動作モードＭＡにおいて信号ＳＩＧ１，ＳＩＧ２，ＳＩ３を用いてデータを送信し、動作モードＭＢにおいて信号ＳＩＧ１Ｐ，ＳＩＧ１Ｎを用いてデータを送信し、動作モードＭＣにおいて信号ＳＩＧＡ，ＳＩＧＢ，ＳＩＧＣを用いてデータを送信することができる。また、例えば、５つ以上の出力端子を設けてもよい。具体的には、例えば６つの出力端子を設けた場合には、送信装置は、動作モードＭＡにおいて信号ＳＩＧ１〜ＳＩＧ６を用いてデータを送信し、動作モードＭＢにおいて信号ＳＩＧ１Ｐ，ＳＩＧ１Ｎ、信号ＳＩＧ２Ｐ，ＳＩＧ２Ｎ、および信号ＳＩＧ３Ｐ，ＳＩＧ３Ｎを用いてデータを送信し、動作モードＭＣにおいて信号ＳＩＧ１Ａ，ＳＩＧ１Ｂ，ＳＩＧ１Ｃ、および信号ＳＩＧ２Ａ，ＳＩＧ２Ｂ，ＳＩＧ２Ｃを用いてデータを送信することができる。
【０３５９】
なお、本明細書に記載された効果はあくまで例示であって限定されるものでは無く、また他の効果があってもよい。
【０３６０】
なお、本技術は以下のような構成とすることができる。
【０３６１】
（１）第１の制御信号に基づいて動作する第１のサブドライバ部と、前記第１の制御信号および第２の制御信号のうちの第１の選択動作により選択された信号に基づいて動作する第２のサブドライバ部とを有し、第１の出力端子における電圧を設定可能に構成された第１のドライバと、
前記第１の選択動作を制御する制御部と
を備えた送信装置。
（２）前記第１の制御信号および前記第２の制御信号のうちの第２の選択動作により選択された信号に基づいて動作する第３のサブドライバ部と、前記第２の制御信号に基づいて動作する第４のサブドライバ部とを有し、第２の出力端子における電圧を設定可能に構成された第２のドライバをさらに備え、
前記制御部は、前記第２の選択動作をも制御する
前記（１）に記載の送信装置。
（３）前記送信装置は、第１の動作モードおよび第２の動作モードを有し、
前記制御部は、
前記第１の動作モードでは、前記第１の選択動作において前記第１の制御信号を選択するとともに、前記第２の選択動作において前記第２の制御信号を選択し、
前記第２の動作モードでは、前記第１の選択動作において前記第２の制御信号を選択するとともに、前記第２の選択動作において前記第１の制御信号を選択する
前記（２）に記載の送信装置。
（４）前記第１のサブドライバ部の出力インピーダンスは、前記第２のサブドライバ部の出力インピーダンスよりも低く、
前記第３のサブドライバ部の出力インピーダンスは、前記第４のサブドライバ部の出力インピーダンスよりも低い
前記（２）または（３）に記載の送信装置。
（５）前記第１のサブドライバ部の出力インピーダンス、前記第２のサブドライバ部の出力インピーダンス、前記第３のサブドライバ部の出力インピーダンス、および前記第４のサブドライバ部の出力インピーダンスは、それぞれ設定可能に構成された
前記（２）から（４）のいずれかに記載の送信装置。
（６）前記第１の選択動作を行う第１のセレクタ部と、
前記第２の選択動作を行う第２のセレクタ部と
をさらに備えた
前記（２）から（５）のいずれかに記載の送信装置。
（７）前記第２のサブドライバ部は、前記第１の選択動作をさらに行い、
前記第３のサブドライバ部は、前記第２の選択動作をさらに行う
前記（２）から（５）のいずれかに記載の送信装置。
（８）前記第２のサブドライバ部は、
前記第１の制御信号に基づいて動作する第５のサブドライバ部と、
前記第２の制御信号に基づいて動作する第６のサブドライバ部と
を有し、
前記制御部は、前記第５のサブドライバ部および前記第６のサブドライバ部のうちの一方を有効にすることにより、前記第１の選択動作を制御する
前記（７）に記載の送信装置。
（９）第１の信号、第２の信号、第３の信号、および第４の信号を生成するマルチプレクサ部をさらに備え、
前記第１の制御信号は、前記第１の信号および前記第２の信号を含み、
前記第２の制御信号は、前記第３の信号および前記第４の信号を含む
前記（２）から（８）のいずれかに記載の送信装置。
（１０）第１のシリアル信号、第２のシリアル信号、第３のシリアル信号、および第４のシリアル信号を生成するシリアライザ部をさらに備え、
前記マルチプレクサ部は、
前記第１のシリアル信号および前記第３のシリアル信号に基づいて前記第１の信号を生成し、
前記第１のシリアル信号の反転信号および前記第３のシリアル信号の反転信号に基づいて前記第２の信号を生成し、
前記第２のシリアル信号および前記第４のシリアル信号に基づいて前記第３の信号を生成し、
前記第２のシリアル信号の反転信号および前記第４のシリアル信号の反転信号に基づいて前記第４の信号を生成する
前記（９）に記載の送信装置。
（１１）前記マルチプレクサ部は、
前記第１のシリアル信号および前記第３のシリアル信号のうちの前記第１のシリアル信号に基づいて前記第１の信号を生成している場合には、前記第１のシリアル信号の反転信号および前記第３のシリアル信号の反転信号のうちの前記第１のシリアル信号の反転信号に基づいて前記第２の信号を生成し、前記第２のシリアル信号および前記第４のシリアル信号のうちの前記第２のシリアル信号に基づいて前記第３の信号を生成し、前記第２のシリアル信号の反転信号および前記第４のシリアル信号の反転信号のうちの前記第２のシリアル信号の反転信号に基づいて前記第４の信号を生成し、
前記第１のシリアル信号および前記第３のシリアル信号のうちの前記第３のシリアル信号に基づいて前記第１の信号を生成している場合には、前記第１のシリアル信号の反転信号および前記第３のシリアル信号の反転信号のうちの前記第３のシリアル信号の反転信号に基づいて前記第２の信号を生成し、前記第２のシリアル信号および前記第４のシリアル信号のうちの前記第４のシリアル信号に基づいて前記第３の信号を生成し、前記第２のシリアル信号の反転信号および前記第４のシリアル信号の反転信号のうちの前記第４のシリアル信号の反転信号に基づいて前記第４の信号を生成する
前記（１０）に記載の送信装置。
（１２）前記シリアライザ部は、互いに位相が異なる複数のクロック信号に基づいて、パラレル信号に含まれる各ビットデータを順次選択することにより、前記第１のシリアル信号を生成する
前記（１０）または（１１）に記載の送信装置。
（１３）前記シリアライザ部は、シフトレジスタを用いて構成された
前記（１０）または（１１）に記載の送信装置。
（１４）第１のシリアル信号、第２のシリアル信号、第３のシリアル信号、および第４のシリアル信号を生成するシリアライザ部と、
第１の信号、第２の信号、第３の信号、および第４の信号を生成するマルチプレクサ部と
をさらに備え、
前記第１の制御信号は、前記第１のシリアル信号および前記第３のシリアル信号を含み、
前記第２の制御信号は、前記第２のシリアル信号および前記第４のシリアル信号を含み、
前記マルチプレクサ部は、
前記第１のシリアル信号および前記第３のシリアル信号に基づいて前記第１の信号を生成し、前記第１のシリアル信号の反転信号および前記第３のシリアル信号の反転信号に基づいて前記第２の信号を生成し、前記第２のシリアル信号の反転信号および前記第１のシリアル信号のうちの前記第１の選択動作により選択された第１の選択信号と、前記第４のシリアル信号の反転信号および前記第３のシリアル信号のうちの前記第１の選択動作により選択された第２の選択信号とに基づいて、前記第３の信号を生成し、前記第１のシリアル信号の反転信号および前記第２のシリアル信号のうちの前記第１の選択動作により選択された第３の選択信号と、前記第３のシリアル信号の反転信号および前記第４のシリアル信号のうちの前記第１の選択動作により選択された第４の選択信号とに基づいて、前記第４の信号を生成し、
前記第１のサブドライバ部は、前記第１の信号および前記第２の信号に基づいて動作し、
前記第２のサブドライバ部は、前記第３の信号および前記第４の信号に基づいて動作する
前記（２）から（６）のいずれかに記載の送信装置。
（１５）前記マルチプレクサ部は、
前記第１のシリアル信号および前記第３のシリアル信号のうちの前記第１のシリアル信号に基づいて前記第１の信号を生成している場合には、前記第１のシリアル信号の反転信号および前記第３のシリアル信号の反転信号のうちの前記第１のシリアル信号の反転信号に基づいて前記第２の信号を生成し、前記第１の選択信号および前記第２の選択信号のうちの前記第１の選択信号に基づいて前記第３の信号を生成し、前記第３の選択信号および前記第４の選択信号のうちの前記第３の選択信号に基づいて前記第４の信号を生成し、
前記第１のシリアル信号および前記第３のシリアル信号のうちの前記第３のシリアル信号に基づいて前記第１の信号を生成している場合には、前記第１のシリアル信号の反転信号および前記第３のシリアル信号の反転信号のうちの前記第３のシリアル信号の反転信号に基づいて前記第２の信号を生成し、前記第１の選択信号および前記第２の選択信号のうちの前記第２の選択信号に基づいて前記第３の信号を生成し、前記第３の選択信号および前記第４の選択信号のうちの前記第４の選択信号に基づいて前記第４の信号を生成する
前記（１４）に記載の送信装置。
（１６）前記マルチプレクサ部は、さらに、前記第１のシリアル信号の反転信号および前記第２のシリアル信号のうちの前記第２の選択動作により選択された信号と、前記第３のシリアル信号の反転信号および前記第４のシリアル信号のうちの前記第２の選択動作により選択された信号とに基づいて、第５の信号を生成し、前記第２のシリアル信号の反転信号および前記第１のシリアル信号のうちの前記第２の選択動作により選択された信号と、前記第４のシリアル信号の反転信号および前記第３のシリアル信号のうちの前記第２の選択動作により選択された信号とに基づいて、第６の信号を生成し、前記第２のシリアル信号および前記第４のシリアル信号に基づいて第７の信号を生成し、前記第２のシリアル信号の反転信号および前記第４のシリアル信号の反転信号に基づいて第８の信号を生成し、
前記第３のサブドライバ部は、前記第５の信号および前記第６の信号に基づいて動作し、
前記第４のサブドライバ部は、前記第７の信号および前記第８の信号に基づいて動作する
前記（１４）または（１５）に記載の送信装置。
（１７）第３の制御信号に基づいて動作する第７のサブドライバ部と、前記第３の制御信号および第４の制御信号のうちの第３の選択動作により選択された信号に基づいて動作する第８のサブドライバ部とを有し、第３の出力端子における電圧を設定可能に構成された第３のドライバをさらに備え、
前記制御部は、前記第３の選択動作をも制御する
前記（２）から（８）のいずれかに記載の送信装置。
（１８）前記送信装置は、単相信号を用いて通信を行う第１の動作モードと、差動信号を用いて通信を行う第２の動作モードと、第１の電圧レベルと、第２の電圧レベルと、前記第１の電圧レベルおよび前記第２の電圧レベルの間の第３の電圧レベルとを含む３つの電圧レベルを有する信号を用いて通信を行う第３の動作モードを有し、
前記制御部は、
前記第１の動作モードおよび前記第３の動作モードでは、前記第１の選択動作において前記第１の制御信号を選択し、前記第２の選択動作において前記第２の制御信号を選択し、前記第３の選択動作において前記第３の制御信号を選択し、
前記第２の動作モードでは、前記第１の選択動作において前記第２の制御信号を選択し、前記第２の選択動作において前記第１の制御信号を選択し、前記第３の選択動作において前記第４の制御信号を選択する
前記（１７）に記載の送信装置。
（１９）前記第１のサブドライバ部は、第１の電源から前記第１の出力端子への経路上に設けられた第１のスイッチと、第２の電源から前記第１の出力端子への経路上に設けられた第２のスイッチとを有し、
前記第２のサブドライバ部は、前記第１の電源から前記第１の出力端子への経路上に設けられた第３のスイッチと、前記第２の電源から前記第１の出力端子への経路上に設けられた第４のスイッチとを有し、
前記第１のドライバは、前記第３の動作モードにおいて、前記第１のスイッチ、前記第２のスイッチ、前記第３のスイッチ、および前記第４のスイッチをともにオフ状態にすることにより、前記第１の出力端子の電圧を前記第３の電圧レベルに設定する
前記（１８）に記載の送信装置。
（２０）前記第１のサブドライバ部は、第１の電源から前記第１の出力端子への経路上に設けられた第１のスイッチと、第２の電源から前記第１の出力端子への経路上に設けられた第２のスイッチとを有し、
前記第２のサブドライバ部は、前記第１の電源から前記第１の出力端子への経路上に設けられた第３のスイッチと、前記第２の電源から前記第１の出力端子への経路上に設けられた第４のスイッチとを有し、
前記第１のドライバは、前記第３の動作モードにおいて、前記第１のスイッチおよび前記第３のスイッチのうちの一方をオン状態にするとともに他方をオフ状態にし、前記第２のスイッチおよび前記第４のスイッチのうちの一方をオン状態にするとともに他方をオフ状態にすることにより、前記第１の出力端子の電圧を前記第３の電圧レベルに設定する
前記（１８）に記載の送信装置。
（２１）第１の信号、第２の信号、第３の信号、第４の信号、第５の信号、第６の信号、第７の信号、および第８の信号を生成するマルチプレクサ部をさらに備え、
前記第１の制御信号は、前記第１の信号および前記第２の信号を含み、
前記第２の制御信号は、前記第３の信号および前記第４の信号を含み、
前記第３の制御信号は、前記第５の信号および前記第６の信号を含み、
前記第４の制御信号は、前記第７の信号および前記第８の信号を含む
前記（１８）から（１０）のいずれかに記載の送信装置。
（２２）前記第１のドライバは、前記第３の動作モードにおいて、
前記第１の信号および前記第２の信号が互いに異なる場合には、前記第１の出力端子の電圧を前記第１の電圧レベルまたは前記第２の電圧レベルに選択的に設定し、
前記第１の信号および前記第２の信号が互いに等しい場合には、前記第１の出力端子の電圧を前記第３の電圧レベルに設定する
前記（２１）に記載の送信装置。
（２３）第１のシリアル信号および第２のシリアル信号を含む８つのシリアル信号を生成するシリアライザ部と、
前記第１の動作モードおよび前記第２の動作モードにおいて、前記第１のシリアル信号に基づいて、第１のエンコード信号および第２のエンコード信号を生成するとともに、前記第２のシリアル信号に基づいて第３のエンコード信号および第４のエンコード信号を生成するエンコーダ部と
をさらに備え、
前記マルチプレクサ部は、前記第１のエンコード信号および前記第３のエンコード信号に基づいて前記第１の信号を生成するとともに、前記第２のエンコード信号および前記第４のエンコード信号に基づいて前記第２の信号を生成する
前記（２１）または（２２）に記載の送信装置。
（２４）前記エンコーダ部は、前記第３の動作モードにおいて、前記８つのシリアル信号のうちの、前記第１のシリアル信号を含む２つの信号に基づいて、前記第１のエンコード信号および前記第２のエンコード信号を生成するとともに、前記８つのシリアル信号の、前記第２のシリアル信号を含む２つの信号に基づいて、前記第３のエンコード信号および前記第４のエンコード信号を生成する
前記（２３）に記載の送信装置。
（２５）前記マルチプレクサ部は、
前記第１のエンコード信号および前記第３のエンコード信号のうちの前記第１のエンコード信号に基づいて前記第１の信号を生成している場合には、前記第２のエンコード信号および前記第４のエンコード信号のうちの前記第２のエンコード信号に基づいて前記第２の信号を生成し、
前記第１のエンコード信号および前記第３のエンコード信号のうちの前記第３のエンコード信号に基づいて前記第１の信号を生成している場合には、前記第２のエンコード信号および前記第４のエンコード信号のうちの前記第４のエンコード信号に基づいて前記第２の信号を生成する
前記（２３）または（２４）に記載の送信装置。
（２６）前記第１のシリアル信号は、第１のサブ信号および第２のサブ信号を含み、
前記第２のシリアル信号は、第３のサブ信号および第４のサブ信号を含み、
前記エンコーダ部は、前記第１のサブ信号および前記第２のサブ信号に基づいて、前記第１のエンコード信号および前記第２のエンコード信号を生成するとともに、前記第３のサブ信号および前記第４のサブ信号に基づいて、前記第３のエンコード信号および前記第４のエンコード信号を生成する
前記（２３）または（２５）に記載の送信装置。
（２７）前記シリアライザ部は、第１のパラレル信号および第２のパラレル信号に基づいて前記第１のサブ信号および前記第２のサブ信号を生成し、
前記第１の動作モードおよび前記第２の動作モードにおいて、前記第１のパラレル信号および前記第２のパラレル信号は差動パラレル信号を構成し、前記第１のサブ信号および前記第２のサブ信号は差動信号を構成し、
前記シリアライザ部は、前記第１の動作モードおよび前記第２の動作モードにおいて、前記差動パラレル信号に含まれる各ビットデータを順次選択することにより、前記第１のサブ信号および前記第２のサブ信号を生成する
前記（２６）に記載の送信装置。
（２８）前記第３の動作モードにおいて、前記第１のパラレル信号および前記第２のパラレル信号は個別の信号であり、
前記シリアライザ部は、前記第３の動作モードにおいて、前記第１のパラレル信号に含まれる第１のビットデータと、および前記第２のパラレル信号に含まれる第２のビットデータとをともに選択し、
前記第１のビットデータおよび前記第２のビットデータが互いに異なる場合には、前記第１のビットデータおよび前記第２のビットデータに基づいて、互いに反転した前記第１のサブ信号および前記第２のサブ信号を生成し、
前記第１のビットデータおよび前記第２のビットデータが互いに等しい場合には、互いに等しい所定の信号レベルを有する前記第１のサブ信号および前記第２のサブ信号を生成する
前記（２７）に記載の送信装置。
（２９）第１のエンコード信号、第２のエンコード信号、第３のエンコード信号、第４のエンコード信号、第５のエンコード信号、第６のエンコード信号、第７のエンコード信号、および第８のエンコード信号を生成するエンコーダ部をさらに備え、
前記第１の制御信号は、前記第１のエンコード信号および前記第２のエンコード信号を含み、
前記第２の制御信号は、前記第３のエンコード信号および前記第４のエンコード信号を含み、
前記第３の制御信号は、前記第５のエンコード信号および前記第６のエンコード信号を含み、
前記第４の制御信号は、前記第７のエンコード信号および前記第８のエンコード信号を含む
前記（１８）から（２０）のいずれかに記載の送信装置。
（３０）第１の信号および第２の信号を含む８つの信号を生成するマルチプレクサ部をさらに備え、
前記エンコーダ部は、
前記第１の動作モードおよび前記第２の動作モードにおいて、前記第１の信号に基づいて前記第１のエンコード信号を生成するとともに、前記第２の信号に基づいて前記第２のエンコード信号を生成し、
前記第３の動作モードにおいて、前記８つの信号のうちの前記第１の信号を含む２つの信号に基づいて、前記第１のエンコード信号を生成するとともに、前記８つの信号のうちの前記第２の信号を含む２つの信号に基づいて、前記第２のエンコード信号を生成する
前記（２９）に記載の送信装置。
（３１）第１の信号および第２の信号を含む８つの信号を生成するマルチプレクサ部をさらに備え、
前記エンコーダ部は、前記第１の信号および前記第２の信号に基づいて、前記第１のエンコード信号および前記第２のエンコード信号を生成する
前記（２９）に記載の送信装置。
（３２）第１のシリアル信号および第２のシリアル信号を含む８つのシリアル信号を生成するシリアライザ部をさらに備え、
前記第１のシリアル信号は、第１のサブ信号および第２のサブ信号を含み、
前記第２のシリアル信号は、第３のサブ信号および第４のサブ信号を含み、
前記マルチプレクサ部は、前記第１のサブ信号および前記第３のサブ信号に基づいて前記第１の信号を生成するとともに、前記第２のサブ信号および前記第４のサブ信号に基づいて前記第２の信号を生成する
前記（３１）に記載の送信装置。
（３３）第１の制御信号および第２の制御信号を準備し、
前記第１の制御信号に基づいて第１のサブドライバ部を動作させるとともに、前記第１の制御信号および前記第２の制御信号のうちの第１の選択動作により選択された信号に基づいて第２のサブドライバ部を動作させることにより、第１の出力端子における電圧を設定する
送信方法。
（３４）送信装置と、
受信装置と
を備え、
前記送信装置は、
第１の制御信号に基づいて動作する第１のサブドライバ部と、前記第１の制御信号および第２の制御信号のうちの第１の選択動作により選択された信号に基づいて動作する第２のサブドライバ部とを有し、第１の出力端子における電圧を設定可能に構成された第１のドライバと、
前記第１の選択動作を制御する制御部と
を含む
通信システム。
【０３６２】
本出願は、日本国特許庁において２０１６年７月１４日に出願された日本特許出願番号２０１６−１３９０２４号を基礎として優先権を主張するものであり、この出願のすべての内容を参照によって本出願に援用する。
【０３６３】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2018012145.tif 000003
【図１Ｂ】
2018012145.tif 000004
【図２】
2018012145.tif 000005
【図３】
2018012145.tif 000006
【図４】
2018012145.tif 000007
【図５】
2018012145.tif 000008
【図６】
2018012145.tif 000009
【図７】
2018012145.tif 000010
【図８】
2018012145.tif 000011
【図９】
2018012145.tif 000012
【図１０】
2018012145.tif 000013
【図１１】
2018012145.tif 000014
【図１２】
2018012145.tif 000015
【図１３】
2018012145.tif 000016
【図１４】
2018012145.tif 000017
【図１５】
2018012145.tif 000018
【図１６】
2018012145.tif 000019
【図１７】
2018012145.tif 000020
【図１８】
2018012145.tif 000021
【図１９】
2018012145.tif 000022
【図２０】
2018012145.tif 000023
【図２１】
2018012145.tif 000024
【図２２】
2018012145.tif 000025
【図２３】
2018012145.tif 000026
【図２４】
2018012145.tif 000027
【図２５】
2018012145.tif 000028
【図２６】
2018012145.tif 000029
【図２７】
2018012145.tif 000030
【図２８】
2018012145.tif 000031
【図２９】
2018012145.tif 000032
【図３０】
2018012145.tif 000033
【図３１】
2018012145.tif 000034
【図３２】
2018012145.tif 000035
【図３３】
2018012145.tif 000036
【図３４】
2018012145.tif 000037
【図３５】
2018012145.tif 000038
【図３６】
2018012145.tif 000039
【図３７Ａ】
2018012145.tif 000040
【図３７Ｂ】
2018012145.tif 000041
【図３７Ｃ】
2018012145.tif 000042
【図３８】
2018012145.tif 000043
【図３９】
2018012145.tif 000044
【図４０Ａ】
2018012145.tif 000045
【図４０Ｂ】
2018012145.tif 000046
【図４１】
2018012145.tif 000047
【図４２】
2018012145.tif 000048
【図４３】
2018012145.tif 000049
【図４４】
2018012145.tif 000050
【図４５】
2018012145.tif 000051
【図４６】
2018012145.tif 000052
【図４７Ａ】
2018012145.tif 000053
【図４７Ｂ】
2018012145.tif 000054
【図４８】
2018012145.tif 000055
【図４９Ａ】
2018012145.tif 000056
【図４９Ｂ】
2018012145.tif 000057
【図５０Ａ】
2018012145.tif 000058
【図５０Ｂ】
2018012145.tif 000059
【図５１】
2018012145.tif 000060
【図５２】
2018012145.tif 000061
【図５３】
2018012145.tif 000062
【図５４】
2018012145.tif 000063
【図５５】
2018012145.tif 000064
【図５６Ａ】
2018012145.tif 000065
【図５６Ｂ】
2018012145.tif 000066
【図５７】
2018012145.tif 000067
【図５８】
2018012145.tif 000068
【図５９Ａ】
2018012145.tif 000069
【図５９Ｂ】
2018012145.tif 000070
【図６０Ａ】
2018012145.tif 000071
【図６０Ｂ】
2018012145.tif 000072
【図６１】
2018012145.tif 000073
【図６２】
2018012145.tif 000074
【図６３】
2018012145.tif 000075
【図６４Ａ】
2018012145.tif 000076
【図６４Ｂ】
2018012145.tif 000077
【図６５Ａ】
2018012145.tif 000078
【図６５Ｂ】
2018012145.tif 000079
【図６６】
2018012145.tif 000080
【図６７】
2018012145.tif 000081
【図６８Ａ】
2018012145.tif 000082
【図６８Ｂ】
2018012145.tif 000083
【図６９Ａ】
2018012145.tif 000084
【図６９Ｂ】
2018012145.tif 000085
【図７０Ａ】
2018012145.tif 000086
【図７０Ｂ】
2018012145.tif 000087
【図７１Ａ】
2018012145.tif 000088
【図７１Ｂ】
2018012145.tif 000089
【図７２】
2018012145.tif 000090
【図７３】
2018012145.tif 000091
【図７４】
2018012145.tif 000092
【図７５】
2018012145.tif 000093
【国際調査報告】
2018012145.tif 000094
2018012145.tif 000095
2018012145.tif 000096